(57)【特許請求の範囲】
【請求項１】
医学的治療中の患者を管理するためのシステムであって、
サーバと、
前記サーバと通信し、医学的治療を受けている受け持ち区域内の患者に関連付けられた患者情報を含む医療データベースであって、該患者情報が、治療のステージを示す各患者のステータス、１つ又はそれよりも多くの治療前ステージ、及びそれぞれの医療インプラントデバイスにより各患者を治療するための１つ又はそれよりも多くの治療ステージを含む前記医療データベースと、
前記サーバと前記受け持ち区域内の少なくとも１人のそれぞれのチームメンバに関連付けられた複数のチーム電子デバイスとの間で通信するための通信インタフェースであって、前記患者が治療のステージの間で進められたことを示す個々のチーム電子デバイスからの通信を受信し、その結果、該サーバが前記医療データベース内の該患者のステータスを更新して該治療のステージの間の前記患者の現在のステータスを反映するように構成された前記通信インタフェースと、
を含み、
前記サーバは、前記通信インタフェースを通じて、前記チーム電子デバイスのローカルデータベースを前記医療データベースと同期させ、チームメンバが該医療データベース内に維持されている個々の患者の前記現在のステータスを精査することができるように該医療データベース内の該患者のステータスによって該ローカルデータベースを更新するように構成されており、
前記ローカルデータベース内の同期された個々の患者の現在のステータスは、前記個々のチーム電子デバイス上で作動する個々のユーザインタフェースの複数の特徴を設定するために用いられ、
前記個々のユーザインタフェースは、ローカルデータベースを利用して、個々の患者の特徴，個々の患者の治療のステージ，及び前記医療インプラントデバイスの使用による個々の患者のために設定された治療プランに基づいて、設定された情報及び設定されたユーザインタフェース入力オプションを提示する、
ことを特徴とするシステム。
【請求項２】
前記通信の少なくとも一部が、識別された患者が治療候補ステージから治療前ステージに又は治療前ステージから治療ステージにのうちの一方に進められたという確認を含むことを特徴とする請求項１に記載のシステム。
【請求項３】
前記通信の少なくとも一部が、識別された患者が治療候補ステージから試験手術前ステージに、試験手術前ステージから試験治療ステージに、試験治療ステージから移植準備ステージに、又は移植準備ステージから移植ステージにのうちの１つに進められたという確認を含むことを特徴とする請求項１に記載のシステム。
【請求項４】
前記通信の少なくとも一部が、識別された患者が治療候補ステージから治療前ステージに進められたことの確認を含み、
前記通信の少なくとも一部が、身体の少なくとも一部分のグラフィック画像と、チーム電子デバイスを使用して該グラフィック画像に追加された診察しるしと、を含む診察画像を含み、
前記診察しるしは、前記識別された患者から受ける入力に少なくとも部分的に基づいて治療のための該識別された患者の身体の１つ又はそれよりも多くの領域を識別し、
前記サーバは、該診察画像を含めるように前記医療データベースを更新する、
ことを特徴とする請求項２に記載のシステム。
【請求項５】
前記通信の少なくとも一部が、以前に治療候補ステージから治療前ステージに進められた識別された患者が、該識別された患者が治療の予定に入れられたことを示す治療ステージに更に進められたことの確認を含み、
該通信は、該予定に入れた治療を完了すると予想される医師、該予定に入れた治療の治療日付、該予定に入れた治療が完了されることになる治療施設、該予定に入れた治療に付き添うように割り当てられたチームメンバ、該識別された患者に関する保険情報、及び該予定に入れた治療を意図された該識別された患者の身体の１つ又はそれよりも多くの領域、のうちの１つ又はそれよりも多くを含む、識別された患者の予定に入れた治療に関する情報を含むことを特徴とする請求項４に記載のシステム。
【請求項６】
前記通信を送信する第１のチームメンバ電子デバイスからの該通信の少なくとも一部が、第２のチームメンバに前記予定に入れた治療に付き添うように要求する該第２のチームメンバに割り当てられる活動を含み、前記サーバは、該活動を第２のチームメンバ電子デバイスに通信するように構成されることを特徴とする請求項５に記載のシステム。
【請求項７】
前記通信の少なくとも一部が、治療の予定に入れられた識別された患者が治療を完了したことの確認を含み、
該通信は、該識別された患者の前記診察画像と、チーム電子デバイスを使用して前記グラフィック画像に追加された治療しるしと、を含む治療画像を含み、
前記診察しるしは、前記識別された患者から受ける入力に少なくとも部分的に基づいて該治療によって影響を受けた該識別された患者の身体の１つ又はそれよりも多くの領域を識別し、
前記サーバは、該治療画像を含めるように前記医療データベースを更新することを特徴とする請求項５に記載のシステム。
【請求項８】
前記通信の少なくとも一部が、チームメンバ電子デバイスで撮られた、前記識別された患者の治療に関連する画像の１つ又はそれよりも多くの写真を含み、前記サーバは、該１つ又はそれよりも多くの写真を含めるように前記医療データベースを更新することを特徴とする請求項７に記載のシステム。
【請求項９】
前記通信の少なくとも一部が、前記治療中に使用されることになる１つ又はそれよりも多くの製品に関連する情報を含むことを特徴とする請求項５に記載のシステム。
【請求項１０】
１つ又はそれよりも多くの製品に関連する前記情報は、該１つ又はそれよりも多くの製品に対する購入注文の番号、該１つ又はそれよりも多くの製品に対する購入注文の値段、該１つ又はそれよりも多くの製品に対する購入注文の日付、及び該１つ又はそれよりも多くの製品に対する型式番号のうちの１つ又はそれよりも多くを含むことを特徴とする請求項９に記載のシステム。
【請求項１１】
前記サーバが、識別された患者が治療候補ステージから治療前ステージに又は治療前ステージから治療ステージにのうちの一方に進められたという確認を受信した時に、該サーバは、該治療前ステージ又は治療ステージに関する情報を含む通信を該識別された患者に送信するように構成されることを特徴とする請求項２に記載のシステム。
【請求項１２】
前記サーバは、前記通信が前記識別された患者に送信される前に該識別された患者への該通信を無効にするか又はカスタマイズする機会を代理人に提供するための通信を該識別された患者に割り当てられた代理人に送信するように構成されることを特徴とする請求項１１に記載のシステム。
【請求項１３】
受け持ち区域内のそれぞれのチームメンバに関連付けられた複数のチーム電子デバイスと通信するサーバと、該サーバと通信する医療データベースを使用して医学的治療中の患者を管理するコンピュータにより実施される方法であって、前記医療データベースが、医学的治療を受けている該受け持ち区域内の患者に関連付けられた患者情報を含み、該患者情報が、治療候補ステージ、１つ又はそれよりも多くの治療前ステージ、及びそれぞれの医療インプラントデバイスにより各患者を治療するための１つ又はそれよりも多くの治療ステージの間の治療のステージを示す各患者のステータスを含み、
方法が、
前記サーバで、治療候補ステージでの患者が治療を進めることを決意したことを示すチーム電子デバイスからの第１の通信を受信し、該サーバが、該患者の前記ステータスを治療前ステージに更新する段階と、
前記サーバで、前記患者が治療の予定に入れられたことを示すチーム電子デバイスからの第２の通信を受信し、該サーバが、前記医療データベース内の該患者の前記ステータスを治療ステージに更新する段階と、
前記サーバで、前記患者が治療を完了したことを示すチーム電子デバイスからの第３の通信を受信する段階と、
を含み、
前記サーバは、前記医療データベースを個々のチーム電子デバイス上のローカルデータベースと間欠的に同期させ、前記患者の前記ステータスを含む該患者に関する情報によって前記個々のチーム電子デバイスのローカルデータベースを更新し、
前記ローカルデータベース内の同期された個々の患者の現在のステータスは、前記個々のチーム電子デバイス上で作動する個々のユーザインタフェースの複数の特徴を設定するために用いられ、
前記個々のユーザインタフェースは、ローカルデータベースを利用して、個々の患者の特徴，個々の患者の治療のステージ，及び前記医療インプラントデバイスの使用による個々の患者のために設定された治療プランに基づいて、設定された情報及び設定されたユーザインタフェース入力オプションを提示する、
ことを特徴とする方法。
【請求項１４】
前記第２の通信は、前記予定に入れた治療を完了すると予想される医師を識別する医師名、該予定に入れた治療の治療日付、該予定に入れた治療が完了されることになる治療施設、該予定に入れた治療に付き添うように割り当てられたチームメンバ、前記患者に対する保険情報、及び該予定に入れた治療を意図された該患者の身体の１つ又はそれよりも多くの領域、のうちの少なくとも１つを含む、該予定に入れた治療に関連する情報を含み、
前記方法は、前記サーバが、該情報を含めるように前記医療データベースを更新することを更に含む、請求項１３に記載の方法。
【請求項１５】
前記第２の通信は、身体の少なくとも一部分のグラフィック画像と、チーム電子デバイスを使用して該グラフィック画像に追加された診察しるしと、を含む診察画像を更に含み、
前記診察しるしは、前記患者の入力に少なくとも部分的に基づいて治療のための該患者の身体の１つ又はそれよりも多くの領域を識別し、
前記方法は、前記サーバが、該診察画像を含めるように前記医療データベースを更新することを更に含む、請求項１４に記載の方法。
【請求項１６】
前記第３の通信は、前記診察画像と、チーム電子デバイスを使用して追加された治療しるしと、を含む治療画像を更に含み、
前記診察しるしは、前記患者の入力に少なくとも部分的に基づいて前記治療によって影響を受けた該患者の身体の１つ又はそれよりも多くの領域を識別し、
前記方法は、前記サーバが、該治療画像を含めるように前記医療データベースを更新することを更に含む、請求項１５に記載の方法。
【請求項１７】
前記第３の通信は、チームメンバ電子デバイスによって撮られた、前記患者の前記治療に関連する画像の１つ又はそれよりも多くの写真を更に含み、
前記方法は、前記サーバが、該１つ又はそれよりも多くの写真を含めるように前記医療データベースを更新することを更に含む、請求項１６に記載の方法。
【請求項１８】
前記第２の通信は、チームメンバに割り当てられて該チームメンバに前記予定に入れた治療に付き添うように要求する活動を更に含み、
前記サーバが前記活動を含む通信を前記割り当てられたチームメンバによって使用されるチームメンバ電子デバイスに送信する段階を更に含む、
ことを特徴とする請求項１４に記載の方法。
【請求項１９】
前記第１及び第２の通信のうちの一方の受信に応答して、前記サーバは、前記治療前ステージ又は治療ステージに関する情報を含む通信を前記患者に送信することを特徴とする請求項１３に記載の方法。
【請求項２０】
前記患者に前記通信を送信する前に、前記サーバは、該患者に割り当てられた代理人に該患者への該通信を無効にするか又はカスタマイズする機会を該代理人に提供するための通信を送信することを特徴とする請求項１９に記載の方法。
【請求項２１】
疼痛管理治療中の患者を管理するコンピュータにより実施される方法であって、
ａ）疼痛管理治療の候補である患者に関する情報と、医療インプラントデバイスにより患者を治療するための該患者の治療のステージを表す複数のアイコンを含むスケールと、を第１のチーム電子デバイスのディスプレイ上に提示する段階と、
ｂ）前記患者との初期診察の後に、
ｉ）前記第１のチーム電子デバイスのユーザインタフェースを通じて、前記患者が試験疼痛管理治療に入りたいという確認を含む患者情報を受け取る段階と、
ｉｉ）前記第１のチーム電子デバイスの前記ディスプレイ上に提示されたアイコンの選択を受け取り前記患者を試験手術前ステージに進める段階と、
ｃ）この後で、前記患者との試験前診察中又はその後に、
ｉ）第２のチーム電子デバイスのディスプレイ上に、前記第１のチーム電子デバイスを使用して入力された情報を含む前記患者に関する情報を提示し、前記スケール上の第２のアイコンが、該スケール上の他のアイコンに対して強調表示されて該患者が前記試験手術前ステージにあることを示す段階と、
ｉｉ）前記第２のチーム電子デバイスのユーザインタフェースを通じて、前記患者によって体験されている疼痛に関する疼痛情報を受け取る段階と、
ｉｉｉ）前記第２のチーム電子デバイスの前記ディスプレイ上に提示されたアイコンの選択を受け取り前記患者を試験ステージに進める段階と、
ｄ）この後で、１組のリードが前記患者の身体に移植される試験手順の後に、
ｉ）第３のチーム電子デバイスのディスプレイ上に、前記第２のチーム電子デバイスを使用して入力された情報を含む前記患者に関する疼痛情報を提示し、前記スケール上の第３のアイコンが、該スケール上の他のアイコンに対して強調表示されて該患者が前記試験ステージにあることを示す段階と、
ｉｉ）前記第３のチーム電子デバイスのユーザインタフェースを通じて、前記試験手順の後に前記患者によって体験されている疼痛治療に関する試験治療情報を受け取る段階と、
を含み、
前記患者の現在のステータスは、前記第１のチーム電子デバイス及び前記第２のチーム電子デバイス上で作動するそれぞれのユーザインタフェースの複数の特徴を設定するために用いられ、
それぞれのユーザインタフェースは、患者の特徴，患者の治療のステージ，及び前記医療インプラントデバイスの使用による患者のために設定された治療プランに基づいて、設定された情報及び設定されたユーザインタフェース入力オプションを提示する、ことを特徴とする方法。
【請求項２２】
ｅ）前記試験手順の後の前記患者との診療後に、
ｉ）第４のチーム電子デバイスのディスプレイ上に、前記第３のチーム電子デバイスを使用して入力された情報を含む前記患者に関する患者情報を提示し、前記スケール上の第３のアイコンが、該スケール上の他のアイコンに対して強調表示されて該患者が前記試験ステージにあることを示す段階と、
ｉｉ）前記第４のチーム電子デバイスのユーザインタフェースを通じて、前記患者が永久疼痛管理システムの移植を完了したいという確認を含む患者情報を受け取る段階と、
ｉｉｉ）前記チーム電子デバイスの前記ディスプレイ上に提示されたアイコンの選択を受け取り前記患者を移植準備ステージに進める段階と、
ｆ）この後で、第２の試験手順を予定に入れることを確認した後に、
ｉ）第５のチーム電子デバイスのディスプレイ上に、前記患者に関する患者情報を提示し、前記スケール上の第４のアイコンが、該スケール上の他のアイコンに対して強調表示されて該患者が前記移植準備ステージにあることを示す段階と、
ｉｉ）前記チーム電子デバイスの前記ディスプレイ上に提示されたアイコンの選択を受け取り前記患者を移植ステージに進める段階と、
ｇ）この後で、第２の組のリードが前記患者の身体に移植される前記第２の試験手順の後に、
ｉ）第６のチーム電子デバイスのディスプレイ上に、前記患者に関する疼痛情報を提示し、前記スケール上の第５のアイコンが、該スケール上の他のアイコンに対して強調表示されて該患者が前記移植ステージにあることを示す段階と、
ｉｉ）前記第６のチーム電子デバイスのユーザインタフェースを通じて、前記第２の試験手順の後に前記患者によって体験されている疼痛治療に関する治療情報を受け取る段階と、
を更に含むことを特徴とする請求項２１に記載の方法。
【発明の詳細な説明】
【技術分野】
【０００１】
本発明は、例えば、販売代理人及び医療スタッフなどによって医療情報及び／又はサービスを管理するためのシステム及び方法に関する。例えば、本明細書のシステム及び方法は、遠隔通信ネットワーク及び／又はインターネットのようなネットワークを通じて、無線及び／又はモバイルデバイス、例えば、タブレットコンピュータ及びスマート携帯電話などのような電子デバイスを使用して、治療の候補患者を識別し、試験、外科的手順、及び／又は他の治療をモニタし、手順のために分散在庫から機器を位置付け、及び販売活動を管理するなどを容易にすることができる。
【背景技術】
【０００２】
多くの医療分野において、販売スタッフは、患者、医師、及び／又は医療施設と活発に対話する。例えば、販売スタッフは、患者と対話して治療オプションを話し合うことができ、及び／又は患者のための適切な治療を決定する及び／又はそのような治療をモニタする際に存在するか又は医師又は他のヘルスケア提供者と積極的に関わることができる。これに加えて、そのような販売スタッフは、チームで、例えば、患者にアドバイスする及び／又は治療する様々なステージに関わる複数の個人と共に働くことがあり、従って、チームのメンバ間で情報の共有を望む場合がある。現在、そのような情報は、断片的なアドホック方式で共有される場合があり、これは、関わっている全てに対して非効率的であると考えられる。
【発明の概要】
【発明が解決しようとする課題】
【０００３】
従って、医療サービス及び／又は販売の管理を容易にするシステム及び方法が有用であると考えられる。
【課題を解決するための手段】
【０００４】
本発明は、例えば、販売代理人及び医療スタッフなどによって医療情報及び／又はサービスを管理するためのシステム及び方法に関する。例えば、本明細書のシステム及び方法は、遠隔通信ネットワーク及び／又はインターネットのようなネットワークを通じて、無線及び／又はモバイルデバイス、例えば、タブレットコンピュータ及びスマート携帯電話などのような電子デバイスを使用して、治療の候補患者を識別し、試験、外科的手順、及び／又は他の治療をモニタし、手順のために分散在庫から機器を位置付け、販売活動を管理し、及び／又は他に情報を管理するなどを容易にすることができる。
【０００５】
本明細書の他の箇所で説明するように、本明細書のシステム及び方法は、疼痛管理プログラムにおいて、例えば、疼痛治療手順が考慮される患者の識別、モニタ、及び／又は管理を容易にする際に特定の用途を有することができる。しかし、このシステム及び方法は、他の医学的治療及び／又は分野により広範な用途を有することができる。
【０００６】
一実施形態によって、サーバと、サーバと通信する医療データベースとを含む、医学的治療中、例えば、疼痛管理治療中に患者を管理するためのシステムを提供し、医療データベースは、医学的治療を受けている受け持ち区域内の患者に関連付けられた患者情報を含み、医療情報は、治療候補ステージ、１つ又はそれよりも多くの治療前ステージ、及び１つ又はそれよりも多くの治療ステージの間の治療のステージを示す各患者のステータスを含む。通信インタフェースが、サーバと受け持ち区域内のそれぞれのチームメンバに関連付けられた複数のチーム電子デバイスとの間で通信し、通信インタフェースは、治療のステージ間で患者が前進したことを示す通信を個々のチーム電子デバイスから受信するように構成され、その後直ぐに、サーバは、医療データベース内の患者のステータスを更新して治療のステージ間の患者の現在のステータスを反映する。サーバは、チームメンバが医療データベース内の個々の患者の現在のステータスを精査することができるように、チーム電子デバイスのローカルデータベースを医療データベースと同期して医療データベース内の患者のステータスによってローカルデータベースを更新するように構成することができる。
【０００７】
別の実施形態によって、受け持ち区域内のそれぞれのチームメンバに関連付けられた複数のチーム電子デバイスと通信するサーバを使用して、医学的治療、例えば、疼痛管理治療中の患者を管理する方法を提供し、医学的治療を受けている受け持ち区域内の患者に関連付けられた患者情報を含む医療データベースが、サーバと通信し、この医療情報は、治療候補ステージ、１つ又はそれよりも多くの治療前ステージ（例えば、試験手術前及び移植準備ステージ）、及び１つ又はそれよりも多くの治療ステージ（例えば、試験及び移植ステージ）の間の治療のステージを示す各患者のステータスを含む。本方法は、患者のステータスを治療前ステージに更新するサーバにおいて、治療候補ステージでの患者が治療を進めると決定したことを示す第１の通信をチーム電子デバイスから受信する段階と、医療データベース内の患者のステータスを治療ステージに更新するサーバにおいて、患者が治療の予定に入れられたことを示す第２の通信をチーム電子デバイスから受信する段階と、サーバにおいて、患者が治療を完了したことを示す第３の通信をチーム電子デバイスから受信する段階とを含むことができ、サーバは、医療データベースをチーム電子デバイス上のローカルデータベースと間欠的に同期し、患者のステータスを含む患者に関する情報によってローカルデータベースを更新する。
【０００８】
更に別の実施形態によって、管理者サーバと、管理者サーバと通信し、疼痛管理治療を考えている受け持ち区域内の患者に関連付けられた患者情報を含む医療データベースであって、この医療情報が、ａ）候補ステージ、ｂ）代理人コンタクトステージ、ｃ）試験手術前ステージ、ｄ）試験ステージ、ｅ）移植準備ステージ、及びｆ）移植ステージのうちの１つから選択された治療のステージを示す各患者のステータスを含む上記医療データベースと、受け持ち区域内のそれぞれのチームメンバに関連付けられた複数のチーム電子デバイスとを含む、医学的治療、例えば、疼痛管理治療を考えている患者を管理するためのシステムを提供する。各チーム電子デバイスは、ローカルデータベースと、チームメンバが患者に遭遇した時にチームメンバがローカルデータベース内の患者のステータスを更新することができるグラフィカルユーザインタフェースと、管理者サーバを通じて医療データベースに患者のステータスの更新を通信するための通信インタフェースとを含むことができる。サーバ通信インタフェースは、ローカルデータベースを医療データベースと同期するために管理者サーバとチーム電子デバイスの間で通信することができる。
【０００９】
更に別の実施形態によって、疼痛管理治療の候補である患者に関する情報と患者の治療のステージを表す複数のアイコンを含むスケールとを第１のチーム電子デバイスのディスプレイ上に提示する段階を含み、チーム電子デバイスを使用する販売代理人のチームによって医学的治療、例えば、疼痛管理治療中に患者を管理する方法を提供する。患者との初期診察の後に、本方法は、ｉ）第１のチーム電子デバイスのユーザインタフェースを通じて、患者が試験疼痛管理治療に入りたいという確認を含む患者情報を入力する段階と、ｉｉ）第１のチーム電子デバイスのディスプレイ上に提示されたアイコンを選択して患者を試験手術前ステージに進める段階とを含むことができる。
【００１０】
この後で、患者との試験前診察中又はその後に、本方法はまた、ｉ）第２のチーム電子デバイスのディスプレイ上に、第１のチーム電子デバイスを使用して入力された情報を含む患者に関する情報を提示し、スケール上の第２のアイコンが、スケール上の他のアイコンに対して強調表示されて患者が試験手術前ステージにあることを示す段階と、ｉｉ）第２のチーム電子デバイスのユーザインタフェースを通じて、患者によって体験されている疼痛に関する疼痛情報を入力する段階と、ｉｉｉ）第２のチーム電子デバイスのディスプレイ上に提示されたアイコンを選択して患者を試験ステージに進める段階とを含むことができる。
【００１１】
この後で、１組のリードが患者の身体に移植される試験手順の後に、本方法はまた、ｉ）第３のチーム電子デバイスのディスプレイ上に、第２のチーム電子デバイスを使用して入力された情報を含む患者に関する疼痛情報を提示し、スケール上の第３のアイコンが、スケール上の他のアイコンに対して強調表示されて患者が試験ステージにあることを示す段階と、ｉｉ）第３のチーム電子デバイスのユーザインタフェースを通じて、第２の手順の後に患者によって体験されている疼痛治療に関する試験治療情報を入力する段階とを含むことができる。
【００１２】
任意的に、第２のチーム電子デバイスは、第１のチーム電子デバイスと同じ電子デバイスである場合があり、第３のチーム電子デバイスは、第２のチーム電子デバイスと同じ電子デバイスである場合があり、第２のチーム電子デバイスは、第１のチーム電子デバイスとは異なる電子デバイスである場合があり、又は第３のチーム電子デバイスは、第２のチーム電子デバイスとは異なる電子デバイスである場合がある。
【００１３】
任意的に、試験手順の後の患者との診察の後に、本方法はまた、ｉ）第４のチーム電子デバイスのディスプレイ上に、第３のチーム電子デバイスを使用して入力された情報を含む患者に関する患者情報を提示し、スケール上の第３のアイコンが、スケール上の他のアイコンに対して強調表示されて患者が試験ステージにあることを示す段階と、ｉ）第４のチーム電子デバイスのユーザインタフェースを通じて、患者が永久疼痛管理システムの移植を完了したいという確認を含む患者情報を入力する段階と、ｉｉ）チーム電子デバイスのディスプレイ上に提示されたアイコンを選択して患者を移植準備ステージに進める段階とを含むことができる。
【００１４】
任意的に、この後で、第２の手順を予定に入れることを確認した後に、本方法はまた、ｉ）第５のチーム電子デバイスのディスプレイ上に、患者に関する患者情報を提示し、スケール上の第４のアイコンが、スケール上の他のアイコンに対して強調表示されて患者が移植準備ステージにあることを示す段階と、ｉｉ）チーム電子デバイスのディスプレイ上に提示されたアイコンを選択して患者を移植ステージに進める段階とを含むことができる。
【００１５】
任意的に、この後で、第２の組のリードが患者の身体に移植される第２の手順の後に、本方法はまた、ｉ）第６のチーム電子デバイスのディスプレイ上に、患者に関する疼痛情報を提示し、スケール上の第５のアイコンが、スケール上の他のアイコンに対して強調表示されて患者が移植ステージにあることを示す段階と、ｉｉ）第６のチーム電子デバイスのユーザインタフェースを通じて、第２の手順の後に患者によって体験されている疼痛治療に関する治療情報を入力する段階とを含むことができる。
【００１６】
更に別の実施形態によって、電子デバイスのディスプレイ上に、疼痛管理治療の候補である患者に関する情報と患者の治療のステージを表す複数のアイコンを含むスケールとを提示する段階を含み、携帯式電子デバイスを使用して医学的治療、例えば、疼痛管理治療中の患者を管理する方法を提供する。患者との初期診察の後に、本方法は、ｉ）ディスプレイ上に、患者に関する情報を提示し、スケール上の第１のアイコンが、スケール上の他のアイコンに対して強調表示されて患者が候補ステージにあることを示す段階と、ｉｉ）電子デバイスのユーザインタフェースを通じて、患者が試験疼痛管理治療に入りたいという確認を含む患者情報を入力する段階と、ｉｉｉ）ディスプレイ上に提示されたアイコンを選択して患者を試験手術前ステージに進める段階とを含むことができる。
【００１７】
この後で、患者との試験前診察中又はその後に、本方法はまた、ｉ）ディスプレイ上に、患者に関する情報を提示し、スケール上の第２のアイコンが、スケール上の他のアイコンに対して強調表示されて患者が試験手術前ステージにあることを示す段階と、ｉｉ）ユーザインタフェースを通じて、患者によって体験されている疼痛に関する疼痛情報を入力する段階と、ｉｉｉ）ディスプレイ上に提示されたアイコンを選択して患者を試験ステージに進める段階とを含むことができる。
【００１８】
この後で、１組のリードが患者の身体に移植される試験手順の後に、本方法はまた、ｉ）ディスプレイ上に、患者に関する疼痛情報を提示し、スケール上の第３のアイコンが、スケール上の他のアイコンに対して強調表示されて患者が試験ステージにあることを示す段階と、ｉｉ）ユーザインタフェースを通じて、試験手順の後に患者によって体験されている疼痛治療に関する試験治療情報を入力する段階とを含むことができる。
【００１９】
更に別の実施形態によって、プロセッサと、ディスプレイと、ユーザインタフェースとを含む、医学的治療、例えば、疼痛管理治療中の患者を管理するための携帯式電子デバイスを提供し、プロセッサは、情報フィールドと患者の治療のステージを表す複数のアイコンを含むスケールとをディスプレイ上に提示するように構成される。プロセッサは、ディスプレイ上に、疼痛管理治療の候補である患者に関する情報と患者の治療のステージを表す複数のアイコンを含むスケールとを提示し、患者との初期診察の後に、ｉ）ディスプレイ上に、患者に関する情報を提示し、スケール上の第１のアイコンが、スケール上の他のアイコンに対して強調表示されて患者が候補ステージにあることを示し、ｉｉ）ユーザインタフェースを通じて、患者が試験疼痛管理治療に入りたいという確認を含む患者情報を受信し、かつｉｉｉ）ユーザインタフェースを通じて、患者を試験手術前ステージに進めるためにディスプレイ上に提示されたアイコンが選択されたという表示を受信するように構成することができ。
【００２０】
この後で、患者との試験前診察中又はその後に、プロセッサは、ｉ）ディスプレイ上に、患者に関する情報を提示し、スケール上の第２のアイコンが、スケール上の他のアイコンに対して強調表示されて患者が試験手術前ステージにあることを示し、ｉｉ）ユーザインタフェースを通じて、患者によって体験されている疼痛に関する疼痛情報を受信し、ｉｉｉ）ユーザインタフェースを通じて、患者を試験ステージに進めるためにディスプレイ上に提示されたアイコンが選択されたという表示を受信するように構成することができる。この後で、１組のリードが患者の身体に移植される試験手順の後に、プロセッサは、ｉ）ディスプレイ上に、患者に関する疼痛情報を提示し、スケール上の第３のアイコンが、スケール上の他のアイコンに対して強調表示されて患者が試験ステージにあることを示し、かつｉｉ）ユーザインタフェースを通じて、試験手順の後に患者によって体験されている疼痛治療に関する試験治療情報を受信するように構成することができる。
【００２１】
任意的に、プロセッサは、試験手順の後の患者との診察の後に、ｉ）ディスプレイ上に、患者情報を提示し、スケール上の第３のアイコンが、スケール上の他のアイコンに対して強調表示されて患者が試験ステージにあることを示し、ｉｉ）ユーザインタフェースを通じて、患者が永久疼痛管理システムの移植を完了したいという確認を含む患者情報を受信し、かつｉｉ）ユーザインタフェースを通じて、患者を移植準備ステージに進めるためにディスプレイ上に提示されたアイコンが選択されたという表示を受信するように更に構成される。この後で、第２の手順を予定に入れることを確認した後に、プロセッサは、ｉ）ディスプレイ上に、患者に関する患者情報を提示し、スケール上の第４のアイコンが、スケール上の他のアイコンに対して強調表示されて患者が移植準備ステージにあることを示し、かつｉｉ）ユーザインタフェースを通じて、患者を移植ステージに進めるためにディスプレイ上に提示されたアイコンが選択されたという表示を受信するように構成することができる。
【００２２】
この後で、第２の組のリードが患者の身体に移植される第２の手順の後に、プロセッサは、ｉ）ディスプレイ上に、患者に関する疼痛情報を提示し、スケール上の第５のアイコンが、スケール上の他のアイコンに対して強調表示されて患者が移植ステージにあることを示し、かつｉｉ）ユーザインタフェースを通じて、第２の手順の後に患者によって体験されている疼痛治療に関する治療情報を受信するように構成することができる。
【００２３】
別の実施形態によって、患者との診察中に、ｉ）電子デバイスのタッチスクリーン上に、身体の少なくとも一部分のグラフィック画像を提示する段階と、ｉｉ）タッチスクリーンを通じて、患者の入力に少なくとも部分的に基づいて治療のための患者の身体の１つ又はそれよりも多くの領域を識別する診察画像を生成するためにグラフィック画像上に重ねられた診察しるしを入力する段階とを含む、携帯式電子デバイスを使用して患者の治療をモニタする方法を提供する。患者の初期治療を完了した後に、本方法は、ｉ）タッチスクリーン上に、グラフィック画像上に重ねられた診察しるしを含む診察画像を提示する段階と、ｉｉ）タッチスクリーンを通じて、患者の入力に少なくとも部分的に基づいて治療によって影響を受けた患者の身体の１つ又はそれよりも多くの領域を識別する治療画像を生成するために診察画像上に重ねられた治療しるしを入力する段階とを含むことができる。
【００２４】
更に別の実施形態によって、患者との診察中に、ｉ）電子デバイスのタッチスクリーン上に、身体の少なくとも一部分のグラフィック画像を提示する段階と、ｉｉ）タッチスクリーンを通じて、患者の入力に少なくとも部分的に基づいて疼痛を体験している患者の身体の１つ又はそれよりも多くの領域を識別する診察画像を生成するためにグラフィック画像上に重ねられた診察しるしを入力する段階とを含む、携帯式電子デバイスを使用して患者の医学的治療、例えば、疼痛管理治療をモニタする方法を提供する。患者に対して疼痛治療デバイスを与えた後に、本方法は、ｉ）タッチスクリーン上に、グラフィック画像上に重ねられた診察しるしを含む診察画像を提示する段階と、ｉｉ）タッチスクリーンを通じて、患者の入力に少なくとも部分的に基づいて患者によって以前に体験された疼痛が改善された患者の身体の１つ又はそれよりも多くの領域を識別する治療画像を生成するために診察画像上に重ねられた治療しるしを入力する段階とを含むことができる。
【００２５】
更に別の実施形態によって、ａ）疼痛管理治療の候補である患者に関する情報をチーム電子デバイスのディスプレイ上に提示する段階と、患者との初期診察の後に、ｉ）チーム電子デバイスのユーザインタフェースを通じて、患者が試験疼痛管理治療に入りたいという確認を含む患者情報を入力する段階と、ｉｉ）チーム電子デバイスのディスプレイ上に提示されたアイコンを選択して患者を試験手術前ステージに進める段階とを含む、チーム電子デバイスを使用して販売代理人のチームによって医学的治療、例えば、疼痛管理治療中の患者を管理する方法を提供する。
【００２６】
この後で、患者との試験前診察中又はその後に、本方法は、ｉ）チーム電子デバイスのディスプレイ上に、人間の身体のグラフィック画像を含む患者に関する情報を提示する段階と、ｉｉ）チーム電子デバイスのユーザインタフェースを通じて、患者によって体験されている疼痛に関するグラフィック画像上に診察しるしを入力する段階と、ｉｉｉ）チーム電子デバイスのディスプレイ上に提示されたアイコンを選択して患者を試験ステージに進める段階とを含むことができる。
【００２７】
この後で、１組のリードが患者の身体に移植される試験手順の後に、本方法は、ｉ）チーム電子デバイスのディスプレイ上に、グラフィック画像と診察しるしとを含む患者に関する情報を提示する段階と、ｉｉ）チーム電子デバイスのユーザインタフェースを通じて、試験手順の後に患者によって体験されている疼痛治療に関するグラフィック画像上に試験しるしを入力する段階とを含むことができる。
【００２８】
更に別の実施形態によって、プロセッサと、プロセッサと通信するタッチスクリーンとを含む、携帯式電子デバイスを使用して患者の治療をモニタするための携帯式電子デバイスを提供する。プロセッサは、患者の診察中にタッチスクリーン上に、身体の少なくとも一部分のグラフィック画像を提示するように構成することができ、タッチスクリーンは、患者の入力に少なくとも部分的に基づいて治療のための患者の身体の１つ又はそれよりも多くの領域を識別するタッチスクリーン上に表示される診察画像を生成するためにグラフィック画像上に重ねられた診察しるしを入力するように構成される。プロセッサは、患者の初期治療を完了した後に、タッチスクリーン上に、グラフィック画像上に重ねられた診察しるしを含む診察画像を提示するように更に構成することができ、タッチスクリーンは、患者の入力に少なくとも部分的に基づいて治療によって影響を受けた患者の身体の１つ又はそれよりも多くの領域を識別する治療画像を生成するために診察画像上に重ねられた治療しるしを入力するように更に構成される。
【００２９】
更に別の実施形態によって、患者の診察の後に、人間の身体のグラフィック画像と患者によって体験されている疼痛に関する第１のチーム電子デバイスによってグラフィック画像上に重ねられた診察しるしとを含む診察画像ファイルを第１のチーム電子デバイスから受信する段階と、診察画像ファイルを患者の治療に関する情報を含む医療データベースに追加する段階と、複数のチーム電子デバイス上のローカルデータベースが医療データベースと同期された時に複数のチーム電子デバイスに診察画像を送信する段階と、試験手順が患者に対して実行された後に、診察画像及びグラフィック画像上に重ねられた試験治療しるしと試験手順の後に患者によって体験されている疼痛治療に関する第２のチーム電子デバイスによる診察しるしとを含む試験治療画像ファイルを第２のチーム電子デバイスから受信する段階と、試験治療画像ファイルを医療データベースに追加する段階とを含む、チーム電子デバイスを使用する販売代理人のチームによって医学的治療、例えば、疼痛管理治療中の患者を管理する方法を提供する。
【００３０】
別の実施形態によって、受け持ち区域内の医師及びそれぞれの医師に関連付けられた患者に関する情報を含むローカルデータベースを有する携帯式電子デバイスを使用して患者の医学的治療、例えば、疼痛管理治療に関わる医師を管理する方法を提供し、ローカルデータベースは、受け持ち区域内の医師及びそれぞれの医師に関連付けられた患者に関する情報を含み、ローカルデータベースは、各患者の治療の現在のステージを識別する各患者のステータスを含み、ステータスは、疼痛治療の候補、試験疼痛治療手順を予定に入れたこと、試験疼痛治療を完了したこと、長期疼痛治療移植手順を予定に入れたこと、及び長期疼痛治療移植手順が完了したことのうちの１つ又はそれよりも多くを含む。本方法は、電子デバイスのユーザインタフェースを通じて、選択された医師に関連付けられた患者を精査する要求を入力する段階と、電子デバイス上のローカルデータベースにアクセスして選択された医師に関連付けられた患者を識別する段階と、電子デバイスのディスプレイ上に、選択された医師に関連付けられた患者の名前と患者のステータスとを含む第１のグラフィック出力を提示する段階とを含むことができる。
【００３１】
更に別の実施形態によって、複数の医師とそれぞれの医師に関連付けられた患者とを含むローカルデータベースと、選択された医師に関連付けられた患者を精査する要求を提出するためのユーザインタフェースと、ローカルデータベースにアクセスして、選択された医師に関連付けられた患者と患者のステータスとを識別するためのプロセッサであって、ステータスが、各患者の治療の現在のステージを識別し、ステータスが、疼痛治療の候補、試験疼痛治療手順を予定に入れたこと、試験疼痛治療を完了したこと、長期疼痛治療移植手順を予定に入れたこと、及び長期疼痛治療移植手順が完了したことのうちの１つ又はそれよりも多くを含む上記プロセッサと、患者の名前及びそれぞれの患者のステータスを含む第１のグラフィック出力を提示するためのディスプレイとを含む、患者の医学的治療、例えば、疼痛管理治療に関わる医師を管理するための携帯式電子デバイスを提供する。
【００３２】
更に別の実施形態によって、受け持ち区域内の医師及びそれぞれの医師に関連付けられた患者に関する情報を含むローカルデータベースを有する電子デバイスを使用して患者の医学的治療、例えば、疼痛管理治療に関わる医師を管理する方法を提供し、ローカルベースは、各患者の治療の現在のステージを識別する各患者のステータスを含み、ステータスは、疼痛治療の候補、試験疼痛治療手順を予定に入れたこと、試験疼痛治療を完了したこと、長期疼痛治療移植手順を予定に入れたこと、及び長期疼痛治療移植手順が完了したことのうちの１つ又はそれよりも多くを含む。一般的に、本方法は、電子デバイスのユーザインタフェースを通じて、受け持ち区域内の医師を精査する要求を入力する段階と、ローカルデータベースにアクセスして受け持ち区域内の各医師に関連付けられた患者の数及び各医師に関連付けられた患者の現在のステータスを決定する段階と、電子デバイスのディスプレイ上に、医師の名前と患者の治療の現在のステージによって分離された各医師に関連付けられた患者の総数とを各行が含む医師情報の行を含むグラフィック出力を提示する段階とを含むことができる。
【００３３】
更に別の実施形態によって、受け持ち区域内の医師及びそれぞれの医師に関連付けられた患者に関する情報を含み、各患者の治療の現在のステージを識別する各患者のステータスを含むローカルデータベースであって、ステータスが、疼痛治療の候補、試験疼痛治療手順を予定に入れたこと、試験疼痛治療を完了したこと、長期疼痛治療移植手順を予定に入れたこと、及び長期疼痛治療移植手順が完了したことのうちの１つ又はそれよりも多くを含む上記ローカルデータベースと、受け持ち区域内の医師を精査する要求を提出するためのユーザインタフェースと、ローカルデータベースにアクセスして受け持ち区域内の各医師に関連付けられた患者の数及び各医師に関連付けられた患者の現在のステータスを決定するためのプロセッサと、医師の名前と患者の治療の現在のステージによって分離された各医師に関連付けられた患者の総数とを各行が含む医師情報の行を含む第１のグラフィック出力を提示するためのディスプレイとを含む、患者の医学的治療、例えば、疼痛管理治療に関わる医師を管理するための携帯式電子デバイスを提供する。
【００３４】
更に別の実施形態によって、電子デバイスのユーザインタフェースを通じて、受け持ち区域内の医師を精査する要求を入力する段階と、遠隔サーバに電子デバイスの通信インタフェースを通じて、受け持ち区域内の医師及びそれぞれの医師に関連付けられた患者に関する情報を含む医療データベースを使用して受け持ち区域内の医師を精査する要求を含む問合せを送信する段階であって、ローカルデータベースが、各患者の治療の現在のステージを識別する各患者のステータスを含み、ステータスが、疼痛治療の候補、試験疼痛治療手順を予定に入れたこと、試験疼痛治療を完了したこと、長期疼痛治療移植手順を予定に入れたこと、及び長期疼痛治療移植手順が完了したことのうちの１つ又はそれよりも多くを含む上記送信する段階と、通信インタフェースを通じて、受け持ち区域内の各医師に関連付けられた患者の数及び各医師に関連付けられた患者の現在のステータスを含む通信を受信する段階と、電子デバイスのディスプレイ上に、医師の名前と患者の治療の現在のステージによって分離された各医師に関連付けられた患者の総数とを各行が含む医師情報の行を含むグラフィック出力を提示する段階とを含む、電子デバイスを使用して患者の医学的治療、例えば、疼痛管理治療に関わる医師を管理する方法を提供する。
【００３５】
別の実施形態によって、受け持ち区域内の医療施設及びそれぞれの医療施設に関連付けられた患者に関する情報を含むローカルデータベースを有する携帯式電子デバイスを使用して、患者の医学的治療、例えば、疼痛管理治療に関わる医療施設を管理する方法を提供し、ローカルデータベースは、各患者の治療の現在のステージを識別する各患者のステータスを含み、ステータスは、疼痛治療の候補、試験疼痛治療手順を予定に入れたこと、試験疼痛治療を完了したこと、長期疼痛治療移植手順を予定に入れたこと、及び長期疼痛治療移植手順が完了したことのうちの１つ又はそれよりも多くを含む。一般的に、本方法は、電子デバイスのユーザインタフェースを通じて、選択された医療施設に関連付けられた患者を精査する要求を入力する段階と、電子デバイス上のローカルデータベースにアクセスして選択された医療施設に関連付けられた患者を識別する段階と、電子デバイスのディスプレイ上に、選択された医療施設に関連付けられた患者の名前と患者のステータスとを含む第１のグラフィック出力を提示する段階とを含むことができる。
【００３６】
更に別の実施形態によって、複数の医療施設及びそれぞれの医療施設に関連付けられた患者を含むローカルデータベースと、選択された医療施設に関連付けられた患者を精査する要求を提出するためのユーザインタフェースと、ローカルデータベースにアクセスして、選択された医療施設に関連付けられた患者及び患者のステータスを識別するためのプロセッサであって、ステータスが、各患者の治療の現在のステージを識別し、ステータスが、疼痛治療の候補、試験疼痛治療手順を予定に入れたこと、試験疼痛治療を完了したこと、長期疼痛治療移植手順を予定に入れたこと、及び長期疼痛治療移植手順が完了したことのうちの１つ又はそれよりも多くを含む上記プロセッサと、患者の名前及びそれぞれの患者のステータスを含む第１のグラフィック出力を提示するためのディスプレイとを含む、患者の医学的治療、例えば、疼痛管理治療に関わる医療施設を管理するための携帯式電子デバイスを提供する。
【００３７】
更に別の実施形態によって、受け持ち区域内の医師及び医療施設とそれぞれの医師及び施設に関連付けられた患者とに関する情報を含むローカルデータベースを有する電子デバイスを使用して、患者の医学的治療、例えば、疼痛管理治療に関わる医療施設を管理する方法を提供し、ローカルデータベースは、各患者の治療の現在のステージを識別する各患者のステータスを含み、ステータスは、疼痛治療の候補、試験疼痛治療手順を予定に入れたこと、試験疼痛治療を完了したこと、長期疼痛治療移植手順を予定に入れたこと、及び長期疼痛治療移植手順が完了したことのうちの１つ又はそれよりも多くを含む。一般的に、本方法は、電子デバイスのユーザインタフェースを通じて、選択された医療施設に関連付けられた医師を精査する要求を入力する段階と、ローカルデータベースにアクセスして、各医師に関連付けられて選択された医療施設にも関連付けられた患者の数及び各医師に関連付けられた患者の現在のステータスを決定する段階と、電子デバイスのディスプレイ上に、医師の名前と患者の治療の現在のステージによって分離された各医師に関連付けられた患者の総数とを各行が含む医師情報の行を含むグラフィック出力を提示する段階とを含むことができる。
【００３８】
更に別の実施形態によって、受け持ち区域内の医師及び医療施設とそれぞれの医師及び医療施設に関連付けられた患者とに関する情報を含むローカルデータベースであって、ローカルデータベースが、各患者の治療の現在のステージを識別する各患者のステータスを含み、ステータスが、疼痛治療の候補、試験疼痛治療手順を予定に入れたこと、試験疼痛治療を完了したこと、長期疼痛治療移植手順を予定に入れたこと、及び長期疼痛治療移植手順が完了したことのうちの１つ又はそれよりも多くを含む上記ローカルデータベースと、選択された医療施設に関連付けられた医師を精査する要求を提出するためのユーザインタフェースと、ローカルデータベースにアクセスして、各医師に関連付けられて選択された医療施設にも関連付けられた患者の数及び各医師に関連付けられた患者の現在のステータスを決定するためのプロセッサと、医師の名前と患者の治療の現在のステージによって分離された各医師に関連付けられた患者の総数とを各行が含む医師情報の行を含む第１のグラフィック出力を提示するためのディスプレイとを含む、患者の医学的治療、例えば、疼痛管理治療に関わる医療施設を管理するための携帯式電子デバイスを提供する。
【００３９】
別の実施形態によって、電子デバイスの通信インタフェースを通じて、ネットワークを通じて遠隔サーバに、望ましい医療デバイス及び地理的領域を識別する要求を送信する段階と、要求を満足させる利用可能な医療デバイスのリストを含むデータファイルを遠隔サーバから受信する段階と、電子デバイスのディスプレイ上に、リスト上の医療デバイスの各々に固有の識別子と有効期限とを含む利用可能な医療デバイスのリストを提示する段階とを含み、リストが、有効期限に対して利用可能な医療デバイスの各々のステータスを識別するために色分けされる、携帯式電子デバイスを使用して医療デバイスを位置付ける方法を提供する。
【００４０】
更に別の実施形態によって、在庫が複数のチームメンバに分配され、ローカルデータベースがそれぞれのチームメンバに分配された部品に関する情報を含む環境内にローカルデータベースを有する携帯式電子デバイスを使用して医療デバイスを位置付ける方法を提供する。一般的に、本方法は、電子デバイスのユーザインタフェースを通じて、１つ又はそれよりも多くの望ましい医療デバイスを識別する検索要求を入力する段階と、電子デバイス上のローカルデータベースにアクセスして、検索要求を満足させる利用可能な医療デバイスのリストを生成する段階と、電子デバイスのディスプレイ上に、リスト上の医療デバイスの各々に固有の識別子と有効期限とを含む利用可能な医療デバイスのリストを提示する段階とを含むことができ、リストは、有効期限に対して利用可能な医療デバイスの各々のステータスを識別するために色分けされる。
【００４１】
更に別の実施形態によって、在庫が複数のチームメンバに分配され、ローカルデータベースがそれぞれのチームメンバに分配された部品に関する情報を含む環境内にローカルデータベースを有する携帯式電子デバイスを使用して医療デバイスを位置付ける方法を提供する。一般的に、本方法は、電子デバイスのユーザインタフェースを通じて、チームメンバ、地理的領域、部品番号、及び部品説明のうちの少なくとも１つを識別する検索要求を入力する段階と、電子デバイス上のローカルデータベースにアクセスして、検索要求を満足させる利用可能な医療デバイスのリストを生成する段階と、電子デバイスのディスプレイ上に、利用可能な医療デバイスのリストを提示する段階とを含むことができる。
【００４２】
更に別の実施形態によって、それぞれのチームメンバに分配された部品に関する情報を含むローカルデータベースと、チームメンバ、地理的領域、部品番号、及び部品説明のうちの少なくとも１つを識別する検索要求を入力するためのユーザインタフェースと、電子デバイス上のローカルデータベースにアクセスして、検索要求を満足させる利用可能な医療デバイスのリストを生成するためのプロセッサと、利用可能な医療デバイスのリストを提示するためにプロセッサに結合されたディスプレイとを含む、在庫が複数のチームメンバに分配された環境内で医療デバイスを位置付けるための携帯式電子デバイスを提供する。
【００４３】
更に別の実施形態によって、それぞれのチームメンバに分配された部品に関する情報を含む医療データベースと通信するサーバと、遠隔電子デバイスから検索要求を受信するための通信インタフェースとを含み、検索要求が、望ましい医療デバイス及び地理的領域を識別し、サーバが、医療データベースにアクセスして検索要求を満足させる利用可能な医療デバイスのリストを含むデータファイルを生成するように構成され、通信インタフェースが、電子デバイスのディスプレイ上に提示するためのリストを遠隔電子デバイスに送信するように構成され、利用可能な医療デバイスのリストが、リスト上の医療デバイスの各々に固有の識別子と有効期限とを含み、リストが、有効期限に対して利用可能な医療デバイスの各々のステータスを識別するために色分けされる、在庫が複数のチームメンバに分配された環境内で医療デバイスを位置付けるためのシステムを提供する。
【００４４】
本発明の他の態様及び特徴は、添付の図面に関連する以下の説明を考察することから明らかになるであろう。
【００４５】
図面は、本発明の例示的実施形態を示している。
【図面の簡単な説明】
【００４６】
【図１】医療サービスを管理するためのシステムの例示的実施形態を提供するネットワークアーキテクチャを示す概略図である。
【図２】例えば販売代理人及び医療スタッフなどにより医療サービスを管理するために使用することができる例示的な電子デバイスを示す図である。
【図３】例えば図２の電子デバイスを使用して医療サービスを管理するアプリケーションのための例示的な構成を示す流れ図である。
【図４Ａ】アプリケーションの次の使用の基礎を形成することになるそこからユーザが受け持ち区域を選択することができる図２に示すような電子デバイス上に表示することができる例示的な一般画面を示すスクリーンショットである。
【図４Ｂ】アプリケーションの次の使用の基礎を形成することになるそこからユーザが受け持ち区域を選択することができる図２に示すような電子デバイス上に表示することができる例示的な一般画面を示すスクリーンショットである。
【図５】本明細書のシステム及び方法を使用して患者を識別し、モニタし、及び／又は管理するための患者モジュールに利用可能とすることができる例示的なステージを示す流れ図である。
【図６Ａ】図２の電子デバイスのような電子デバイスを使用する代理人によって提示及び／又は修正することができる治療を考えているか又は受けている患者に関連する情報を含む患者モジュールの例示的スクリーンショットである。
【図６Ｂ】図２の電子デバイスのような電子デバイスを使用する代理人によって提示及び／又は修正することができる治療を考えているか又は受けている患者に関連する情報を含む患者モジュールの例示的スクリーンショットである。
【図６Ｃ】図２の電子デバイスのような電子デバイスを使用する代理人によって提示及び／又は修正することができる治療を考えているか又は受けている患者に関連する情報を含む患者モジュールの例示的スクリーンショットである。
【図６Ｃ−１】図２の電子デバイスのような電子デバイスを使用する代理人によって提示及び／又は修正することができる治療を考えているか又は受けている患者に関連する情報を含む患者モジュールの例示的スクリーンショットである。
【図６Ｄ】図２の電子デバイスのような電子デバイスを使用する代理人によって提示及び／又は修正することができる治療を考えているか又は受けている患者に関連する情報を含む患者モジュールの例示的スクリーンショットである。
【図６Ｄ−１】図２の電子デバイスのような電子デバイスを使用する代理人によって提示及び／又は修正することができる治療を考えているか又は受けている患者に関連する情報を含む患者モジュールの例示的スクリーンショットである。
【図６Ｅ】図２の電子デバイスのような電子デバイスを使用する代理人によって提示及び／又は修正することができる治療を考えているか又は受けている患者に関連する情報を含む患者モジュールの例示的スクリーンショットである。
【図６Ｆ】図２の電子デバイスのような電子デバイスを使用する代理人によって提示及び／又は修正することができる治療を考えているか又は受けている患者に関連する情報を含む患者モジュールの例示的スクリーンショットである。
【図６Ｆ−１】図２の電子デバイスのような電子デバイスを使用する代理人によって提示及び／又は修正することができる治療を考えているか又は受けている患者に関連する情報を含む患者モジュールの例示的スクリーンショットである。
【図６Ｇ】図２の電子デバイスのような電子デバイスを使用する代理人によって提示及び／又は修正することができる治療を考えているか又は受けている患者に関連する情報を含む患者モジュールの例示的スクリーンショットである。
【図６Ｈ】図２の電子デバイスのような電子デバイスを使用する代理人によって提示及び／又は修正することができる治療を考えているか又は受けている患者に関連する情報を含む患者モジュールの例示的スクリーンショットである。
【図６Ｈ−１】図２の電子デバイスのような電子デバイスを使用する代理人によって提示及び／又は修正することができる治療を考えているか又は受けている患者に関連する情報を含む患者モジュールの例示的スクリーンショットである。
【図６Ｈ−２】図２の電子デバイスのような電子デバイスを使用する代理人によって提示及び／又は修正することができる治療を考えているか又は受けている患者に関連する情報を含む患者モジュールの例示的スクリーンショットである。
【図６Ｉ】図２の電子デバイスのような電子デバイスを使用する代理人によって提示及び／又は修正することができる治療を考えているか又は受けている患者に関連する情報を含む患者モジュールの例示的スクリーンショットである。
【図６Ｊ】図２の電子デバイスのような電子デバイスを使用する代理人によって提示及び／又は修正することができる治療を考えているか又は受けている患者に関連する情報を含む患者モジュールの例示的スクリーンショットである。
【図６Ｋ】図２の電子デバイスのような電子デバイスを使用する代理人によって提示及び／又は修正することができる治療を考えているか又は受けている患者に関連する情報を含む患者モジュールの例示的スクリーンショットである。
【図６Ｌ】図２の電子デバイスのような電子デバイスを使用する代理人によって提示及び／又は修正することができる治療を考えているか又は受けている患者に関連する情報を含む患者モジュールの例示的スクリーンショットである。
【図６Ｌ−１】図２の電子デバイスのような電子デバイスを使用する代理人によって提示及び／又は修正することができる治療を考えているか又は受けている患者に関連する情報を含む患者モジュールの例示的スクリーンショットである。
【図６Ｌ−２】図２の電子デバイスのような電子デバイスを使用する代理人によって提示及び／又は修正することができる治療を考えているか又は受けている患者に関連する情報を含む患者モジュールの例示的スクリーンショットである。
【図７Ａ】図２の電子デバイスのような電子デバイスを使用する代理人によって提示及び／又は生成することができる医師及びその患者に関連する情報を含む医師モジュールを示す例示的スクリーンショットである。
【図７Ｂ】図２の電子デバイスのような電子デバイスを使用する代理人によって提示及び／又は生成することができる医師及びその患者に関連する情報を含む医師モジュールを示す例示的スクリーンショットである。
【図７Ｃ】図２の電子デバイスのような電子デバイスを使用する代理人によって提示及び／又は生成することができる医師及びその患者に関連する情報を含む医師モジュールを示す例示的スクリーンショットである。
【図７Ｄ】図２の電子デバイスのような電子デバイスを使用する代理人によって提示及び／又は生成することができる医師及びその患者に関連する情報を含む医師モジュールを示す例示的スクリーンショットである。
【図７Ｅ】図２の電子デバイスのような電子デバイスを使用する代理人によって提示及び／又は生成することができる医師及びその患者に関連する情報を含む医師モジュールを示す例示的スクリーンショットである。
【図７Ｆ】図２の電子デバイスのような電子デバイスを使用する代理人によって提示及び／又は生成することができる医師及びその患者に関連する情報を含む医師モジュールを示す例示的スクリーンショットである。
【図７Ｇ】図２の電子デバイスのような電子デバイスを使用する代理人によって提示及び／又は生成することができる医師及びその患者に関連する情報を含む医師モジュールを示す例示的スクリーンショットである。
【図８Ａ】図２の電子デバイスのような電子デバイスを使用する代理人によって提示及び／又は生成することができる医療施設に関連する情報を含む施設モジュールを示す例示的スクリーンショットである。
【図８Ｂ】図２の電子デバイスのような電子デバイスを使用する代理人によって提示及び／又は生成することができる医療施設に関連する情報を含む施設モジュールを示す例示的スクリーンショットである。
【図８Ｃ】図２の電子デバイスのような電子デバイスを使用する代理人によって提示及び／又は生成することができる医療施設に関連する情報を含む施設モジュールを示す例示的スクリーンショットである。
【図９Ａ】図２の電子デバイスのような電子デバイスを使用する代理人によって提示及び／又は生成することができる活動情報を含む活動モジュールを示す例示的スクリーンショットである。
【図９Ｂ】図２の電子デバイスのような電子デバイスを使用する代理人によって提示及び／又は生成することができる活動情報を含む活動モジュールを示す例示的スクリーンショットである。
【図９Ｃ】図２の電子デバイスのような電子デバイスを使用する代理人によって提示及び／又は生成することができる活動情報を含む活動モジュールを示す例示的スクリーンショットである。
【図１０Ａ】図２の電子デバイスのような電子デバイスを使用する代理人によって提示及び／又は生成することができる在庫関連情報を含む在庫モジュールを示す例示的スクリーンショットである。
【図１０Ｂ】図２の電子デバイスのような電子デバイスを使用する代理人によって提示及び／又は生成することができる在庫関連情報を含む在庫モジュールを示す例示的スクリーンショットである。
【図１１Ａ】図２の電子デバイスのような電子デバイスを使用する代理人によって提示及び／又は生成することができる販売及び／又は他の営業情報を含む販売活動モジュールを示す例示的スクリーンショットである。
【図１１Ｂ】図２の電子デバイスのような電子デバイスを使用する代理人によって提示及び／又は生成することができる販売及び／又は他の営業情報を含む販売活動モジュールを示す例示的スクリーンショットである。
【図１１Ｃ】図２の電子デバイスのような電子デバイスを使用する代理人によって提示及び／又は生成することができる販売及び／又は他の営業情報を含む販売活動モジュールを示す例示的スクリーンショットである。
【図１１Ｄ】図２の電子デバイスのような電子デバイスを使用する代理人によって提示及び／又は生成することができる販売及び／又は他の営業情報を含む販売活動モジュールを示す例示的スクリーンショットである。
【図１１Ｅ】図２の電子デバイスのような電子デバイスを使用する代理人によって提示及び／又は生成することができる販売及び／又は他の営業情報を含む販売活動モジュールを示す例示的スクリーンショットである。
【発明を実施するための形態】
【００４７】
図を参照すると、図１は、医療情報及び／又はサービスを例えば通信ネットワーク及び／又はインターネットのようなネットワーク１０を通じて管理するためのシステム８の例示的実施形態を示している。本明細書のシステム及び方法は、脊髄刺激疼痛管理のような疼痛管理治療を考えている及び／又は受けている患者を識別し、管理し、及び／又はモニタするという特定の有用性を有するが、本発明のシステム及び方法は、他の医学的治療及び／又は販売準備に使用することができる。例えば、本明細書のシステム及び方法は、脳深部刺激（パーキンソン病、失調、本態性振戦、及び片頭痛など）、過活動膀胱、ぜんそくの治療、及び／又は試験及び永久移植の管理に関わる場合がある他のタイプの医学的治療及び／又は外科以外の兆候／手順に関連付けられた情報を管理するためにも有用とすることができる。これに加えて又はこれに代えて、本明細書のシステム及び方法は、ペースメーカー、除細動器、蝸牛刺激器、網膜刺激器、協働した四肢の動きを生じるように構成された刺激器、皮膚刺激器、脳深部刺激器、末梢神経刺激器、マイクロ刺激器、及び／又は尿失禁、睡眠時無呼吸、肩関節亜脱臼、及び頭痛などを治療するように構成された他の神経刺激器のような医療インプラント（試験及び永久移植システムを含むことができ、又は含まなくてもよい）に関わる情報を管理するために有用とすることができる。
【００４８】
図１に示すように、システム８は、一般的に、医療データベース１４を含む１つ又はそれよりも多くの管理者又は他のサーバ１２、及びネットワーク１０に接続される及び／又はネットワーク１０を通じて通信する代理人電子デバイス１８ａ、１８ｂ、１８ｃのような複数の販売代理人又は他のユーザ電子デバイスを含む。
【００４９】
例示的実施形態において、ネットワーク１０は、ワイドエリアネットワーク（「ＷＡＮ」）、ローカルエリアネットワーク（「ＬＡＮ」）、イントラネット、無線ネットワーク、及び／又は電話ネットワークを含む通信ネットワークとすることができる。例えば、ネットワーク１０は、ＷＡＮ、ＬＡＮ、及び／又は無線ネットワークを含むいくつかの異なる種類のネットワークを組み込むことができ、複数の異なるタイプのネットワークを含む１つのそのようなネットワークは、インターネットである。
【００５０】
ユーザ電子デバイス１８の各々は、タブレットコンピュータ、モバイル、スマート、及び／又はセルラー電話、携帯情報端末、Ｗｉ−Ｆｉデバイス、デスクトップコンピュータ、ラップトップコンピュータのような電子及び／又はコンピュータデバイスとすることができ、ネットワーク１０を通じて通信することができる。一般的に、図２に示して以下に更に説明するように、電子デバイス１８の各々は、例えば図２に示して以下に更に説明するように、１つ又はそれよりも多くのプロセッサ２２、メモリ及び／又は他のストレージデバイス２４、２５、通信インタフェース２６、及び／又はユーザインタフェース２８を含む携帯式又はモバイルデバイスとすることができる。例示的実施形態において、ユーザ電子デバイス１８の各々は、ｉＰａｄ（登録商標）又は他のタブレットデバイスとすることができる。
【００５１】
管理者サーバ１２は、１つ又はそれよりも多くのプロセッサ、メモリ、及び／又はストレージデバイス、及び例えば電子デバイス１８とネットワーク１０を通じて通信するための通信インタフェース（図示せず）を含む１つ又はそれよりも多くのコンピュータシステムを含むことができる。管理者１２は、本明細書の他の箇所で説明するように、システム８に関連付けられた様々な機能を実行するための１つ又はそれよりも多くのハードウエアベースの構成要素及び／又はソフトウエアベースのモジュールを含むことができる。例えば、管理者サーバ１２は、ａ）例えば、定期的に又は他に間欠的に医療データベース１４の一部を電子デバイス１８と同期し、ｂ）例えば、医療データベース１４を使用して、電子デバイス１８からの情報又は他の問合せに対する要求を受信してそのような問合せを処理し、及び／又はｃ）本明細書の他の箇所で更に説明するように電子デバイス１８との間での通信及び／又は他の情報の共有を容易にすることができる。
【００５２】
図示のように、管理者サーバ１２は、例えば、管理者サーバ１２が医療データベース１４と同じ物理的位置にある場合に、医療データベース１４と直接通信することができる。これに代えて、管理者サーバ１２及び医療データベース１４は、互いに異なる１つ又はそれよりも多くの場所に位置付けることができ、ネットワーク１０を通じて通信することができる。１つの管理者サーバ１２及び医療データベース１４だけが示されているが、単一管理者サーバ１２が複数及び／又は分散医療データベース１４（図示せず）、例えば、異なる地理的領域に対して責任がある各データベースと通信することができ、及び／又は複数の管理者サーバ（図示せず）を同じか又は異なる医療データベースのために提供することができることは認められるであろう。
【００５３】
図２を参照すると、本明細書に説明する方法を実行するための１つ又はそれよりも多くのハードウエア及び／又はソフトウエア構成要素を含む電子デバイス１８の例示的実施形態が示されている。図示のように、電子デバイス１８は、無線デバイス、例えば、タブレットコンピュータ、モバイル、スマート、及び／又はセルラー電話、携帯情報端末、Ｗｉ−Ｆｉデバイス、デスクトップコンピュータ、及びラップトップコンピュータなどとすることができ、ネットワーク１０（図示せず、図１を参照されたい）を通じて通信することができる。電子デバイス１８は、一般的に、例えば、以下に更に説明するように、患者情報、医師情報、施設情報、活動、及び在庫などを表示及び／又は修正するために、本明細書に説明する様々なタスクを完了するための例示的なプロセッサ２２のような１つ又はそれよりも多くのプロセッサを含む。入力／出力を管理するか又は浮動小数点演算を実行するための補助プロセッサ、シングル処理アルゴリズムのアーキテクチャ高速実行を有する専用マイクロプロセッサ、主処理システムの下位にあるスレーブプロセッサ（「バックエンドプロセッサ」）、及び／又はコプロセッサ（図示せず）のような追加のプロセッサ（図示せず）を提供することができる。そのような補助プロセッサは離散的プロセッサとすることができ、又はプロセッサ２２に統合することができる。
【００５４】
プロセッサ２２は、一般的に、通信バス２３に接続される。通信バス２３は、電子デバイス１８のストレージ及び／又は他の構成要素の間の情報転送を容易にするためのデータチャネルを含むことができる。データバス、アドレスバス、及び／又は制御バス（図示せず）を含む通信バス２３は、プロセッサ１２と通信するのに必要な信号を提供することができる。通信バス２３は、あらゆる公知のバスアーキテクチャ、例えば、業界標準アーキテクチャ（ＩＳＡ）、拡張業界標準アーキテクチャ（ＥＩＳＡ）、マイクロチャネルアーキテクチャ（ＭＣＡ）、周辺構成要素相互接続（ＰＣＩ）ローカルバス、ＩＥＥＥ４８８汎用インタフェースバス（ＧＰＩＢ）、及びＩＥＥＥ６９６／Ｓ−１００などを含むことができる。
【００５５】
電子デバイス１８は、メモリ及び／又はストレージデバイス、例えば、主メモリ２４及び２次メモリ又はストレージデバイス２５を含む。主メモリ２４は、プロセッサ２２で実行されるプログラムの命令及び／又はデータのストレージを提供することができる。例示的実施形態において、主メモリ２４は、動的ランダムアクセスメモリ（ＤＲＡＭ）及び／又は静的ランダムアクセスメモリ（ＳＲＡＭ）のような半導体ベースのメモリとすることができる。更に、同期動的ランダムアクセスメモリ（ＳＤＲＡＭ）、ラムバス動的ランダムアクセスメモリ（ＲＤＲＡＭ）、高誘電性ランダムアクセスメモリ（ＦＲＡＭ（登録商標））のような、並びに読取専用メモリ（ＲＯＭ）のような他の半導体ベースのメモリも提供することができる。
【００５６】
２次メモリ２５は、ハードディスクドライブ２５ａ及び／又は取外し可能ストレージドライブ２５ｂ、例えば、フラッシュドライブ、フロッピー（登録商標）ディスクドライブ、磁気テープドライブ、光学ディスクドライブ、ＣＤＲＯＭドライブ、及びＤＶＤＲＯＭドライブなど（図示せず）を含むことができる。取外し可能ストレージドライブ２５ｂは、公知の方式で取外し可能ストレージユニット（図示せず）から読み取る及び／又はこれに書き込むことができる。例示的実施形態において、取外し可能ストレージユニットは、フロッピーディスク、磁気テープ、光学ディスク、ＣＤＲＯＭディスク、及びＤＶＤＲＯＭディスクなどを含むことができ、取外し可能ストレージドライブ２５ｂから読み取る及び／又はこれに書き込むことができる。更に、取外し可能ストレージユニットは、コンピュータソフトウエア及びコンピュータデータを格納したコンピュータ使用可能ストレージ媒体を含むことができる。
【００５７】
任意的に、２次メモリ２５は、コンピュータプログラム及び／又は他の命令を電子デバイス１８にロードすることを可能にする他の構成要素を含むことができる。例えば、そのような構成要素は、プログラマブル読取専用メモリ（ＰＲＯＭ）、消去可能プログラマブル読取専用メモリ（ＥＰＲＯＭ）、電子的消去可能読取専用メモリ（ＥＥＰＲＯＭ）、又はフラッシュメモリ（ＥＥＰＲＯＭに類似のブロック指向メモリ）のような半導体ベースのメモリを含むことができる。同じく含まれるのは、ソフトウエア及びデータを取外し可能ストレージユニットから電子デバイス１８に転送することを可能にするあらゆる他のインタフェース及び取外し可能ストレージユニットである。
【００５８】
電子デバイス１８は、一般的に、１つ又はそれよりも多くの通信インタフェース２６、例えば、１つ又はそれよりも多くの送受信機、受信機、及び／又は送信機を含む。通信インタフェース２６は、ソフトウエア及び／又はデータを電子デバイス１８及び管理者サーバ１２、他の電子デバイス１８、及び／又は他の外部デバイス、ネットワーク、又は情報ソースの間で転送することを可能にする。通信インタフェース２６の例は、以下に限定されるものではないが、赤外線又は無線周波数（「ＲＦ」）インタフェース（Ｂｌｕｅｔｏｏｔｈ（登録商標）規格を使用するインタフェースなど）、モデム、ネットワークインタフェース（例えば、イーサネット（登録商標）カード）、通信ポート、及びＰＣＭＣＩＡスロット及びカードなどを含む。通信インタフェース２６は、イーサネット「ＩＥＥＥ  ８０２」規格、ファイバチャネル、デジタル加入者回線（ＤＳＬ）、非対称型デジタル加入者回線（ＡＤＳＬ）、フレームリレー、非同期転送モード（ＡＴＭ）、総合デジタル通信網（ＩＳＤＮ）、パーソナル通信サービス（ＰＣＳ）、送信制御プロトコル／インターネットプロトコル（ＴＣＰ／ＩＰ）、シリアル回線インターネットプロトコル／２点間プロトコル（ＳＬＩＰ／ＰＰＰ）のような業界推奨アーキテクチャ規格を実施することができる。通信インタフェース２６を通じて転送されるソフトウエア及び／又はデータは、電子、電磁、光学信号のような信号２７を使用して転送することができる。信号２７は、電線、ケーブル、光ファイバ、電話回線、セルラー電話リンク、無線周波数（ＲＦ）リンク、誘導リンク、及び／又は他の通信チャネルを使用して実施することができる。
【００５９】
コンピュータプログラミング命令、例えば、コンピュータプログラム、ソフトウエア、又はファームウエアは、主メモリ２４及び／又は２次メモリ２５に格納することができる。コンピュータプログラムは、通信インタフェース２６を通じて受信することができる。そのようなコンピュータプログラムは、実行された時に、電子デバイス１８が本明細書の他の箇所で説明する特徴の１つ又はそれよりも多くを実行することを可能にすることができる。
【００６０】
本明細書で使用する「コンピュータプログラム製品」は、電子デバイス１８にプログラミング命令を提供するのに使用されるあらゆる媒体を指すことができる。そのような媒体の例は、取外し可能ストレージドライブ２５ｂにおける取外し可能ストレージユニット、ハードディスクドライブ２５ａにインストールされたハードディスク、及び信号２７を含む。従って、コンピュータプログラム製品は、プログラミング命令を電子デバイス１８に提供するための手段を含むことができる。
【００６１】
本明細書に説明する方法及び／又は特徴がソフトウエアを使用して完了される場合に、ソフトウエアは、コンピュータプログラム製品に格納し、例えば、ハードディスクドライブ２５ａ、取外し可能ストレージドライブ２５ｂ、及び／又は通信インタフェース２６を使用して電子デバイス１８にロードすることができる。コンピュータプログラミング命令は、プロセッサ２２によって実行された時に、プロセッサ２２に本明細書に説明する方法及び／又は特徴を実行させることができる。これに加えて又はこれに代えて、本方法及び／又は特徴の１つ又はそれよりも多くは、主として特定用途向け集積回路（「ＡＳＩＣ」）のようなハードウエア構成要素を使用してハードウエアに実施することができる。
【００６２】
これに加えて、電子デバイス１８は、１つ又はそれよりも多くのユーザインタフェース２８、例えば、ディスプレイ又は他の出力デバイス２８ａ、及びキーボード、マウス、タッチパッド、音声認識デバイス、及び／又は他の入力デバイス２８ｂを含むことができる。入力デバイス２８ｂは、ユーザが電子デバイス１８のプロセッサ２２又は他の構成要素を制御する及び／又は他にこれと通信することを容易にすることができ、出力デバイス２８ａは、例えば、本明細書の他の箇所で説明するように、一連のメニュー、フィールド、ページ、及び／又は他の画像を提示するために望ましい方式で情報を提示する及び／又は操作することを可能にする。一実施形態において、電子デバイス１８は、ディスプレイ２８ａと入力デバイス２８ｂの両方として機能することができるタッチスクリーン（図示せず）を含むことができ、ユーザが、例えば、本明細書の他の箇所で説明するようにタッチスクリーン上の対応する画像をタッチ又は他に選択することにより、メニュー又は画像をスクロールし、及び／又はアイコンを選択することを可能にする。
【００６３】
任意的に、電子デバイス１８は、カメラ２９、音声認識デバイス、レコーダのような１つ又はそれよりも多くの追加の構成要素を含むことができる。例えば、本明細書の他の箇所で説明するように、ユーザは、カメラ２９にアクセスして、例えば、患者の治療中又は治療後に、１つ又はそれよりも多くの画像ファイルを一時的及び／又はローカルデータベースに追加することができる。
【００６４】
図３を参照すると、例えば、本明細書のシステム及び方法に従って医療サービス及び／又はデバイスに関連付けられた情報を精査及び／又は修正するために、図２（以下でも参照される）の電子デバイス１８のような電子デバイスを使用して利用可能なアプリケーションの一般的な機能及び／又はモジュールの例示的な構成が示されている。図３に示して以下に更に説明するように、例示的実施形態において、モジュールは、患者情報３２、医師情報３３、施設情報３４、在庫３５、活動３６、及び販売活動３７を含むことができる。
【００６５】
一般的に、電子デバイス１８は、電子デバイス１８のメモリ２４及び／又は２５にダウンロードされた及び／又は他に格納された１つ又はそれよりも多くのソフトウエア又は他のモジュールを含むことができる。例えば、アプリケーションは、例えば、管理者サーバ１２、一般アプリケーションサーバ、又は他の利用可能なサーバから、最初にネットワーク１０を通じてダウンロードすることができる。アプリケーションがメモリ２４及び／又は２５にダウンロード又は他に格納された時に、保存されているあらゆるモジュールに加えて、アプリケーションは、例えば、メモリ２５に無期限に格納される長期又はローカルデータベース、及び任意的に、例えば、メモリ２４及び／又は２５に格納される短期又は一時的データベースを生成することができる。
【００６６】
例えば、ローカルデータベースは、例えば、以下に更に説明するように、医療データベース１４の地理的領域又は他の望ましいセグメント内の患者、医師、ヘルスケア施設、及び在庫などに関する情報を含む管理者サーバ１２によって維持される医療データベース１４の少なくとも一部分を含むことができる。一時的データベースを使用して、例えば、電子デバイス１８のユーザが管理者サーバ１２に通信される前に（例えば、データが医療データベース１４と同期される前に）ローカルデータベースからの情報を修正した時に情報を格納することができる。ユーザは、例えば、情報要求から追加の情報を要求及び受信した時に一時的データベースを使用することができ、例えば、管理者サーバ１２によって１つ又はそれよりも多くのレポートが生成されることを要求し、及び／又は検索要求から例えば以下に更に説明するように医療デバイス在庫を検索することができる。
【００６７】
電子デバイス１８は、管理者サーバ１２を通じて一時的データベースからの情報を医療データベース１４と定期的及び／又は間欠的に同期することができ、その結果、修正された情報をローカルデータベースに格納し、例えば、ローカルデータベースを更新し、次に、一時的データベースをクリアすることができる。これに加えて又はこれに代えて、電子デバイス１８のユーザは、本明細書の他の箇所で説明するように、マニュアルで同期を要求することができる。
【００６８】
図４Ａ及び４Ｂを参照すると、アプリケーションが最初にトリガされた時にディスプレイ２８ａに提示することができる一般ページ又は画面が示されている。最初に、図３の「ログイン」３０に示すように、ユーザは、最初にユーザ名及びパスワードをディスプレイ２８ａに提示されたそれぞれのアクティブフィールド（図示せず）に例えば入力デバイス２８ｂを使用して入力するように促される場合がある（一般的にはタッチスクリーンとして本明細書に説明しているが、他の入力デバイスをタッチスクリーン上にこれに加えて又はこれに代えて使用することができることは認められるであろう）。ユーザ名及びパスワードの入力時に、プロセッサ２２は、ユーザがアプリケーションの使用を許可されていることを確認し、次に、図４Ａ及び４Ｂに示されている一般画面を提示することができる。
【００６９】
アプリケーションが初めてトリガされた時に、図３の段階３１で、ユーザは、電子デバイス１８のメモリ２５に格納されたローカルデータベースに含まれる及び／又は他にアプリケーションを使用して利用可能な情報を制限することができる受け持ち区域を選択するように要求される。受け持ち区域が選択された状態で、ローカルデータベースを生成し、例えば、管理者サーバ１２を通じて医療データベース１４の少なくとも一部分と同期させることができる。受け持ち区域が選択された後に、例えば、ユーザが受け持ち区域の変更を決定するまで、ユーザがログインした時の第１の選択受け持ち区域に次のセッションを設定することができる。代わりに、アプリケーションは、アプリケーションが続けてトリガされる度に受け持ち区域を選択するようにユーザに要求することができる。
【００７０】
図４Ａでは、「受け持ち区域」フィールド４０が選択され、相応にユーザに利用可能な（すなわち、ユーザ名及びパスワードが入力されて受け入れられたユーザに利用可能な）受け持ち区域のドロップダウンメニュー４２が示されている。ユーザは、望ましい受け持ち区域がメニュー４２の眼に見える部分に含まれるまでメニュー４２をスクロールすることができ、次に、ユーザは、例えば、望ましい受け持ち区域の上をタッチスクリーンで触れることにより、望ましい受け持ち区域を選択することができる。メニュー４２は、図４Ｂに示すように、「受け持ち区域」フィールド４０に望ましい受け持ち区域を残したまま閉じることができる。次に、ユーザは、「変更」アイコン又はボタン４４を選択し、望ましい受け持ち区域がいずれかの以前の受け持ち区域で置換されることを確認することができる。いずれの時間でも、ユーザは、図４Ａ及び４Ｂの一般ページに戻り、受け持ち区域選択アイコン又はボタン４７を選択することができ、例えば、ユーザは、別の許可された受け持ち区域への変更を望むことができ、それに応じて上述の手順を繰り返すことができる。
【００７１】
個々の又は新しい「受け持ち区域」が選択された時に、電子デバイス１８は、メモリ２５のローカルデータベースを同期し、選択された受け持ち区域のデータだけを含むことができ、例えば、別の以前に選択された受け持ち区域のいずれの情報も削除する。アプリケーションが前のセッションからトリガされた時に受け持ち区域が変更されなかった場合に、電子デバイス１８は、以前のローカルデータベースを保存することができるが、例えば、更に別のアクションを許可する前に最も新しい同期からのいずれかの変更によってローカルデータベースを更新するために同期することができる。
【００７２】
図４Ａに示すように、メニュー４２の「受け持ち区域」は、１つ又はそれよりも多くのそれぞれの地理的領域に対して監督するか又は他に責任のある受け持ち区域マネージャを表すことができる名前のリストである（一般的な又はでたらめな名が、図４Ａに示されているＡＢＣ  Ａ、ＡＢＣ  Ｂなどのように図面を通じて名前フィールドに提供されている）。これに代えて、受け持ち区域メニューは、地理的領域自体又は他のリミッターのリストを含むことができ、以下に更に説明するように、許可されたユーザによって選択されローカルデータベースを生成し、かつその受け持ち区域に対する情報を精査及び／又は修正することができる。例えば、一部の販売代理人又は他のスタッフは、複数の受け持ち区域マネージャと共に及び／又は複数の地理的領域内で働くことができる。
【００７３】
更に別の代替では、一部のユーザは、受け持ち区域、例えば、設定地理的領域に割り当てられた受け持ち区域マネージャを変更する権限を持たない場合があり、この場合に、ローカルデータベースは、ユーザがアプリケーションをトリガする度にその特定のユーザに対して同じ地理的領域又は他のファクタに基づくことができる。この代替の実施形態において、そのような専用受け持ち区域ユーザに対して、段階３１（図３）を省くことができ、及び／又は受け持ち区域選択ボタン４７を図４Ａ及び４Ｂの一般ページから除くことができる。
【００７４】
アプリケーションの使用中に、電子デバイス１８は、変更を医療データベース１４と定期的及び／又は間欠的に同期することができる。例えば、ユーザによって入力されたいずれの変更も、通信インタフェース２６を使用して管理者サーバ１２に（マニュアル又は予定に入れた同期時に）通信することができ、及び／又は医療データベース１４におけるいずれの変更も、通信インタフェース２６を通じてローカルデータベースに（マニュアル又は予定に入れた同期時に）通信することができる。同期の頻度を設定することができ、又はユーザにより、例えば、アプリケーション内の一般ページ又は他の位置のメニュー（図示せず）を使用して選択することができる。電子デバイス１８がネットワーク１０に現在接続されていない場合に、例えば、インターネット又は通信ネットワークへのアクセスを持たない場合に、ネットワーク接続が利用可能になった状態で、いずれの予定に入れた同期も自動的に開始することができる。任意的に、図４Ｂに示すように、いずれの時間にも、ユーザは、「マニュアル同期」アイコン又はボタン４６を選択し、望ましい頻度で医療データベース１４とのそのような同期を強制する。
【００７５】
図４Ａ−４Ｂに示すように、アプリケーションの使用中に電子デバイス１８のディスプレイ２８ａに表示されるページは、一般的に、メインメニュー４８及び情報フィールド４９を含む。図示のように、メインメニュー４８は情報フィールド４９に隣接して垂直に配置されるが、メインメニュー４８は、情報フィールド４９（図示せず）の上部又は底部にわたって水平に配置するか又は他に必要に応じて情報フィールド４９のいずれかの側面に代わって配置されることは認められるであろう。これに加えて又はこれに代えて、メインメニュー４８を一部のページで省くことができ、及び／又は「フェードアウト」させることができ、例えば、予め決められた停止の期間後にページから消す又はスライドさせ、ユーザがページの予め決められた領域を選択した時に戻し、情報フィールド４９に利用可能なエリアを最大にすることができる。
【００７６】
図示のように、メインメニュー４８は、例えば、図３に示すモジュールに対応する活動４８ａ、患者４８ｂ、医師４８ｃ、施設４８ｄ、在庫４８ｅ、及び任意的に販売活動４８ｆのようなユーザによって選択することができる利用可能なモジュールオプションを表示するアイコン又はボタンのセットを含むことができる。これらのオプション及び関連付けられた機能の各々を本明細書の他の箇所で更に説明する。任意的に、図示のように、メインメニュー４８は一般アイコン又はボタン４８ｇを含むことができ、例えば、マニュアル同期を終了し、受け持ち区域を変更し、及び／又はアプリケーションに対する他の設定を変更するために、いずれの時間にも図４Ａ及び図４Ｂに示すページにユーザが戻ることを可能にする。
【００７７】
患者情報モジュール３２（図３に図示）が、例えば、患者アイコン４８ｂを選択することによってメインメニュー４８から選択された時に、アプリケーションを使用して、例えば、治療の候補から治療の１つ又はそれよりも多くのステージの患者を識別し、モニタし、及び／又は管理することができる。図５を参照すると、例えば、脊髄刺激（「ＳＣＳ」）治療のような疼痛治療の関連において、患者情報モジュール３２を使用して患者及び患者情報を編成することができるステータスの例示的な流れ図が示されている。これに代えて、脳深部刺激（パーキンソン病、失調、本態性振戦、及び片頭痛など）、過活動膀胱の治療、及び／又は試験及び永久移植の管理に関わる場合がある他のタイプの医学的治療のような他の医学的治療に対して患者情報を編成することができる。これに加えて又はこれに代えて、ペースメーカー、除細動器、蝸牛刺激器、網膜刺激器、協働した四肢の動きを生成するように構成された刺激器、皮膚刺激器、脳深部刺激器、末梢神経刺激器、マイクロ刺激器、及び／又は尿失禁、睡眠時無呼吸、肩関節亜脱臼、及び頭痛などを治療するように構成された他の神経刺激器のような医療インプラント（試験及び永久的に移植されるシステムを含むことができ、又は含まなくてもよい）を伴う手順に対して患者情報を編成することができる。更に別の代替では、本明細書のシステム及び方法は、ぜんそくの治療のような外科以外及び／又は刺激ではない指示及び／又は手順を処理する及び／又は追跡するために使用することができる。
【００７８】
図示のように、患者情報は、６つのステージ、すなわち、候補ステージ５０、代理人コンタクトステージ５１、試験手術前ステージ５２、試験ステージ５３、移植準備ステージ５４、及び移植ステージ５５に基づいて分類することができる。任意的に、１つ又はそれよりも多くの追加のステージを必要に応じて追加することができる。例えば、本明細書の他の箇所で説明するように、移植後の経過観察（図示せず）と呼ぶ７番目のステージを追加することができる。６（又は他の事前に定義された数の）ステージは、本明細書の他の箇所で更に説明するように、治療を考えている及び受けている各患者の現在のステータスを容易に示すことができる。
【００７９】
最後に、例えば、患者が治療を完了したか又は提案される治療を進めることを拒否した後に予め決められた時間が経過した後の患者を非アクティブ５６として分類することができる。非アクティブになった状態で、例えば、本明細書の他の箇所で説明するように、患者の情報をアーカイブ、例えば、医療データベース１４だけに格納して個々の電子デバイス１８のローカルデータベースから取り除くことができる。
【００８０】
図６Ａを参照すると、患者アイコン４８ｂがメインメニュー４８から最初に選択された時にディスプレイ２８ａに提示することができる例示的な患者リストページ又は画面が示されている。図示のように、患者アイコン４８ｂが選択された時に、患者アイコン４８ｂが強調表示され、メインメニュー４８の他のアイコンは暗くなるか又は他に区別され、例えば、現在アクティブであるモジュールをユーザが識別し易いようにする。
【００８１】
一般的に、患者リストページの情報フィールド４９は、それぞれの列の上に複数の見出し６１０を含むタイトル行、及び次に個々の患者に対する（例えば、選択された受け持ち区域内のアクティブである患者に対する）患者情報の行６１２を含むことができる。図示の例示的実施形態において、見出し６１０は、名前６１０ａ、ステータス６１０ｂ、電話６１０ｃ、及びフラグ６１０ｄを含む。これらの見出し６１０の下の行６１２には、対応する情報、例えば、電子デバイス１８のローカルデータベースに含まれる患者のフルネーム、ステータス（例えば、図５に示すステージに基づく）、及び電話番号（又は代わりに他の好ましいコンタクト情報）でポピュレートすることができる。
【００８２】
図示のように、患者行の１つ又はそれよりも多くは、図６Ａに示す６１２ｄ−１のようにフラグ見出し６１０ｄの下のフラグによって強調することができ、例えば、患者リストの特定の名前に注意を引くことができる。例えば、フラグを追加又は強調して、新しく追加された患者、経過観察を予定されているか又は差し迫った締め切りのある患者などを示すことができる。許可される場合に、特定の患者の行のフラグエリア、例えば、フラグのオン又はオフをトリガすることができる望ましい患者に関連付けられた特定の患者行のフラグエリア、例えば、６１２ｄ−１に単純にタッチすることによってユーザによってフラグを追加することができる。これに加えて又はこれに代えて、第三者、例えば、管理者、チームメンバ、受け持ち区域マネージャ、又は管理者サーバ１２に（例えば、直接又は別の電子デバイス１８を通じて）アクセスする他の許可された人は、フラグを名前に追加することができ、例えば、医療データベース１４に新しく追加された患者、経過観察の予定、及び差し迫った締め切りを有するなどを強調することができる。ローカルデータベースが医療データベース１４と同期された時に、次にユーザが患者リストページを選択した時にあらゆるそのような追加される（又は取り除かれる）フラグを提示する（又は省く）ことができる。
【００８３】
これに加えて、図６Ａに示すように、患者リストは、医師のコンタクトアイコン６１２ｅの列６１０ｅ、患者情報アイコン６１２ｆの列６１０ｆ、及び「＞」（「キャロット」又は「詳細情報」）アイコン６１２ｇの列のような更に別の情報を提供する追加の列を含むことができる。医師コンタクトアイコン、例えば、アイコン６１２ｅ−１は、例えば、ステータス列に示された患者の現在のステージ中に関連付けられた患者を医師が治療していることを示すことができる。ユーザは、医師コンタクトアイコン６１２ｅ−１にタッチ（又は他に選択）することができ、相応に医師のコンタクト情報を含む補足ウィンドウ（図示せず）が患者リストの上に重ねられるか又は他にディスプレイ２８ａに示される。これに代えて、医師コンタクトアイコン６１２ｅ−１が選択された時は、アプリケーションが、患者リストを本明細書の他の箇所で説明するように医師情報モジュール３３を使用して及び／又はメインメニュー４８からの医師アイコン４８ｃを選択して利用可能になるような医師情報ページで置換することができる。
【００８４】
同様に、ユーザは、患者情報アイコン、６１２ｆ−１を選択することができ、その結果、関連付けられた患者に対する追加のコンタクト情報、例えば、メールアドレス、電話番号又はテキスト又はボイスコール、電子メールアドレス、介護者のような好ましい通信モードを含む補助ウィンドウ（図示せず）が、患者リストの上に重ねられるか又は他にディスプレイ２８ａに示される。これに代えて、患者情報アイコンが選択された時に、アプリケーションは、患者リストを図６Ｃに示され本明細書の他の箇所で説明するような患者情報ページ（図示せず）で置換することができる。「＞」アイコン６１２ｇは、関連付けられた患者に関する追加の情報が利用可能であることを示すことができる。この情報は、例えば、特定の患者に関連付けられた「＞」アイコンを選択することによって又はその特定の行における患者の名前又は他のフィールドに（その行における他の特定用途アクティブアイコン以外を）タッチ（又は他に選択）することによってアクセス可能である。そのような追加の情報が選択された時に、アプリケーションは、患者リストを図６Ｃに示す又は患者の現在のステータスに関連付けられた他の現在のページに示すような患者情報ページ（図示せず）で置換することができる。
【００８５】
患者の行の数が情報フィールド４９の利用可能なスペースを超えた場合に、ユーザは、例えば、指をタッチスクリーンの上下にスライドさせるか又は他に公知のインタフェース手順（アプリケーションを使用して表示される他のテーブルに類似）を使用して、患者のリストをスクロールすることができる。見出し行６１０は、実質的に固定のままにすることができ、患者行が、患者行の数及びユーザによって示されるスクロールの限度に応答して、情報フィールド４９を通じて移動し、情報フィールドの上部又は底部からスクロールして出ることができる。
【００８６】
図６Ａを参照すると、患者リストの情報は、いくつかの方法で編成、フィルタリング、及び／又は検索することができる。例えば、図示のように、情報フィールド４９の境界に沿って検索フィールド６１４を提供することができ、ユーザはこの検索フィールド６１４に検索語を打ち込み、患者行６１２に含まれる患者の数を制限することができる。例示的実施形態において、検索フィールド６１４が選択された時に、キーボード又は他のインタフェース（図示せず）をタッチスクリーン上に提示することができ、ユーザが、患者の姓、特定のステータス（例えば、候補）のような検索語を入力することを可能にする。次に、電子デバイス１８のプロセッサ２２は、患者をフィルタリングして、入力された検索語を満足させる患者だけを含むことができる。
【００８７】
これに加えて、患者リストはアルファベットメニュー６１６を含むことができ、ユーザが、例えば、望ましい文字をタッチ又は他に選択することにより、選択された文字で姓が始まる患者だけを含むように文字の１つを入力することができる。文字が選択された時に、その文字を強調表示させる及び／又は他に他の文字と区別することができ、例えば、選択された文字の識別を容易にする。これらの機能により、例えば、検索語が検索フィールド６１４から取り除かれるまで、又はアルファベットメニュー６１６から強調表示された文字を選択することにより、残りの患者行を取り除くことができる（その結果、強調表示された文字の選択を取り消し、他の文字と類似のステータスに戻すことができる）。これに代えて、文字がアルファベットメニュー６１６から選択された時に、アプリケーションは、名前の全てを維持することができるが、選択された文字で姓が始まるリスト上の位置に自動的にスクロールすることができ、例えば、患者の長いリストのスクロールを容易にする。
【００８８】
これに加えて、患者の行は、列６１０の１つ又はそれよりも多くに基づいて、例えば、名前６１０ａ、ステータス６１０ｂ、及び／又はフラグステータス６１０ｄ毎に並べ替えることができる。例えば、名前見出し６１０ａに隣接した「Ｖ」アイコンを選択して、姓名毎にアルファベット順に患者行を並べ替えることができ、例えば、「Ｖ」アイコンが選択される度にアルファベットの昇順及び降順を切り換えることができる（例えば、図示していないが「＾」アイコンによって「Ｖ」アイコンを切り換える）。同様に、ステータス見出し６１０ｂに隣接した「Ｖ」アイコンを選択して、各関連付けられた患者の治療のステージによって患者の行を並べ替えることができる（例えば、各ステージの患者を一緒に配置する及び次に名前見出し６１０ａに基づいてアルファベット順に列挙する）。例えば、患者行を選択して、図５に示すステータス順序に従って患者を配置することができる（患者の行が昇順及び降順の間で切り換えられる）。
【００８９】
最後に、フラグアイコン６１０ｄに隣接した「Ｖ」アイコンを選択して、強調表示されたフラグを含む全ての患者行を行の上部に移動することができ、例えば、患者の行が望ましい場合は名前見出し６１０ａ及び／又はステータス見出し６１０ｂによって並べ替えられる。例えば、ユーザは、この見出しを選択して、新しく追加された又は新しくステータスを変更された患者の全てを患者リストの上部に持ってくることができ、リスト全体をスクロールすることなく関連付けられた患者の精査を容易にすることができる。
【００９０】
任意的に、ユーザは、患者を患者リストに追加する機能及び／又は権限を有することができる。例えば、図６Ａに示すように、「＋」アイコン又はボタン６１８を例えば情報フィールド４９の境界に沿って含むことができ、ユーザによって選択して患者を追加することができる。例示的実施形態において、例えば、医師のオフィスで、オンライン、カンファレンス、セミナー、又は他の会議などで、患者が治療を考えることに関心を有することを示す新しい患者又はその介護者によって記入された情報カード又は他の質問をユーザに提供することができる。ユーザは、問合せによって提供されたあらゆる情報を含む患者を追加することができる。
【００９１】
図６Ｂを参照すると、「＋」ボタン６１８が図６Ａから選択された時に示される例示的な患者追加ページ又は画面が示されている。図示のように、患者追加ページは、一般的に、他のページに類似のメインメニュー４８及び情報フィールド４９を含む。しかし、患者リストの代わりに、いくつかの患者情報フィールド６２０が情報フィールド４９に示され、ユーザが追加される新しい患者に関する情報を入力することを可能にする。図示の例示的実施形態において、フィールドは、患者名フィールド６２０ａ（例えば、ラストネーム、ファーストネーム、及び任意的にミドルネーム又はイニシャル）、電話番号６２０ｂ（任意的に、追加のコンタクト情報に利用可能な追加のフィールドを有する）、及びソース６２０ｃを含むことができる。ソースフィールド６２０ｃを使用して、医療データベース１４に追加された患者の照会ソース、例えば、本明細書の他の箇所で説明するように、医師照会、オンライン質問、情報カードなどを識別することができる。任意的に、フィールドは、介護者フィールド６２０ｄを含むことができ、例えば、本明細書の他の箇所で説明するように、患者の介護者に関する情報及び／又は他の情報フィールド（図示せず）を入力することができる。
【００９２】
必要なフィールドが完成した時に、ユーザは保存アイコン又はボタン６２２ａを選択することができ、相応に新しい患者が一時的データベース及び／又はローカルデータベースに追加される。電子デバイス１８が管理者サーバ１２を通じて医療データベース１４と同期された時に、新しい患者の情報を医療データベース１４に追加することができる（及び患者を含む同じ受け持ち区域のデータを含むローカルデータベースを有する他のデバイスと同期することができる）。これに代えて、ユーザが患者を入力しないと決定した場合に、ユーザは、取り消しアイコン又はボタン６２２ｂを選択することができ、相応にフィールドがクリアにされる。保存ボタン６２２ａ又は取り消しボタン６２２ｂのいずれかが選択された状態で（任意的に、ユーザによって受け入れ又は拒否すべきである追加の確認ウィンドウ又はフィールドが示される）、図６Ｃに示して以下に更に説明するように患者追加ページがコンタクト情報ページで置換される。
【００９３】
これに加えて、新しく追加された患者は、図５で識別されるように、ステータス、例えば、候補ステージ５０を自動的に割り当てられる。この後で、患者リストがディスプレイ２８に（又はデータが同期された別の電子デバイス１８に）示された場合に、新しく追加された患者は、候補に設定されたそのステータスと共に患者リストに含まれる。
【００９４】
図６Ａを参照すると、患者の追加が成功した又は候補ステージの個々の患者が患者リストから選択された時に（例えば、「＞」アイコン６１２ｇ又は図６Ａに示す患者の行の他のアクティブフィールドを選択することにより）、コンタクト情報ページ又は画面が、図６Ｃに示すようにディスプレイ２８ａに示される。ここでもまた、コンタクト情報ページは、メインメニュー４８及び情報フィールド４９を含むことができ、これは、選択された患者に関連する情報を含むことができる。コンタクト情報ページは、患者の名前６２４ａ（例えば、図示の一般的な名前ＬＩＦ  ＨＳ）、及び任意的にユーザが様々なアクションを実行することを可能にする１つ又はそれよりも多くのメニューアイコン又はボタンを含むヘッダ６２４を含むことができる。
【００９５】
例えば、ヘッダ６２４は、患者アイコン又はボタン６２４ｂを含むことができ、これを選択して図６Ａの患者リストページ（又は図６Ｃのコンタクト情報ページの直前に示す他の以前のページ）に戻ることができる。ヘッダ６２４は、電子メール送信アイコン又はボタン６２４ｃを含むことができ、例えば、ユーザが、患者と通信することを可能にすることができる。例えば、電子メール送信ボタン６２４ｃが選択された時に、電子メールウィンドウ又はフィールド（図示せず）が情報フィールド４９の上に重ねられ、ユーザが望ましいメッセージを患者に入力することを可能にする。保存された状態で、例えば、電子デバイス１８が管理者サーバ１２を通じて医療データベース１４と同期された時に、メッセージを患者に送信することができる。サーバ１２は、メッセージが、同期されるデータに含まれることを識別することができ、メッセージを意図された患者に送信するように構成することができる。これに代えて、電子メールは、例えば、管理者サーバ１２との通信を必要とすることなく、電子デバイス１８に存在する電子メールソフトウエアによって直接に送信することができる。
【００９６】
これに代えて、電子メール送信ボタン６２４ｃを通信アイコン又はボタン（図示せず）で置換することができる。例えば、患者は、電子メール以外の通信、例えば、テキストメッセージ及びレギュラーメールなどを受信するための好ましいモードを有することができ、ボタン６２４ｃは、選択された時に通信の好ましいモードに設定することができる。
【００９７】
更に別の代替では、通信アイコン又はボタン（又は電子メール送信ボタン６２４ｃに隣接して提供される別のアイコン又はボタン）は、ユーザが、患者と通信し、過去の通信を精査し、及び／又は例えば本明細書の他の箇所で説明するように１つのステージから別のステージに進められた後に患者への送信を予定に入れた標準的な通信を修正又は無効にすることができる。例えば、通信ボタンが選択された場合に、患者への及び／又は患者からの過去の通信及び将来に予定に入れた通信などを含む別のページをディスプレイ上に提示することができる。ユーザは、あらゆるそのような通信を選択して精査することができ、修正又は取り消しのために将来の予定に入れた通信を選択することができ、及び／又は（自発的に又は患者からの質問又は他の通信に基づいて）患者に送信する新しい通信を生成することができる。
【００９８】
例えば、患者が治療の１つのステージから次のステージに進められた後に、例えば、次のステージに関する一般的な情報、人口動態情報、及び予定などを含む患者に送信するための１つ又はそれよりも多くの標準的な通信を予定に入れることができる。デフォルトは、事前に設定された時間後に（例えば、修正又は無効にする機会を提供するために）、又は患者に割り当てられた代理人の承認に応答してのみ、進行時に通信が自動的に送信されるようなものである。後者の状況では、承認された代理人は、予定に入れた通信を選択し、例えば、患者とのコンタクトに基づいて通信をカスタマイズするためにこれを修正し、（例えば、手順が再度予定に入れられているか又は患者が先に進むことを再度考慮しているので）通信を取り消すことができる。任意的に、例えば、情報をより繊細に又は明確に提示する異なるトーンを含む複数の通信を単一被験者に提供することができ、代理人は、例えば、患者による以前の体験に基づいて、患者に送信するための適切に調子を変えた通信を選択することができる。
【００９９】
図６Ｃを参照すると、コンタクト情報ページ（及び以下に更に説明するように他の個々の患者情報ページ）は、情報フィールド４９に隣接してスケール又はステータスインジケータ６２６を含むことができ、例えば、図６Ｃに示すようにメインメニュー４８の反対側のディスプレイ２８ａに垂直に沿って並ぶ。スケール６２６は、患者の現在のステータスの視覚的指示を提供することができる。例えば、図５に関し、スケール６２６は、図５に示すステージに対応する複数のインジケータ６２６ａ−６２６ｆを含むことができる。図示のように、第１のインジケータ６２６ａは、候補ステージ５０に対応し、第２のインジケータ６２６ｂが代理人コンタクトステージ５１、第３のインジケータ６２６ｃが試験手術前ステージ５２、第４のインジケータ６２６ｄが試験ステージ５３、第５のインジケータ６２６ｅが移植準備ステージ５４、及び第６のインジケータ６２６ｆが移植ステージ５５に対応することができる。任意的に、移植後経過観察のような追加のステージが患者に適用される場合は、１つ又はそれよりも多くの追加のインジケータ（図示せず）を提供することができる。
【０１００】
このようにして、スケール６２６は、選択された患者の現在のステージの迅速な視覚的インジケータをユーザに提供することができる。更に、インジケータ６２６ａ−６２６ｆは、選択された患者の現在のステージよりも前の情報ページへのショートカットを提供することができる。例えば、候補ステージ５０以外のいずれかのステージにある患者に対して、ユーザは、スケール６２６から前のインジケータ（現在強調表示されているインジケータの上）を選択して、患者に関する前の情報を精査することができる。例えば、移植ステージ５５の患者では（強調表示されている第６のインジケータ６２６ｆによって示される）、ユーザは、第６のインジケータ６２６ｆの上のインジケータのいずれも選択することができ、例えば、本明細書の他の箇所で説明するように試験ステージなどに関する前の情報を精査することができる。
【０１０１】
続けて図６Ｃを参照すると、候補ステージ（第１のインジケータ６２６ａ）にある患者では、情報フィールド４９が、患者の一般的なコンタクト情報を含むことができる。例えば、情報フィールドは、１つ又はそれよりも多くの名前フィールド６２０ａ（図６Ｃに図示せず）、電話番号フィールド６２０ｂ（複数の番号が提供された場合に開く及び／又はスクロールすることができる）、ソースフィールド６２０ｃ（例えば、患者がどうやって治療を学んだかを入力するための）、アドレスフィールド６２０ｄ（例えば、住所、都市、及び州など）、電子メールフィールド６２０ｅ、生年月日フィールド６２０ｆ、性別フィールド６２０ｇ、及び一般注釈フィールド６２０ｈを含むことができる。任意的に、コンタクトフィールドの１つ又はそれよりも多くは、患者に対する好ましい通信モードとして強調表示又は他に提示することができる。
【０１０２】
任意的に、図６Ｃ（１）及び図６Ｃ（２）に示すように、代替の実施形態において、コンタクト情報フィールドは、拡張するか又は折り畳むことができ、例えば、フィールドの最小数（例えば、図６Ｃ（１）に示すように、患者が次のステージに進む前に必要なフィールド）及びフィールドの最大数（例えば、図６Ｃ（２）に示すように任意的なフィールドを含む）を提供することができる。この代替では、予備のフィールド表示アイコン又はボタン６２８は、例えばヘッダに又は他に情報フィールド４９に隣接して提供することができる。図６Ｃ（１）に示す「オフ」位置にある予備フィールドボタン６２８により、患者名フィールド６２０ａ及びソースフィールド６２０ｃだけが示され、図６Ｃ（２）に示す「オン」位置にある予備フィールドボタン６２８により、任意的なフィールド６２０ｂ−６２０ｉの全てが示されている。アプリケーションにおける他のページと同様に、情報フィールド４９が小さすぎてページに含まれる情報の全てを含むことができない場合に、ユーザは、上下にスクロールしてページの領域間を移動して利用可能な情報の全てを見ることができる。
【０１０３】
図６Ｃを参照すると、コンタクト情報ページは、例えば、情報フィールド４９の底部に「代理人コンタクトステージに進む」アイコン又はボタン６３０を含むことができる。このボタン６３０は、コンタクト情報ページにおける必要なフィールドの全てが完了するまで非アクティブのままにすることができる。例えば、図６Ｃ（１）に示すように、名前フィールド６２０ａ及びソースフィールド６２０ｃだけを完成させる必要があり、それに応じて「進む」ボタン６３０が強調表示になるか又は他にアクティブになり、ユーザが次のステージに進むことができることを示す。次のステージ中のいずれの時間にも、ユーザは、例えば、患者に関する情報を追加、更新、及び／又は精査するために、コンタクト情報ページに戻ることができる。そのような変更を完了するために、ユーザは、図６Ｃに示す編集アイコン又はボタン６２４ｄを選択することができ、それに応じて情報フィールドはアクティブになり、ユーザが、上述のオリジナルのエントリと同様に変更を行えるようにする。
【０１０４】
任意的に、販売代理人又は他のユーザではなく、他のスタッフが、コンタクト情報ページを完成させることができる。例えば、管理者サーバ１２及び／又は医療データベース１４に（例えば、別の電子デバイス１８を使用して）アクセスすることを許可された第三者が、１つ又は複数の受け持ち区域に対する候補を入力することができる。この後で、ユーザがアプリケーションをトリガして医療データベース１４と同期した状態で、ユーザの受け持ち区域内の医療データベース１４に追加されたあらゆる新しい候補患者が、ローカルデータベースに追加される。
【０１０５】
図５に示す候補ステージ５０の完了に成功した後のいずれの時間にも、ユーザは、患者を選択して代理人コンタクトステージ５１に進めることができる。例えば、図６Ａの患者リストページから、ユーザは、望ましい患者（そのステータスがステータス見出し６１０ｂの下の候補である）を選択することができ、相応に図６Ｃに類似のコンタクト情報ページが示されている。次に、ユーザは、例えば、必要に応じて編集ボタン６２４ｄを選択した後に、進むボタン６３０を選択して、次のステージに進むことができる。
【０１０６】
任意的に、進むボタン６３０が選択された時に、１つ又はそれよりも多くの活動をアプリケーションによって生成することができる。例えば、名前、コンタクト情報のような患者情報を含む１つ又はそれよりも多くの予め決められた活動を含む活動ページを自動的に生成することができ、例えば、呼出しを予定に入れるか又は他に患者にコンタクトすることができる。アプリケーションは、活動に対するデフォルト日付（例えば、現在の日付から３０日）を自動的に選択することができ、又はユーザが日付及び／又は時間を選択して呼び出しを予定に入れることができる。更に、アプリケーションは、活動を現在のログインユーザに自動的に割り当てることができ、又はこれに代えてユーザは、責任者従業員、例えば、ユーザ自身又はそのチームの別のメンバを選択することができる。これに代えて、アプリケーションが自動的に活動を生成するのではなく、ユーザがマニュアルでメインメニュー４８から活動アイコン４８ａを選択して活動を入力することができる。活動ページの例を本明細書の他の箇所で更に説明する。
【０１０７】
これに加えて、任意的に、進むボタン６３０が選択された時に、１つ又はそれよりも多くの標準的な通信が、患者に送信されるように予定に入れられる。例えば、本明細書の他の箇所で説明するように、次のステージに関する一般的な情報は、例えば、患者に関連付けられた好ましい通信モードを通じて患者に送信することができる。任意的に、そのような通信を送信する前に、例えば、本明細書の他の箇所で説明するように、通信を送信しなければならず、通信を修正し及び／又は取り消さなければならないことを確認するために、患者に関連付けられた代理人に通知を送信することができる。そのような通信及び通知は、本明細書に説明するステージの各々中に予定に入れる及び／又は送信することができる。
【０１０８】
図６Ｄを参照すると、「代理人コンタクトステージに進む」ボタン６３０が図６Ｃの候補ステージページから選択された時に又はステータスが「代理人コンタクトステージ」である患者が図６Ａの患者リストから選択された時にディスプレイ２８ａに示される例示的な代理人コンタクトステージページ又は画面が示されている。一般的に、他のページと同様に、このページは、メインメニュー４８、ヘッダ６２４、及び情報フィールド４９を含むことができ、情報フィールド４９は、患者とのコンタクトに関連付けられた情報、例えば、図６Ｄ（１）及び図６Ｄ（２）に示すように、患者が治療を受けることに関心があるか否かを示す情報を含む。
【０１０９】
例えば、図６Ｄに示すように、情報フィールド４９は、第１のコンタクト日付フィールド６３２ａ（例えば、患者が最初に電話された、会った、そうでなければコンタクトが取られた時にユーザによって入力される）、医師情報フィールド６３２ｃ（例えば、主治医、照会中医師、及び試験中医師などを含む）、ＤＶＤ受信フィールド６３２ｄ、教育日付フィールド６３２ｅ（例えば、患者が治療オプション及び手順などに関する情報を受けたか否かを及び／又は時間を確認する）、アンバサダーフィールド６３２ｆ、及び注釈フィールド６３２ｇ（例えば、患者に関するあらゆる多岐にわたる望ましい情報をユーザが入力するための）などを含むことができる。更に、代理人コンタクトステージページは、例えば、情報フィールド４９の底部に「試験手術前ステージに進む」アイコン又はボタン６３４を含むことができ、これは、必要なフィールドの全てが完成されるまで非アクティブのままにすることができる。
【０１１０】
図６Ｄ（１）及び図６Ｄ（２）に示す実施形態において、情報フィールド４９を拡張するか又は折り畳むことができ、例えば、最小フィールド数（例えば、患者が図６Ｄ（１）に示すように次のステージに進む前に望ましいフィールド）及び最大フィールド数（例えば、図６Ｄ（２）に示すように任意的なフィールドを含む）を提供することができる。図６Ｄ（１）に示すように、必要なフィールドは、第１のコンタクト日付フィールド６３２ａ及び候補ステータスフィールド６３２ｂを含む。例えば、販売代理人、臨床の専門家、又は他のチームメンバは、患者と面談した時に、患者が、治療、例えば、初期又は試験治療に進むと決定したか否かを確認することができる。ユーザは、第１のコンタクト日付フィールド６３２ａにコンタクトの日付を入力することができ、任意的に、図６Ｄ（２）に示す拡張されたページの適切なフィールドに患者と共有されるか又は患者によって受信されるあらゆる次のコンタクト及び／又は情報を入力することができる。医師情報のような追加の情報は、ユーザによって入力することができ、又は患者に対して以前に入力された場合にアクセス可能である。
【０１１１】
初期又は次のコンタクト中に、ユーザは、患者が試験治療に進みたいか否かを尋ねることができる。例えば、疼痛管理治療では、試験は、例えば、一時的又は試験ベースの治療を提供するのに使用される外部コントローラ（図示せず）によって患者の身体の少なくとも一部に脊髄刺激システムのためのリード（図示せず）を移植するステージを含むことができる。他の試験手順は、本明細書の他の箇所に説明するように、患者の身体、例えば、脳、腹部のような他の位置にリード及び／又は他のシステムを移植するステージを含むことができる。試験後に、患者が永久移植治療に進みたい場合に、本明細書の他の箇所で説明するように、試験リード及び外部コントローラ（及び／又は他のシステム）を完全移植システムで置換することができる。
【０１１２】
患者が、彼らが試験治療に進みたいことを確認した場合に、ユーザは候補ステータスフィールド６３２ｂを選択することができ、その結果、例えば、「イエス」、「ノー」、又は「未決定」のような利用可能なオプションを含むメニューが示される。「イエス」が選択されて入力された時に、「進む」アイコン又はボタン６３４が強調表示されるか又は他にアクティブになり、次に、ユーザは、進むボタン６３４を選択してアプリケーションの次のステージに進むことができる。治療に関心がないことを患者が示す場合に、ユーザは、「ノー」を選択することができ、相応に患者は（例えば、確認プロンプト及び／又は予め決められた時間後に）非アクティブになり、例えば、図５に示す他のステージを省き、非アクティブ５６になり、相応に患者は最終的に記録される及び／又はアクティブデータベースから取り除かれる。
【０１１３】
進むか否かを考えていることを患者が示す場合に、ユーザは「未決定」を選択することができ、それによって図５の現代理人コンタクトステージ５１に患者を維持する。任意的に、このステータスが選択された時に、アプリケーションは、活動を入力するか否かを自動的にユーザに示すことができ、例えば、図６Ｅ又は９Ｃに示す本明細書の他の箇所に説明するものに類似のページ又は画面を提示し、患者の将来の呼出し又は他の経過観察を予定に入れる。そのような活動に対して予定に入れる日付及び／又は時間はデフォルトによって設定することができ（例えば、現在の日付から３０日）、又はユーザによって入力することができ、例えば、本明細書の他の箇所に説明する他の活動に類似である。
【０１１４】
情報フィールド４９における他の選択が、活動の入力に関する類似の質問を示すことができることは認められるであろう。例えば、図６Ｄ（２）に示すように、任意的なフィールドは、保険ステータス及び／又は要医療クリアランス６３２ｈを含むことができる。そのような承認がまだ受け取られていないことをユーザが選択又は入力した場合に、活動ウィンドウが開き、ユーザに対して経過観察呼出し、ミーティング、又は他の活動を例えば図６Ｅ又は９Ｃに示す活動追加ページと同様に患者の医師及び保険会社などと共に予定に入れるように示すことができる。
【０１１５】
図６Ｅを参照すると、ユーザが図６Ｄ（２）に示す代理人コンタクトステージページのような患者ページから活動を入力するように示された時にディスプレイ２８ａに示される例示的な患者活動ページ又は画面が示されている。他のページと同様に、患者活動ページは、メインメニュー４８（患者アイコン４８ｂが強調表示されている）、情報フィールド４９、及びヘッダ６３６を含む。ヘッダ６３６は、例えば、活動情報を保存するための保存アイコン又はボタン６３６ａ、及び例えば活動を取り消す（例えば、確認プロンプトの後に）及び図６Ｄ（２）に示すような以前の患者情報ページに戻るための患者名アイコン又はボタン６３６ｂ（例えば、患者の一般的な名前ＩＯＰＫＪを表示する）を含む。情報フィールド４９は、活動に関連付けられた１つ又はそれよりも多くのフィールド、例えば、日付及び時間フィールド６３８ａ、患者情報フィールド６３８ｂ、活動タイプフィールド６３８ｃ、従業員フィールド６３８ｄ（例えば、従業員の一般的な名前ＣＤＶ、Ａを表示する）などを含むことができる。
【０１１６】
図６Ｄの代理人コンタクトページのような患者情報ページからトリガされた活動に対して、フィールドの１つ又はそれよりも多くは、自動的にポピュレートすることができる。例えば、患者情報フィールド６３８ｂは、以前の患者情報ページから患者の名前を自動的に含むことができ、従業員フィールド６３８ｄは、電子デバイス１８にログインしたユーザの名前を含むことができる。トリガされた活動が経過観察呼出しである場合に（例えば、「未決定」であるか又は承認されていない保険ステータス又はクリアランスを有する患者に基づいて）、活動タイプフィールド６３８ｃを自動的に選択することができる及び／又は日付及び時間フィールド６３８ａに自動的にポピュレートすることができる（例えば、現在の日付から３０日又は他の事前設定時間の日付）。ユーザが、必要に応じて、呼出しを別のチームメンバに割り当て、日付を変更し、あらゆる未記入のフィールドに情報を入力することを要求する場合に、あらゆる事前に記入されたフィールドを選択及び編集し、次に、保存ボタン６３６ａを選択することができる。次に、活動ページを閉じることができ、以前のページ又は画面がディスプレイ２８ａに示される。
【０１１７】
図６Ｆを参照すると、「試験手術前ステージに進む」ボタン６３４が図６Ｄから選択された時又はステータスが「試験手術前ステージ」である患者が図６Ａの患者リストから選択された時にディスプレイ２８ａに提示することができる例示的な試験手術前ステージページ又は画面の一部が示されている。一般的に、他のページと同様に、このページは、メインメニュー４８、ヘッダ６２４、スケール６２６、及び情報フィールド４９を含むことができ、情報フィールド４９は、例えば、図６Ｆ（１）及び図６Ｆ（２）に示すように、保険情報、患者の病状のような試験治療に進むことに関連付けられた患者情報フィールド６４０を含む。スケール６２６は、強調表示された第３のインジケータ６２６ｃと暗くなった他のインジケータとを含むことができ、例えば、他の患者情報ページと同様に患者が試験手術前ステージにあるという視覚的指示を提供することができる。
【０１１８】
図示のように、ヘッダ６２４は、患者の名前６２４ａ、保存アイコン又はボタン６２４ｅ、及び取り消しアイコン又はボタン６２４ｆを含むことができる。例えば、ユーザは保存ボタン６２４ｅを選択して、情報フィールド６４０に入力されたいずれの変更された又は新しい情報も一時的及び／又はローカルデータベースに追加することができる。反対に、ユーザは取り消しボタン６２４ｆを選択して、情報フィールド６４０に入力されたいずれの変更された又は新しい情報も取り除くことができ、例えば、情報フィールド６４０を一時的及び／又はローカルデータベースからの以前の情報で置換するか又は以前の情報が入力されていなかった場合はフィールド６４０をブランク又はデフォルトに戻すことができる。
【０１１９】
任意的に、図６Ｆ（１）及び図６Ｆ（２）に示すように、情報フィールド４９を拡張するか又は折り畳むことができ、例えば、最小数のフィールド６４０（例えば、図６Ｆ（１）に示すように患者が次のステージに進むことができる前に必要なフィールド）及び最大数のフィールド６４０（例えば、図６Ｆ（２）に示すように任意的なフィールドを含む）を提供することができる。この実施形態において、予備フィールド表示アイコン又はボタン６２８を本明細書における他の患者情報ページと同様にヘッダ６２４に又は他に情報フィールド４９に隣接して提供することができる。
【０１２０】
これに加えて、試験手術前ステージページは、「試験手術前ステージに進む」アイコン又はボタン６４２を例えば情報フィールド４９の底部に含むことができ、これは、他の患者情報ページと同様に、必要なフィールドの全てが完成するまで非アクティブのままにすることができる。図６Ｆ（１）に示すように、必要なフィールドは、１次保険フィールド６４０ａ、疼痛エリアフィールド６４０ｂ、試験中医師フィールド６４０ｃ、及び予定試験日付フィールド６４０ｄを含むことができる。この（及び他の任意的な）情報は、患者、及び／又はその介護者及び医師などとの１つ又はそれよりも多くのインタビュー、電話、及び／又は他の診察からユーザによって取得することができる。
【０１２１】
例えば、ユーザは、１次保険フィールド６４０ｄを選択することによって患者の１次保険会社を入力することができ、相応にスクローリングメニュー（図示せず）がウィンドウに又は他に利用可能な保険会社のページに示され、ユーザはこれをスクロールして保険会社を選択することができる。これに代えて、フィールド６４０ｄ（及び／又は他のフィールド）は、例えばディスプレイ２８ａ上に、例えば情報フィールド４９の一部分の上に示すキーボード又は他のインタフェース（図示せず）を使用して保険会社の名前（及び／又は他の文字）をユーザが入力することを可能にするテキストボックスと単にすることができる。任意的に、図６Ｆ（２）に示すように、２次保険会社情報も、必要に応じて類似の方式で入力することができる。これに代えて、これらのフィールドの両方の一方は、例えば、患者に対して以前に入力された情報から予めポピュレートされている場合がある。
【０１２２】
同様に、疼痛エリアフィールド６４０ｂ及び／又は任意的なフィールド６４０ｅ−６４０ｇを使用して、患者の症状又は状態に関する情報を入力することができる。本明細書の他の箇所で説明するように、本明細書のシステム及び方法のための例示的なアプリケーションは、患者の疼痛治療のためのものであるが、本発明のシステム及び方法の異なる態様は、他の患者の病状及び／又は治療に適用することができることは認められるであろう。
【０１２３】
例えば、疼痛エリアフィールド６４０ｂ（又は、必要に応じて、示していない他の状態エリア）を選択することができ、その結果、利用可能な選択を含むスクローリングメニュー（図示せず）がページ上のウィンドウに示され、例えば、患者の身体の１つ又はそれよりも多くの領域（及び／又は、例えば、疼痛治療の代わりに他の医学的状態に対して使用される場合は他の症状）を識別する。ユーザは、例えば、疼痛（又は他の症状）を体験している患者からのフィードバックに基づいて、メニューから１つ（又は任意的により多く）の領域を選択することができ、これを保存してフィールド６４０ｂに表示することができる。フィールド６４０ｂが１つの領域しか受け入れない場合に、追加のフィールドを提供することができ、例えば、ユーザが疼痛を体験している患者の身体の追加の１次又は２次領域を入力することを可能にする。
【０１２４】
ユーザは、試験中医師フィールド６４０ｃにおける手順を実行するように予定に入れた医師の名前を入力することができる。例えば、ユーザはフィールド６４０ｃを選択することができ、相応に医師のメニュー（図示せず）が情報フィールド４９のウィンドウに示される。メニューは、患者に以前に関連付けられた１人又はそれよりも多くの医師の名前を含むように設定することができる。これに代えて、メニューは、地理的領域内又は他にローカルデータベースに含まれる医師全員の名前を含むことができる。ユーザは、利用可能なオプションをスクロールして適正な医師を選択することができる。更に別の代替では、試験中医師フィールド６４０ｃを選択することで、例えば、本明細書の他の箇所で説明する医師リストページに類似の新しいページを開くことができ、ユーザが、医師を選択し次に、図６Ｆの試験手術前ステージページに戻ることを可能にする。これに加えて又はこれに代えて、治療する患者を照会した医師を照会ＭＤフィールド６４０ｈに提示することができ、これは、早期の患者情報ページから自動的にポピュレートすることができる。
【０１２５】
任意的に、手順が実行されるように予定に入れた病院、医院、又は他のヘルスケア施設を識別するための試験中施設フィールド６４０ｉを提供することができる。例示的実施形態において、例えば、試験中医師フィールド６４０ｃに入力された試験中医師に関連付けられたデフォルト施設に基づいて施設フィールド６４０ｉを自動的にポピュレートすることができる。必要に応じて、次に、ユーザは、フィールド６４０ｉを選択して、例えば、施設をデフォルト以外の異なる施設に変更するために施設のメニュー（図示せず）を提示することができる。これに代えて、フィールド６４０ｉをブランクのままにすることができ、ユーザが、フィールド６４０ｉを選択してメニューから施設を選択することを可能にする。メニューは、地理的領域内、及び／又は他にローカルデータベースに含まれる試験中医師に関連付けられた全施設のリストを含むことができる。ユーザは、利用可能なオプションをスクロールして適正な施設を選択することができる。代わりに、試験中施設フィールド６４０ｆを選択することで、例えば、本明細書の他の箇所で説明する施設リストページに類似の新しいページを開くことができ、ユーザが施設リストから施設を選択することを可能にする。
【０１２６】
これに加えて、ユーザは、予定試験日付フィールド６４０ｄを選択して、試験手順の予定日付を入力することができる。例えば、ユーザはフィールド６４０ｄを選択することができ、相応にキーボード又は他のインタフェース（図示せず）が情報フィールド４９に示され、日付を例えばフィールド６４０ｄに示すフォーマットで入力することができる。代わりに、例えば、図６Ｋに示すものに類似のカレンダー又は他のメニュー（共に図示せず）が示され、ユーザがカレンダーをスクロール又は移動して望ましい日付を選択することを可能にする。任意的に、日付がフィールド６４０ｄに入力された時に、アプリケーションは、活動を入力し、例えば、手順に付き添う、手順のための部品を注文する、及び施設及び／又は試験中医師に通知又は確認するなどを行うようにユーザに促すことができる。例えば、日付が入力された後に、図６Ｅ又は９Ｃに示すような活動ウィンドウがディスプレイ２８ａに示され、少なくとも一部のフィールド、例えば、患者の名前、予定に入れた日付、試験中医師、施設、チームメンバ（デフォルトはユーザである）などを自動的にポピュレートすることができる。ユーザは、活動を保存して試験手術前ステージページに戻る前に変更したいあらゆる情報を修正及び／又はあらゆる他のフィールドの情報を追加することができる。例えば、別のチームメンバが手順に付き添うつもりである場合に、ユーザは、チームメンバを付き添うように予定に入れた人に変更することができる。
【０１２７】
任意的に、続けて図６Ｆ（２）を参照すると、ユーザは、例えば、患者及び／又はその介護者との１つ又はそれよりも多くのインタビュー又は他の診察に基づいて、患者に関連付けられた追加の情報を含むことができる。例えば、疼痛（又は他の病状）スコアをＶＡＳスコアフィールド６４０ｆに入力して、例えば、患者が体験していることを示す１−１０スケールに基づく疼痛の程度を示すことができる。これに加えて又はこれに代えて、ユーザは、例えば、患者の疼痛（又は他の病状）によって損なわれている患者が示す活動を示すために、疼痛によって制限される活動フィールド６４０ｇに１つ又はそれよりも多くの患者活動を入力することができる。
【０１２８】
試験手術前ステージページは、患者の病状及び／又は治療を識別及び／又は管理するための対話型の方法を提供することができる疼痛マップフィールド６４０ｅを含むことができる。例えば、図６Ｆ（２）に示すように、疼痛マップフィールド６４０ｅは、身体の少なくとも一部分のグラフィック画像６４４ａ、例えば、一般的な人間の身体の前後のシルエット又はそれを示す他の線を含むことができる。グラフィック画像は、図のように全体的な人間の身体の図を含むことができ、又はグラフィック画像は、人間の身体の一部分だけの図を含むことができ、例えば、患者の病状及び／又は治療に影響を及ぼす又は関わる可能な部分だけを含む。例えば、一部の治療では、グラフィック画像は、必要に応じて、身体の上半身、身体の胴、頭部及び肩、腹部、及び身体の下半身など（図示せず）だけを含むことができる。
【０１２９】
ユーザは疼痛マップフィールド６４０ｅを選択することができ、相応に身体の拡大グラフィック画像６４４ａが、図６Ｇに示すような新しいページ又は画面（例えば、「疼痛エリアマーク付け」ページとラベル付けされた）の情報フィールド４９に示される。このページでは、情報フィールド４９がアクティブ入力インタフェースになり、例えば、ユーザが、例えば患者との診察に基づいて、グラフィック画像６４４ａの上に重ねられるしるし６４６を入力することを可能にする。
【０１３０】
例えば、タッチスクリーンを使用して、ユーザは、ディスプレイ２８ａの上を指、スタイラス、ペン、又は他のツールなど（図示せず）で単純にタッチして移動し、次に、アプリケーションが、身体のグラフィック画像６４４ａに上に重ねるしるし６４６、例えば、線、ハッチング、及び数字などを描くことができる。図示のように、ユーザは、例えば、患者が疼痛を体験している領域（腰部領域）を識別して診察中に患者によって識別された疼痛スコア（５）を入力するために、身体６４４ａの腰部領域に円を描き身体の水平に数字「５」を書くしるし６４６を生成している。身体６４４ａの上に重ねられるいずれのしるし６４６も、身体に使用されたものとは異なる色で提供することができる。例示的実施形態において、身体６４４ａのグラフィック画像を黒とすることができ、患者がディスプレイ２８ａに示した時に追加されるしるし６４６を赤とすることができ、それによってしるし６４６を身体のグラフィック画像６４４ａ自体とは容易に区別することを可能にする。
【０１３１】
図示のように、疼痛エリアマーク付けページは、ユーザが、入力された情報、例えば、グラフィック画像６４４ａに追加されたしるし６４６を編集及び／又は保存することを可能にするための１つ又はそれよりも多くのアイコン又はボタンを含むことができる。例えば、図示のように、ユーザがしるしの入力を終え図６Ｆの試験手術前ステージページに戻りたいことを示すためにユーザによって選択することができる終了アイコン又はボタン６４４ｂを提供することができる。更に、追加されたしるしを編集するために、取り消しアイコン又はボタン６４４ｃ及び／又はリセットアイコン又はボタン６４４ｄを提供することができる。例えば、取り消しボタン６４４ｃを選択して、最も新しく追加されたしるしを取り除くことができ、及び／又はリセットボタン６４４ｄを選択して、ページが開かれてから追加された全てのしるしを取り除く（及びオリジナルブランクグラフィック画像６４４ａに戻る）ことができる。更に、ヘッダ６２４は、患者名（又は「取り消し」）アイコン又はボタン６２４ｇを含むことができ、これを選択して、グラフィック画像に追加されたしるしのいずれも保存することなく試験手術前ステージページに戻ることができる。任意的に、疼痛エリアマーク付けページは、１つ又はそれよりも多くのメニュー（図示せず）を含むことができ、例えば、ユーザが事前設定しるし、例えば、公知の描画補助に類似の形状、矢印、線、及び／又はテキストボックスを追加することを可能にする１つ又はそれよりも多くの描画ツールを提供する。
【０１３２】
終了ボタン６４４ｂが選択された時に、アプリケーションは、しるしを備えたグラフィック画像の複製を保存することができ、例えば、一時的及び／又はローカルデータベースに保存することができる診察画像を生成する。本明細書の他の箇所で説明するように、診察画像を後で使用して、ユーザ（又は同期後の診察画像を受信する別の電子デバイスを使用する別のチームメンバ）が、例えば、試験手順及び／又は追加の治療後に患者の治療を続けることを可能にすることができる。任意的に、ユーザは、診察画像の複製を作ることができ、例えば、複製を印刷し、又は患者、医師の１人又はそれよりも多くなどに電子メールで送信することができる。例えば、ユーザが診察画像の複製を印刷又は保存することを可能にする１つ又はそれよりも多くのアイコン又はボタン及び／又はメニュー（図示せず）を図６Ｇの疼痛エリアマーク付けページに又は図６Ｆの試験手術前ステージページに提供することができる。
【０１３３】
ユーザが図６Ｆの試験手術前ステージページに戻った時に、診察画像はブランクグラフィック画像６４４ａに置き換わり、例えば、それによって図６Ｈに示すものに類似のユーザによって追加されるしるしを含む縮小されたサイズの診察画像を提供する。診察画像、並びに試験手術前ステージページに入力された他の状態情報は、次の治療の間の患者の管理及び／又はモニタリングを容易にすることができる。例えば、以下に更に説明するように、情報の少なくとも一部を後のステージの患者情報ページに含むことができる。
【０１３４】
図６Ｈを参照すると、「試験ステージに進む」ボタン６４２が図６Ｆから選択された時又はステータスが「試験ステージ」である患者が図６Ａの患者リストから選択された時にディスプレイ２８ａに提示することができる例示的な試験ステージページ又は画面の一部分が示されている。試験ステージページは、患者が試験治療を受ける前、最中、又は後に（しかし、患者が試験治療に進みたいことを確認した後に）使用することができ、例えば、患者からのフィードバックを取得し、及び／又は患者が、永久、長期、又は他の次の治療に進みたいか否かを決定する。更に、試験ステージページを使用して、試験手順から販売及び／又は他の営業に関連付けられた情報を記録することができる。
【０１３５】
例えば、脊髄刺激（「ＳＣＳ」）疼痛治療に対して、試験ステージ中に、患者は、例えば、患者の脊髄に又は患者の脊髄に沿ってリードの試験セットが移植される外科手順を受けることができ、外部コントローラ（例えば、外部試験刺激器又は「ＥＴＳ」）がベルトの上に装着されるか又は他に患者の身体で運ばれる。ＥＴＳは、リードを通じて電気エネルギを患者の脊髄及び／又は身体の他の領域に運ぶように作動させることができる。他の手順（本明細書の他の箇所で説明するような）では、他の一時的又は試験システムを患者の身体に移植することができる。
【０１３６】
試験ステージページを使用して、患者及び／又は手順自体に対して使用されるシステムに関連付けられた情報を記録することができる。更に、１つ又はそれよりも多くの初期時間後、例えば、直後、１つ又はそれよりも多くの日数後、及び／又は１週間又はそれよりも多くの週間後に、患者は診察を受けて、本明細書の他の箇所で説明するように、その試験疼痛治療に関するフィードバックを取得し、及び／又は患者が試験システムを永久移植システムで置換したいか否かを決定することができる。更に、例えば、試験手順中に使用されるリード又はコントローラのような関連のあらゆるデバイスを販売又は他に営業に関する情報フィールド６５２に入力することができる。
【０１３７】
一般的に、図６Ｈに示すように、このページは、他のページと同様にメインメニュー４８、ヘッダ６２４、スケール６２６、及び情報フィールド４９を含むことができ、情報フィールド４９は、例えば、図６Ｈ（１）及び図６Ｈ（２）に示すような試験に関連付けられた患者情報フィールド６５０及び販売情報フィールド６５２を含む。図示のように、ヘッダ６２４は、試験手術前ステージページと同様に患者の名前６２４ａ、保存アイコン又はボタン６２４ｅ、及び取り消しアイコン又はボタン６２４ｆを含むことができる。例えば、ユーザは、保存ボタン６２４ｅを選択することによってフィールド６５０、６５２に入力された新しいか又は変更された情報を保存することができ、又は取り消しボタン６２４ｆを選択することによっていずれかの変更を取り消す（フィールドを以前のエントリ又はデフォルトに戻す）ことができる。スケール６２６は、強調表示された第４のインジケータ６２６ｄと暗くなった他のインジケータを有することができ、他のページと同様に患者の現在のステージの視覚的指示を提供することができる。
【０１３８】
任意的に、図６Ｈ（１）及び図６Ｈ（２）に示すように、情報フィールド４９を拡張するか又は折り畳むことができ、例えば、最小数の患者情報フィールド６５０及び／又は販売情報フィールド６５２（例えば、図６Ｈ（１）に示すように患者が移植準備ステージに進む前に必要なフィールド）及び最大数のフィールド６５０、６５２（例えば、図６Ｈ（２）に示すように任意的なフィールドを含む）を提供することができる。この実施形態において、本明細書における他のページと同様に、予備フィールド表示アイコン又はボタン６２８を例えばヘッダ６２４に又は他に情報フィールド４９に隣接して提供することができる。これに代えて、必要に応じて複数の拡張／折り畳みボタン（図示せず）を提供することができ、例えば、患者情報に関連付けられたページ及び／又は販売又は他の営業情報に関連付けられたページの一部を拡張又は折り畳むことができる。
【０１３９】
これに加えて、試験ステージページは、例えば、本明細書における他の患者情報ページと同様に、情報フィールド４９の底部に「移植準備ステージに進む」アイコン又はボタン６５４を含むことができ、必要なフィールドの全てが完成するまで非アクティブのままにすることができる。図６Ｈ（１）に示すように、必要なフィールドは、試験日付フィールド６５０ａ、試験中医師フィールド６５０ｂ、疼痛エリアフィールド６５０ｃ、試験結果フィールド６５０ｄ、及び候補ステータスフィールド６５０ｅを含むことができる。任意的に、必要なフィールドは、図示のように、試験Ｐ．Ｏ．日付フィールド６５２ａ、試験Ｐ．Ｏ．番号フィールド６５２ｂ、及び試験収益フィールド６５２ｃを含むことができる。
【０１４０】
図６Ｈ（２）に示す例示的実施形態において、任意的なフィールドは、疼痛マップフィールド６５０ｆ（図６Ｇに示して本明細書の他の箇所で説明する疼痛マップフィールド６４０ｅに類似）、追加の疼痛フィールド６５０ｇ、ＶＡＳスコアフィールド６５０ｈ、疼痛によって制限される活動フィールド６５０ｉ、追加の患者情報フィールド６５０ｊ（例えば、患者が眠る向き及び／又は患者の利き手を入力するための）、エントリ及びＥＴＳフィールド６５０ｋ（例えば、患者の身体にアクセスするための最も近い脊椎、及び／又は外部コントローラのための患者の身体の側面を識別するなどの試験リードが患者の身体に導入される位置を入力するための）、画像フィールド６５０ｌ（例えば、本明細書の他の箇所で説明するように手順から画像を保存するための）、手順注釈フィールド６５０ｍ（例えば、手術前及び経過観察注釈を入力するための）、疼痛緩和の％フィールド６５０ｎ（例えば、患者の診察の後に疼痛緩和の百分率を入力するための）、及び配置改善フィールド６５０ｏ（例えば、リードの位置を永久移植のためにどのように改善することができるかの説明を入力するための）などを含むことができる。
【０１４１】
フィールドの少なくとも一部は、試験日付、試験中医師、及び疼痛エリアのような試験手術前ステージページからの情報によって自動的に読み込まれる。情報が試験手術前ステージ中に入力された情報から変更された場合に、ユーザは関連するフィールドを選択してあらゆる望ましい変更を実行することができる。例えば、ユーザは、いずれかが変更された場合に試験日付フィールド６５０ａの実際の手順の日付を更新する及び／又は試験中医師フィールド６５０ｂの手順を実行する医師を更新することができる。そのような変更が行われた時に、例えば、以前の患者情報ページにおけるオリジナルソースフィールドも、変更された情報によって更新することができる。
【０１４２】
同様に、疼痛マップフィールド６５０ｆ、追加の疼痛フィールド６５０ｇ、ＶＡＳスコアフィールド６５０ｈ、制限された活動フィールド６５０ｉ、及び／又はその他は、試験手術前ステージページからの情報によってポピュレートすることができる。例えば、疼痛マップフィールド６５０ｆは、図６に関して上述したように、患者の診察の後に保存された診察画像を含むことができる。ユーザは、例えば、患者の診察に基づいて、手順の後にこれらのフィールドの１つ又はそれよりも多くを更新することができ、例えば、患者によって体験された疼痛軽減のレベル及び／又はその疼痛によって損なわれる活動を示す。任意的に、ユーザがこれらのフィールドのいずれかを変更した場合に、例えば、互いに隣接したフィールドに以前の情報（図示せず）に関する情報を保存することができ、試験手順の後に患者から受信したフィードバックとそのオリジナルの症状情報との比較を可能にする。
【０１４３】
これに加えて、ユーザは、図６Ｇに関して説明した手順と同様に、フィールド６５０ｆを選択することによって疼痛マップフィールド６５０ｆに示す診察画像を更新する及び／又はこれに情報を追加することができる。例えば、図６Ｉに示すように、疼痛マップフィールド６５０ｆが選択された時に、拡大されたグラフィック画像が新しいページ又は画面（「疼痛エリアマーク付け」又はそれ以外としてラベル付けされる）の情報フィールド４９に示される。情報フィールド４９は、アクティブ入力インタフェースになり、例えば、試験手順の後の患者の更に別の診察に基づいて、ユーザが、グラフィック画像６４４ａに重ねられる試験しるし６５８及びグラフィック画像６４４ａに以前に追加された診察しるし６４６を入力することを可能にする。
【０１４４】
例えば、図示のように、ユーザは、例えば、疼痛が軽減された患者の身体の領域を識別するために及び試験に続いて患者によって識別された新しい疼痛スコアを入力するために、身体６４４ａの腰部領域の上のハッチング及びオリジナルしるし６４６及び身体に隣接して書かれた数字「３」を含むしるし６５８を生成している。これに加えて又はこれに代えて、ユーザは、ＶＡＳスコアフィールド６５０ｈを患者の新しい疼痛スコアで更新することができる。
【０１４５】
診察画像の上に重ねられるあらゆる試験しるし６５８は、身体６６４ａ及び／又は診察しるし６４６に使用されたものとは異なる色で提供することができる。例示的実施形態において、試験しるしを黄色にすることができ、それによって試験しるし６５８を身体のグラフィック画像６４４ａ自体及び診察しるし６４６から容易に区別することができる。従って、図６Ｉに示すように、疼痛マップは、オリジナルの疼痛領域と、試験疼痛治療システムによって提供される範囲の両方を含むことができる。
【０１４６】
ユーザが疼痛マップへのいずれかの望ましいしるしの追加を終了した状態で、ユーザは、終了ボタン６４４ｂを選択して、ユーザがしるしの入力を終えて図６Ｈの試験ステージページへ戻ることを望んでいることを示すことができる。これに加えて又はこれに代えて、ヘッダ６２４は、患者名（又は「取り消し」）アイコン又はボタン６２４ｇを含むことができ、これを選択して、グラフィック画像に追加されたしるしのいずれも保存することなく試験ステージページに戻ることができる。
【０１４７】
終了ボタン６４４ｂが選択された時に、アプリケーションは、しるしを備えたグラフィック画像の複製を保存することができ、例えば、一時的及び／又はローカルデータベースに保存することができる試験治療画像を生成する。診察画像と同様に、試験治療画像を後で使用して、ユーザ（又は同期後に診察画像を受信する別の電子デバイスを使用する別のチームメンバ）が、例えば、永久ＳＣＳ移植手順及び／又は追加の治療の後に患者の追加の治療を続けることを可能にする。
【０１４８】
図６（Ｈ）２を参照すると、必要に応じて、ユーザは、１つ又はそれよりも多くの追加の画像ファイルを試験ステージページに関連付けることができる。例えば、図示のように、試験リード同期／プログラミング走査及びフルオロ画像添付フィールド６５０ｌを提供することができ、ユーザが、試験手順に関連付けられた画像ファイルを添付することを可能にする。ＳＣＳ試験手順中に、試験中医師は、例えば、蛍光透視又は他の画像化方法を使用して患者の身体に移植されたリードの位置を表示する患者の身体の１つ又はそれよりも多くの画像を取得することができる。
【０１４９】
ユーザが蛍光画像添付フィールド６５０ｌを選択した場合に、ウィンドウ又はページが試験ステージページの上に重ねられるか又は他にディスプレイ２８ａに示され、ユーザに示して、電子デバイス１８のカメラ２９を使用してデジタル写真を撮ることができる。試験中医師に確認した後に、ユーザは、望ましい蛍光透視画像の１つ又はそれよりも多くのデジタル写真を撮ることができ、これを一時的又はローカルデータベースに画像ファイルとして保存することができる。従って、例えば、患者の身体に移植されたリードのエントリサイト及び／又は他の位置を表示する試験手順からの画像を後の使用ために、例えば、本明細書の他の箇所で説明するように、移植準備又は移植ステージのような更に別の治療中に及び患者、医師との更に別の診察中などに保存することができる。
【０１５０】
任意的に、１つ又はそれよりも多くの画像ファイルが保存された状態で、サムネイル、タイトル、又は他の識別子を例えば保存されたファイルを示すために蛍光画像添付フィールド６５０ｌの下又は他に隣接して試験ステージページに追加することができる。次に、画像の識別子が選択された時に、新しいページが開き、ユーザが画像を見ることを可能にし、必要に応じてしるしを画像に追加することを可能にする。例えば、身体のグラフィック画像６４４ａの代わりに蛍光又は他の画像を除いて図６Ｇ又は図６Ｉの疼痛エリアマーク付けページに類似のページを提示することができる。類似のアイコン、ボタン、及び／又はメニューを提供することができ、ユーザが、オリジナル画像の上に重ねられるしるしを例えば画像自体とは異なる任意的に選択可能な色で追加することを可能にする。ユーザが修正された画像を保存した時に、オリジナル画像ファイルを追加されたしるしを含む新しい画像ファイルで置換することができる。これに代えて、ユーザは、例えば、ユーザがオリジナル画像、並びに修正された画像を保存したい場合に、異なる名前毎に修正された画像を保存するように促される場合がある。
【０１５１】
図６Ｈ（１）及び図６Ｈ（２）を参照すると、ユーザは、試験手順及び／又は患者情報から１つ又はそれよりも多くの画像を含むファイル（例えば、印刷又は電子メールすることができるＰＤＦ又は他の従来のファイル）を印刷、電子メール、及び／又は他に生成することができる。例えば、図示のように、フェイスシート生成アイコン又はボタン６５６を例えば図のように進むボタン６５４に隣接して試験ステージページに提供することができる。ユーザがフェイスシート生成ボタン６５６を選択した時に、フェイスシート生成ページ又は画面がディスプレイ上に提示され、図６Ｊに示すように、これはメインメニュー４８及びユーザが画像及び／又は他の情報を追加することができる複数の事前に定義された領域６６０を含む情報フィールド４９を含む。例えば、ユーザは、領域６６０の１つを選択することができ、相応にメニューがフェイスシートページに重ねられるか又は他にディスプレイ２８ａに示され、ユーザが、例えば、患者に関連付けられた画像のリストから画像ファイルを選択することを可能にする。ユーザは、必要とされるだけ多くの画像を選択することができる。
【０１５２】
これに代えて、フェイスシートページは、１つ又はそれよりも多くのデフォルト領域を含むことができ、例えば、予め決められた画像及び／又は情報を含む。例えば、領域の１つは、図６Ｉに示すように、患者に関連付けられた疼痛マップ試験治療画像を含むように設定することができる。別の領域は、図６Ｈ（２）に示すフィールド６５０ｃ、６５０ｇ、６５０ｈ、６５０ｉに含まれるような試験に関連付けられた患者情報、例えば、患者の名前、医師など及び／又は疼痛情報を含むことができる。ユーザは、必要に応じてデフォルト領域を置換することができ、又は単純に他の画像を利用可能な他の領域に追加することができる。
【０１５３】
ユーザがいずれの望ましい画像又は情報も追加した状態で、ユーザはフェイスシート送信アイコン又はボタン６６２を選択することができ、その結果、アプリケーションは、フェイスシートファイル、例えば、ＰＤＦファイルを生成することができ、又は利用可能なプリンタに即座に示してフェイスシートのハードコピーを生成することができる。いずれの時間にも、ユーザは、例えば、ヘッダの患者名アイコン又はボタン６２４ｇを選択して、図６Ｈの試験ステージページに戻ることができる。
【０１５４】
図６Ｈの試験ステージページに戻ると、試験手順の後に、ユーザに、試験結果フィールド６５０ｄのエントリを選択するように要求することができる。フィールド６５０ｄが選択された時に、利用可能なオプションのメニュー（図示せず）がディスプレイ２８ａに示されているか又はユーザがエントリを打ち込むことができるエンプティフィールドを提供する。例示的実施形態において、試験結果メニューが、「完了」、「保留」、及び「失敗」のようなオプションを含むことができる。例えば、試験手順が無事に完了した場合に、ユーザは、「完了」オプションを選択して手順の成功を示すことができ、これは患者が経過観察及び／又は更に別の治療の診察を受ける前に必要な述語である。
【０１５５】
試験手順が完了しなかった場合に、ユーザは「延期」を選択して、例えば、患者又は医師の予定、紛争、又は他の問題のために手順が取り消されたことを示すことができる。任意的に、「延期」オプションが選択された時に、ユーザは、試験日付フィールド６５０ａに新しい試験日付を入力し、又はフィールド６５０ａをブランクにする及び／又は延期の理由を提供するように設定するように促される場合がある。これに加えて、アプリケーションは、ユーザに新しい活動、例えば、経過観察電話、又は患者、試験中医師、及び施設などとの他のコンタクトに入り、新しい試験日付を設定するように促すことができる。「失敗」オプションが選択された場合に、ユーザに手順の失敗の理由を提供するように促すウィンドウ又はフィールドが示されている。失敗手順の事象において、アプリケーションは、ユーザに例えば「延期」オプションと同様に新しい活動に入るように促すことができる。
【０１５６】
試験手順の完了が成功した後に、ユーザは、例えば、試験の結果を経過観察し、及びそのような診察に基づいて試験ステージページに情報を追加するために、１つ又はそれよりも多くの状況で患者と面談することができる。例えば、ユーザは、患者との面談に基づいて、例えば、オペレーション直後、１−２日後、及び３−７日後に疼痛緩和の％フィールド６５０ｎに情報を及び／又は注釈フィールド６５０ｍに注釈を入力することができ、及び／又は試験手術前ステージから読み込まれた疼痛フィールド６５０ｃ、５４０ｇ、６５０ｈ、又は６５０ｉの情報を更新することができる。患者が試験を完了した状態で、ユーザは患者と面談して、患者が永久移植又は他の更に別の治療に進みたいか否かを決定することができる。例えば、ユーザは、候補ステータスフィールド６５０ｅを選択して患者のステータスを入力することができる。患者が永久移植治療に進みたいことを患者が確認した場合に、ユーザは候補ステータスフィールド６５０ｂを選択することができ、その結果、例えば、「イエス」、「ノー」、又は「未決定」という利用可能なオプションを含むメニューが示される。
【０１５７】
「イエス」が選択され入力された時に、「移植事前ステージに進む」アイコン又はボタン６５４が強調表示されるか又は他にアクティブになる（他の必要なフィールドの全ても記入されたと仮定する）。次に、ユーザは、進むボタン６５４を選択して、本明細書の他の箇所で更に説明するように、アプリケーションの次のステージに進むことができる。患者が将来の治療に関心がないことを患者が示した場合に、ユーザは「ノー」を選択することができ、相応に患者は非アクティブになり（例えば、確認指示及び／又は予め決められた時間後に）、例えば、図５に示す他のステージを省略して非アクティブ５６に進み、相応に患者は最終的に記録され、及び／又はアクティブデータベースから取り除かれる。最後に、患者が進むか否かを考えている場合に、ユーザは「未決定」を選択することができ、それによって図５の現在の試験ステージ５３に患者を維持する。任意的に、このステータスが選択された時に、アプリケーションは、例えば、図６Ｅ又は９Ｃに示すような活動追加ページを提示して、活動を入力するか否かを自動的にユーザに促すことができ、本明細書の他の箇所で説明するように患者への将来の電話又は他の経過観察を予定に入れる。
【０１５８】
これに加えて、試験治療が完了した後に、ユーザは、リードプル日付フィールド６５０ｐに患者の身体からいずれかの移植されたデバイスを取り除く日付を予定又は入力することができる。例えば、試験ＳＣＳ疼痛治療では、試験リードは、患者の身体から取り除く必要があり、例えば、永久移植リード及び移植コントローラ（試験中に使用された外部コントローラではなく）に交換しなければならない。ユーザは、例えば、患者、試験中医師、及び治療施設などとの面談後に、フィールド６５０ｐに予定に入れた除去の日付を入力することができる。日付がリードプル日付フィールド６５０ｐに入力された時に、ユーザは、活動を生成し、例えば、図６Ｅ又は９Ｃに示すような活動追加ページを提示し、本明細書の他の箇所で説明する他の活動と同様に、手順自体に付き添う又は活動を別のチームメンバに割り当てるように促される場合がある。
【０１５９】
図６Ｈ（１）及び図６Ｈ（２）を参照すると、試験ステージページを使用して、試験手順に関連付けられた販売及び／又は営業情報を記録することができる。例えば、試験に進みたいことを患者が確認した時に、ユーザに、例えば、医師のオフィス、関連付けられた施設などから、使用されるシステムに対する購入注文を提供する。日付、Ｐ．Ｏ．番号、及び購入者のオーダの額をフィールド６５２ａ、６５２ｂ、６５２ｃそれぞれに入力することができる。任意的に、ユーザは、試験手順中に使用されるリード、コントローラ、及び／又はシステムの他のデバイスに関する情報、例えば、図６Ｈ（２）に示すそれぞれのフィールド６５２における製造番号及びシステムモデルなどを入力することができる。
【０１６０】
図６Ｋを参照すると、「移植準備ステージに進む」ボタン６５４が図６Ｈから選択された時に又はステータスが「移植準備ステージ」である患者が図６Ａの患者リストから選択された時に、ディスプレイ２８ａに提示することができる例示的な移植準備ステージページ又は画面が示されている。移植準備ステージページは、患者が成功試験治療を受けて更に永久移植又は他の次の治療に進みたいことを確認した後に使用することができる。
【０１６１】
例えば、移植ステージ中の脊髄刺激（「ＳＣＳ」）疼痛治療に関し、リード及びコントローラの永久セットを例えば患者の脊髄に又は脊髄に沿って及び／又は患者の身体の他の場所に移植することができる。他の手順（本明細書の他の箇所で説明するような）では、他の永久又は長期システムを患者の身体に移植することができる。移植準備ステージページを使用して、移植手順の予定に関連付けられた情報を記録することができる。
【０１６２】
一般的に、図６Ｋに示すように、ページは、メインメニュー４８、ヘッダ６２４（例えば、他のページに類似）、スケール６２６（第５のインジケータ６２６ｅが強調表示されている）、及び情報フィールド４９を含むことができ、情報フィールド４９は移植手順情報フィールド６６４を含む。任意的に、情報フィールド４９を拡張するか又は折り畳むことができ、例えば、最小数の必要なフィールドと最大数のフィールド（図示せず）の間で切り換えることができ、この場合に、他の患者情報ページと同様に予備フィールド表示アイコン又はボタン（図示せず）を提供することができる。移植準備ステージページは、例えば、情報フィールド４９の底部に、「移植ステージに進む」アイコン又はボタン６６８を含むことができ、本明細書における他のページと同様に必要なフィールドの全てが完了するまで非アクティブのままにすることができる。
【０１６３】
例示的実施形態において、必要なフィールドは、移植中医師フィールド６６４、移植中施設フィールド６６４ｂ、及び予定に入れた移植日付フィールド６６４ｄを含むことができる。任意的に、フィールド６６４は、移植診察日付フィールド６６４ｃ、注釈フィールド６６４ｅ、及び／又は移植許可日付フィールド（図示せず）を含むことができる。任意的に、移植中医師及び移植中施設フィールド６６４ａ、６６４ｂは、試験手順からの同じ医師及び施設に設定することができ、又はフィールド６６４ａ、６６４ｂを本明細書における他の方法と同様にユーザが医師及び施設を選択及び入力又は選択するまでブランクに設定することができる。ユーザは、例えば、移植に進む患者の意図を確認する及び／又はいずれかの追加の情報を患者に提供するために、患者の診察の後に移植診察日付フィールド６６４ｃを選択する及び／又は注釈フィールド６６４ｅに注釈を入力することができる。
【０１６４】
日付が移植手順に対して予定された状態で、ユーザは予定に入れた移植日付フィールド６６４ｄを選択して、例えば、図６Ｋに示すようなカレンダーメニューから日付を入力することができ、又はフィールドの適切な部分（図示せず）にマニュアルで日付を入力する。必要なフィールド６６４が記入された状態で、進むボタン６６８が他のページと同様に強調表示される及び／又はアクティブになり、その結果、ユーザは、進むボタン６６８を選択して患者のステータスを移植ステージに進めることができる。
【０１６５】
図６Ｌを参照すると、「移植ステージに進む」ボタン６６８が図６Ｋから選択された時に又はステータスが患者が「移植ステージ」である患者が図６Ａの患者リストから選択された時に、ディスプレイ２８ａに提示することができる例示的な移植ステージページ又は画面の一部が示されている。試験ステージページと同様に、患者が永久移植手順又は試験に続く他の次の治療を受ける前、最中、又は後に移植ステージページを使用することができ、例えば、手順からの情報を記録し、患者からフィードバックを取得し、及び／又は移植手順から販売及び他の営業に関連付けられた情報を記録する。
【０１６６】
例えば、脊髄刺激（「ＳＣＳ」）疼痛治療では、移植ステージ中に、患者は、リード及びコントローラの永久セットが例えば本明細書の他の箇所に説明するように患者の脊髄に又は脊髄に沿って又は患者の身体の他の場所に移植される外科的手順を受けることができる。他の手順（本明細書の他の箇所で説明するような手順）では、他の永久的又は長期のシステムを患者の身体に移植することができる。
【０１６７】
一般的に、図６Ｌに示すように、ページは、メインメニュー４８、ヘッダ６２４、スケール６２６（第６のインジケータ６２６ｆが強調表示されている）、及び情報フィールド４９を含むことができ、情報フィールド４９は、例えば、図６Ｌ（１）及び図６Ｌ（２）に示すように、移植手順に関連付けられた患者情報フィールド６７０及び販売情報フィールド６７２を含む。任意的に、図６Ｌ（１）及び図６Ｌ（２）に示すように、情報フィールド４９を拡張するか又は折り畳むことができ、例えば、試験ステージページと同様に、患者情報フィールド６７０及び／又は販売情報フィールド６７２の最小と最大数を切り換える。
【０１６８】
図６Ｌ（１）に示すように、最小化情報フィールド４９は、図示のように、移植日付フィールド６７０ａ、移植中医師フィールド６７０ｂ、疼痛エリアフィールド６７０ｃ、移植Ｐ．Ｏ．日付フィールド６７２ａ、移植Ｐ．Ｏ．番号フィールド６７２ｂ、移植収益フィールド６７２ｃ、及びＳＣＳシステムフィールド６７２ｄを含むことができる。
【０１６９】
反対に、図６Ｌ（２）に示すように、最大化情報フィールド４９は、疼痛マップフィールド６７０ｆ（図６Ｇ及び図６Ｉに示されている疼痛マップフィールド６４０ｅ、６５０ｆと同様）、ＶＡＳスコアフィールド６７０ｈ、疼痛によって制限される活動フィールド６７０ｉ、追加の患者情報フィールド６７０ｊ、画像フィールド６７０ｌ、及び注釈フィールド６７０ｍを含むことができ、試験ページの対応するフィールドと同様に、選択及び編集などを行うことができる。
【０１７０】
フィールドの少なくとも一部には、試験ステージページと同様に、移植日付、移植中医師、及び疼痛エリアフィールド６７０ａ−６７０ｃのような移植準備ステージページからの情報を自動的にポピュレートすることができる。情報が移植準備ステージ中に入力された情報から変更された場合に、ユーザは関連のあるフィールドを選択していずれかの望ましい変更を実行することができる。同様に、疼痛マップフィールド６７０ｆ、ＶＡＳスコアフィールド６７０ｈ、制限される活動フィールド６７０ｉ、及び／又は他に移植準備ステージページからの情報でポピュレートすることができる。
【０１７１】
例えば、疼痛マップフィールド６７０ｆは、図６Ｉに関して上述したように、試験後の患者の診察の後に保存された試験治療画像を含むことができる。ユーザは、例えば、患者の診察に基づいて、手順の後にこれらのフィールドの１つ又はそれよりも多くを更新することができる。任意的に、ユーザがこれらのフィールドのいずれかを変更した場合に、例えば、試験前診察、試験手順、及び移植手順の間の患者から受信したフィードバックの比較を可能にするために互いに隣接したフィールドに以前の情報（図示せず）に関して情報を保存することができる。
【０１７２】
これに加えて、ユーザは、図６Ｇ及び図６Ｉに関して説明した手順と同様に、フィールド６７０ｆを選択することにより、疼痛マップフィールド６７０ｆに示す試験治療画像を更新する及び／又は情報を追加することができる。例えば、疼痛マップフィールド６７０ｆが選択された時に、拡大グラフィック画像が新しいページ又は画面（図示せず）の情報フィールド４９に示され、例えば、ユーザが、移植手順の後の患者の更に別の診察に基づいて、試験治療画像上に重ねられた移植しるし（図示せず）を入力することを可能にする。試験治療画像の上に重ねられるいずれの移植しるし６５８も、身体６４４ａ及び／又は以前のしるし６４６、６５８に使用されたものとは異なる色、例えば、緑又は青で提供され、移植しるしの区別を容易にする。ユーザがいずれかの望ましいしるしを疼痛マップに追加し終えた状態で、ユーザは、終了ボタン（図示せず）を選択して変更を保存し、図６Ｌの移植ステージページに戻ることができる。終了ボタンが選択された時に、アプリケーションは、しるしを備えたグラフィック画像の複製を保存することができ、例えば、一時的及び／又はローカルデータベースに保存することができる移植治療画像を生成する。
【０１７３】
図６Ｌ（２）を参照すると、必要に応じて、ユーザは、例えば、試験ステージページと同様にリード同期／プログラミング走査及び／又は蛍光画像添付フィールド６７０ｌを使用して、１つ又はそれよりも多くの追加の画像ファイルを移植ステージページに関連付けることができる。例えば、移植手順中に、移植中医師は、患者の身体の１つ又はそれよりも多くの画像を取得することができ、ユーザは、電子デバイス１８のカメラ２９を使用して画像のデジタル写真を撮ることができる。任意的に、ユーザは、引き続き画像の１つを選択してしるしを追加することができ、これを例えば本明細書の他の箇所で説明するように、画像自体とは異なる任意的に選択可能な色でオリジナル画像に重ねることができる。
【０１７４】
図６Ｌ（１）及び図６Ｌ（２）を参照すると、ユーザは、試験手順及び／又は患者情報（例えば、プリント又は電子メールで送信することができるＰＤＦ又は他の従来のファイル）からの１つ又はそれよりも多くの画像を含むファイルをプリント、電子メール送信、及び／又は他に生成することができる。例えば、図示のように、フェイスシート生成アイコン又はボタン６５６を移植ステージページに提供することができ、本明細書の他の箇所で説明するように試験ステージページのフェイスシート生成ボタン６５６と同様に使用することができる。
【０１７５】
図６Ｌの移植ステージページを参照すると、移植手順の完了が成功した後に、ユーザは、１つ又はそれよりも多くの機会に患者を診察することができ、例えば、試験の結果を追跡し、及び例えば試験ステージページと同様にそのような診察に基づいて移植ステージページに情報を追加する。更に、移植手順の後に、ユーザは、例えば、手術後／切開検査日付、再プログラミング／経過観察日付、及び照会中医師経過観察日付フィールド６７０ｑに１つ又はそれよりも多くの経過観察日付を予定に入れるか又は入力することができる。例えば、ユーザは、例えば、患者、移植中医師、照会中医師、及び治療施設などとの診察の後に、これらのフィールド６７０ｑに適切な日付を入力することができる。日付がこれらのフィールド６７０ｑの１つに入力された時に、ユーザに示して活動を生成することができ、例えば、図６Ｅ又は９Ｃに示すように活動追加ページを提示して、本明細書の他の箇所で説明する他の活動と同様に、経過観察に付き添う又は活動を別のチームメンバに割り当てる。
【０１７６】
図６Ｌ（１）及び図６Ｌ（２）を参照すると、移植ステージページを使用して、移植手順に関連付けられた販売及び／又は営業情報を記録することができる。例えば、移植に進みたいことを患者が確認した時に、ユーザは、日付、Ｐ．Ｏ番号、及び購入者のオーダの額を入力することができ、フィールド６７２ａ、６７２ｂ、６７２ｃにそれぞれ入力される。任意的に、ユーザは、移植手順中に使用されるシステムに関する情報を入力することができ、例えば、ＳＣＳシステムフィールド６７２ｄで使用されるモデルシステムを識別する。
【０１７７】
図５を参照すると、任意的に、移植経過観察ステージ（図示せず）を移植ステージ５５の後に含むことができ、例えば、予め決められた間隔及び／又は移植ステージ後の他の時間に更に別の患者経過観察に関連付けられた情報を入力するために１つ又はそれよりも多くのページを提供することができる。そのようなページ（図示せず）は、図６Ｌ（１）及び図６Ｌ（２）に示すものに類似のフィールドを含むことができ、及び／又は患者、患者の医師などから得られた他の情報を含むことができる。最後に、図５に示すように、患者に対する経過観察及び／又はいずれかの残りの日付が過ぎた状態で、患者を非アクティブステータス５６に進めることができる。例えば、予め決められた時間後に、患者情報を記録することができ、例えば、本明細書の他の箇所で説明するように中央医療データベース１４に保存して電子デバイス１８に分散されたデータベースから取り除くことができる。
【０１７８】
図７Ａを参照すると、医師アイコン４８ｃがメインメニュー４８から選択された時にディスプレイ２８ａに提示することができる例示的な医師リストページ又は画面が示されている。図示のように、医師アイコン４８ｃが選択された時に、メインメニュー４８からの他の選択と同様に医師アイコン４８ｃは強調表示され、メインメニュー４８の他のアイコンは暗くなるか又は他に区別される。
【０１７９】
一般的に、医師アイコン４８ｃが選択された時に、電子デバイス１８のプロセッサ２２（図２に図示）がローカルデータベースにアクセスし、受け持ち区域内の医師の名前を取得し、ローカルデータベースに含まれた患者に対する医師の治療及び／又は患者との関係に関連付けられた情報をディスプレイ２８ａに提示することができる。例えば、以下に更に説明するように、プロセッサ２２はローカルデータベースにアクセスし、各医師に関連付けられた患者の数を決定し、どのくらいの医師の患者が治療の様々なステージ、例えば、図５に示されている及び本明細書の他の箇所で説明するステージのような候補ステージ及び試験又は移植ステージにあるかを図形で提示することができる。これに代えて、ローカルデータベースを使用するのではなく、プロセッサ２２は、例えば、現在の受け持ち区域、ユーザ名、及び／又は医師及び患者が結果に含まれる医療データベース１４のセグメントを制限する他の識別子を含む情報を要求する問い合わせを管理者サーバ１２に通信することができる。管理者サーバ１２は、医療データベース１４にアクセスして、受け持ち区域内の各医師に関連付けられた患者の数及びその現在の治療ステージを決定することができる。次に、管理者サーバ１２は、各医師に対する患者の総数を電子デバイス１８に通信することができ、プロセッサ２２は、例えば、ユーザによる精査及び／又は分析のためにディスプレイ２８ａに情報を提示することができる。
【０１８０】
図７Ａは、受け持ち区域内の医師に関連付けられた患者のステータスを要約するグラフィック要約又は「ステージ」バナーを含む医師情報を提示するための医師リストページの例示的実施形態を示している。図示のように、医師リストページの情報フィールド４９は、それぞれの列の上の複数の見出し７１０を含むタイトル行、及び次に個々の医師（例えば、選択された受け持ち区域内でアクティブな医師）の医師情報の行７１２を含むことができる。図示の例示的実施形態において、見出し７１０は、名前７１０ａ、タイプ７１０ｂ、電話７１０ｃ、及びステージ７１０ｅを含む。これらの見出し７１０の下の行７１２には、対応する情報、例えば、電子デバイス１８のローカルデータベースに含まれる医師全ての医師のフルネーム、医師のタイプ（照会中医師（ＲＥＦ）、主治医（ＰＣＰ）、試験中医師（ＴＲＬ）、移植中医師（ＩＭＰ）など）、及び電話番号（又は代わりに他のコンタクト情報）でポピュレートすることができる。
【０１８１】
患者リストページと同様に、医師の行の数が情報フィールド４９の利用可能なスペースを超える場合に、ユーザは、例えば、タッチスクリーンの上で指を（又は他にユーザインタフェースを通じて）上下にスライドさせて医師リストをスクロールすることができ、先頭行７１０は実質的に動かないままにして医師行７１２を情報フィールド４９を通じて移動する。患者リストページと同様に、医師リストページの情報は、いくつかの方法で編成、フィルタリング、及び／又は検索することができる。例えば、図７Ａに示すように、検索フィールド７１４を例えばヘッダ７０８に又は他に情報フィールド４９の境界に沿って提供することができ、この検索フィールド７１４にユーザは検索語を打ち込んで、特定の医師を見出すか又は他に医師行７１２に含まれる医師の数を制限することができる。更に、医師リストは、アルファベットメニュー７１６を含むことができ、ユーザは、例えば、望ましい文字をタッチ又は他に選択することにより、文字の１つを入力して、選択された文字で姓が始まる医師だけを含む又は代わりに選択された文字で姓が始まるリストの箇所に飛ぶことができる。医師の行７１２は、列７１０の１つ又はそれよりも多くに基づいて、例えば、名前７１０ａ（例えば、アルファベット順及びアルファベットの逆順を切り換える）又はタイプ７１０ｂ（例えば、医師のタイプに基づいてアルファベット順に医師を並べ替える）毎に並べ替えることができる。
【０１８２】
任意的に、ユーザは、医師を医師リストに追加するための機能及び／又は権限を有することができる。例えば、図７Ａに示すように、「＋」アイコン又はボタン７１８を例えばヘッダ７０８に又は他に情報フィールド４９の境界に沿って含むことができ、「＋」アイコン又はボタン７１８をユーザによって選択して医師を追加することができる（例えば、医師リストの精査又は他の確認に基づいて、医師がローカルデータベースに存在しないことをユーザが確認した後で）。
【０１８３】
図７Ｂを参照すると、「＋」ボタン７１８が図７Ａから選択された時に提示することができる医師コンタクト情報ページ又は画面のための例示的な情報フィールド４９が示されている。一般的に、コンタクト情報ページは、本明細書における他のページと同様にメインメニュー４８（図示せず）及び情報フィールド４９を含むことができる。任意的に、情報フィールド４９は、本明細書における他のページと同様に、例えば、望ましいフィールドだけを含むように折り畳むことができ、例えば、追加の任意のフィールドを含むように拡張することができる。拡張される場合に、コンタクト情報ページは、図７Ｂに示すように、予備フィールド表示アイコン又はボタン７２８を含むことができ、これを選択してフィールドの折り畳み及び拡張間で切り換えることができる。
【０１８４】
図７Ｂに示すように、いくつかの医師情報フィールド７２０を情報フィールド４９に提示することができ、ユーザが、追加される新しい医師に関する情報を入力することを可能にする。図示の例示的実施形態において、フィールドは、医師名フィールド７２０ａ（例えば、ラストネーム、ファーストネーム、及び任意的にミドルネーム又はイニシャル、図示せず）、タイプ７２０ｂ（例えば、プルダウン又は他のサブメニューから上記に識別したような利用可能な医師のタイプの選択を可能にする）、及び専門性７２０ｃ（例えば、図示していないプルダウン又は他のメニューから利用可能な専門性の選択を可能にする）を含むことができる。
【０１８５】
これに加えて、医師の電話フィールド７２０ｄ（任意的に、図示していない追加の電話番号に対して利用可能な追加のフィールドを備えた）、電子メールアドレスフィールド７２０ｅ、医院名フィールド７２０ｆ（例えば、医師の診療所を入力するための）、アドレスフィールド７２０ｇ、及び注釈フィールド７２０ｈのような複数のコンタクトフィールドを提供することができる。任意的に、医師がローカルデータベース内の１つ又はそれよりも多くの医療施設に関連付けられた場合に、１つ又はそれよりも多くの施設フィールド（図示せず）を提供することができ、ユーザが、医師をローカルデータベース内の施設に関連付けることを可能にする。そのような情報を使用して、医師が本明細書の他の箇所で説明した患者情報ページのような他のページで選択された時にフィールド及び／又はサブメニューで自動的にポピュレートすることができる。
【０１８６】
図６Ｂに示す患者追加ページと同様に、必要なフィールドが完成した時に、ユーザは情報フィールド４９に隣接する保存アイコン又はボタン（図示せず）を選択することができ、相応に新しい医師を一時的データベース及び／又はローカルデータベースに追加することができる。電子デバイス１８が管理者サーバ１２を通じて医療データベース１４と同期された時に、新しい医師の情報も医療データベース１４に追加することができる（及び医師を含む同じ受け持ち区域のデータを含むローカルデータベースを有する他のデバイスと同期される）。これに代えて、ユーザが医師を入力しないと決定した場合に、ユーザは取り消しアイコン又はボタン（図示せず）を選択することができ、相応にフィールドがクリアされる。保存又は取り消しボタンのいずれかが選択された状態で（任意的に、追加の確認ウィンドウ又はフィールドが示されており、ユーザによって受け入れるか又は拒否すべきである）、ユーザは、図７Ａの医師リストページに戻ることができる。
【０１８７】
図７Ａを続けて参照すると、ステージの列７１０ｅは、各医師に関連付けられた患者に関するグラフィック要約を提供することができ、例えば、本明細書の他の箇所に説明するように、図５に示すステージに基づいて、その医師の患者の治療のステージを要約することができる。図７Ａに示すように、受け持ち区域内の患者を有する医師を識別する各医師行７１２は、ステージヘッダ７１０ｅの下にステージバナー７１２ｅを含むことができ、このステージバナー７１２ｅは、複数のフィールド、例えば、図示のように、治療の現在のステージによって分離された医師に関連付けられた患者の数を入れた６つのフィールドを含む。医師が最初に医師リストに追加された時に、その医師のステージバナー７１２ｅを例えば図７Ａの第２の行に示すように省くことができる。これに代えて、医師が医師に関連付けられた患者を全く持たない場合に、各医師行７１２ｅは、ブランク（又は図示しないが「０」又は他のヌルインジケータに設定された）のままのフィールドを有するステージバナーを含むことができる。患者が続いて追加された医師に（例えば、ユーザ又は他のチームメンバにより）関連付けられた場合に、ステージバナー７１２ｅフィールドを例えば医療データベース１４との同期時に更新することができる。
【０１８８】
治療がＳＣＳ疼痛管理治療を伴う例示的実施形態において、フィールドは、ａ）候補（例えば、図７Ａの行１の第１フィールド７１２ｅ−１の「０５」）、ｂ）診察済み患者（販売スタッフ又は他のユーザによる）（例えば、第２のフィールド７１２ｅ−２の「１２」）、ｃ）現在の試験を受けている患者（例えば、第３のフィールド７１２ｅ−３の「１３」）、ｄ）成功試験を完了した患者（例えば、第４のフィールド７１２ｅ−４の「１５」）、ｅ）移植を予定に入れている患者（例えば、第５フィールド７１２ｅ−５の「０７」）、及びｆ）移植手順が完了した患者（例えば、第６フィールド７１２ｅ−６の「５２」）の数を含むことができる。
【０１８９】
従って、ステージバナー７１２ｅは、各医師に関連付けられた患者のスナップショットを提供することができ、例えば、販売スタッフ及び／又は他のユーザが、医師の診療及び／又は患者との関係を分析することを可能にし、例えば、アクションを要求する場合がある異常又は他の傾向を識別する。例えば、医師（照会中医師など）が第１候補フィールドに多数の患者を有するが、他のフィールドには比較的少ない患者を有する場合に、これは、候補ステージを通過して進行しているのが少ないことを表すので、医師が治療に対する適切な患者を照会していないという指示を提供することができる。これは、販売チームのメンバに医師を訪問するように示して、治療における更に別の教育を提供することができ、例えば、治療から利益を得る場合がある将来の患者を医師が識別することを容易にする。別の例では、医師が、中間ステージ、例えば、現在の試験ステージ又は続く成功試験ステージ又は完了した移植ステージに対する患者の実質的な減少を有する現在の試験ステージ又は予定に入れた移植ステージの多数の患者を有する場合に、これは、医師の患者に関連付けられた遅延があるという指示を提供することができる。これは、１つ又はそれよりも多くの問題、例えば、保険承認を取得する問題、医師又は関連付けられた医療施設による過密予定、患者の経過観察の失敗などによって引き起こる場合がある。従って、そのような指示は、販売チームのメンバに医師のオフィスにコンタクトするように指令することができ、例えば、患者が治療を完了することを可能にするか又は他に経過観察ステージに患者を進めることを容易にすることができる。
【０１９０】
例えば、ユーザは、図６Ｅ又は９Ｃに示すような活動追加ページを使用して、ユーザ自身又は別のチームメンバに割り当てられる活動を生成することができ、１つ又はそれよりも多くの医師に対してステージバナー７１２ｅによって提供される分析に基づいて、適切な人又は組織との電話、会議、又は他に経過観察を実行することができる。これに加えて又はこれに代えて、フラグ又は他のステータス列（図示せず）を医師情報フィールドに提供して、例えば、更に別の注意を引くためにその行の医師を強調表示するため特定の行のフラグ又は他のインジケータ（図示せず）をユーザが選択することを可能にする。従って、経過観察が警告されていることをステージバナー７１２ｅが示す幾人かの医師を区別することができ（及び任意的に患者リストページのフラグの使用と同様に並べ替えることができ）、次のアクションを容易にする。医師の患者フロー又は他の問題が改善された状態で、フラグ又は他のインジケータを選択して、例えば、医師が正常なステータスに戻ったことを示すためのその医師のフラグを取り除くことができる。
【０１９１】
適正に患者を照会及び／又は治療しているように見える医師に対して、ステージバナー７１２ｅのフィールドの各々の患者の数は、動的な安定状態を維持することができ、例えば、患者がステージの各々を移動する（及び対応する数がステージバナーのフィールド７１２ｅの各々を結果的に移動する）。完了フィールド７１２ｅ−６内の患者の数は、患者が最終的な移植手順を受けて完了し、次に、非アクティブになる時に累積及び増加させることができる。
【０１９２】
患者のステージバナー７１２ｅを有するデータは、デフォルト時間フレームに制限することができる。例えば、データは、「活動日数」の総数、すなわち、各医師が医療データベース１４に追加された日付から現在日付までの総数を含むことができる。これに代えて、データを例えば現在の日付から最後の１２カ月、現在の日付から最後の四半期、暦の年度累計、暦の四半期累計、最後の暦年、及び最後の暦四半期などに基づくデフォルトによる他の方法で制限することができる。
【０１９３】
任意的に、ユーザは、例えば、ステージヘッダ７１０ｅ、ステージバナー７１２ｅ、又は他の場所を選択することにより（例えば、これらのフィールドの１つを選択する及びホールドすることにより）、ステージバナー７１２ｅに含まれるデータの時間フレームを変更することができ、選択することができる任意的なデータ範囲（上記に識別された日付範囲オプションなど）を含むサブメニュー（図示せず）を開くことができる。新しい日付範囲が選択された時に、プロセッサ２２は（ローカルデータベースへのアクセスに基づいて又は管理者サーバ１２と通信した後で）、選択された日付範囲に基づいてステージバナー７１２ａ内に更新された情報を提示することができる。従って、ユーザは、ステージバナー７１２ｅ内に含まれるデータを制限又は拡張することができ、例えば、必要に応じて最近の傾向を識別し、及び過去の履歴を精査するなどを行うことができる。
【０１９４】
これに加えて、図７Ａに示すように、ステージ合計バナー７１５を例えば情報フィールド４９のステージ列７１０ｅの上のヘッダ７０８に又は他に情報フィールド４９に隣接して提供することができる。ステージ合計バナー７１５は、個々の医師のステージバナー７１２ｅと同様に、治療の現在のステージによって分離された受け持ち区域内（例えば、ローカルデータベース内）の患者の総数を含むフィールドを含むことができる。従って、ユーザ、例えば、受け持ち区域マネージャは、受け持ち区域内の患者のステータスのスナップショットを容易に精査することができ、例えば、患者が候補として識別され望ましい方式で治療に進ませることを高レベルで確認することができる。任意的に、例えば、タッチスクリーン上のステージ合計バナー７１５を選択するか又はそれ以外により、ステージ合計バナー７１５に含まれたデータを選択された日付範囲に制限することができ、その結果、サブメニュー（図示せず）を提示することができ、個々の医師ステージバナー７１２ｅと同様にユーザがステージ合計バナー７１５に含まれるデータの望ましい日付範囲を選択することを可能にする。
【０１９５】
別のオプションでは、１つ又はそれよりも多くの追加のステージ合計バナー（図示せず）をステージ合計バナー７１５に隣接して提供することができる。例えば、個々の医師を含む受け持ち区域内の全患者のステータスを表示する領域ステージ合計バナーを含むことができる。これに代えて、ステージ合計バナーを全国又は企業単位で提供することができる。任意的に、ユーザは、追加のステージ合計バナーを選択して、これらの又は他のオプションの間、例えば、受け持ち区域、国、企業単位、及び／又は他の間でパラメータを変更することができる。
【０１９６】
従って、類似の方式で、受け持ち区域マネージャは、受け持ち区域、国、及び／又は企業単位の総数と比較して、患者の個々の医師の管理を容易に精査することができる。例えば、医師の合計が受け持ち区域の合計から劇的に変化した場合に、受け持ち区域マネージャは、違いの詳しい調査を望むことができる。これに代えて、医師の合計が受け持ち区域の合計に比例する場合に、受け持ち区域マネージャは、対応する医師の患者の治療が、受け持ち区域における他の医師にも典型的であることを確認することができる（医師の成果の肯定的な確認を提供することができ、又は合計が障害を示す場合に、マネージャは、問題が受け持ち区域的であり個々の医師に固有ではない場合があることを認識することができる）。
【０１９７】
これに加えて、図７Ａに示すように、医師リストは、追加の列を含むことができ、医師コンタクトアイコン７１２ｆの列７１０ｆ、及び「＞」の列７１０ｇ（「キャロット」又は「医師−患者情報」）アイコン７１２ｇのような更に別の情報を提供又は情報へのアクセスを可能にする。医師コンタクトアイコン７１２ｆを選択して、選択された医師に関する追加の情報、例えば、情報の「クイックビュー」を提示することができる。例えば、図７Ｃに示すように、ユーザは医師アイコン７１２ｅ−１を選択することができ、その結果、医師のコンタクト情報、例えば、電話番号、電子メールアドレス、及び物理的な住所などを含む補足ウィンドウ７１３が医師リストの上に重ねられるか又は他にディスプレイ２８ａに示される。
【０１９８】
アドレスフィールドの１つ又はそれよりも多くは、コンタクト照会（例えば、電話番号、電子メールアドレス）に隣接してコンタクトアイコン又はボタン７１３ａを含むことができ、これを選択して、例えば、電子デバイス１８又は別のデバイス（例えば、図示しないがモバイル電話）を使用して、選択された医師に電話し、医師に電子メールを送信するなどができる。任意的に、例えば、メインメニュー４８及び／又は情報フィールド４９を含む背景を暗くして、ウィンドウ７１３の情報の精査を容易にすることができる。ウィンドウ７１３を閉じるためには、ユーザは、ウィンドウ７１３の外側のタッチスクリーンの領域に単純にタッチするか又はウィンドウ７１３に関連付けることができるクローズアイコン又はボタン（図示せず）を選択することができる。
【０１９９】
図７Ａを参照すると、各医師に対する「＞」アイコン７１２ｇを選択して、その医師に関連付けられた患者に関するより詳しい情報を精査することができる。例えば、ユーザが医師の「＞」アイコン７１２ｇ（及び／又は医師の名以前の上の領域又はその目的のためにそれ以外はアクティブではない医師の行の他のエリア）を選択した場合に、医師リストページが、図７Ｄに示すような医師−患者情報ページで置換される。
【０２００】
医師−患者情報ページは、例えば、現在のステージ及びコンタクト情報などを含む選択された医師に関連付けられた患者のリストを提供することができる。一般的に、他のページと同様に、医師−患者情報ページは、メインメニュー４８（医師アイコン４８ｃが強調表示されている）及び患者リストを含む情報フィールド４９を含むことができ、リストが選択された医師に関連付けられた患者にのみ制限されること以外は図６Ａに類似とすることができる。更に、医師−患者情報ページは、例えば、医師の名前７２４ａを含むヘッダ７２４、及び任意的にユーザが様々なアクションを実行することを可能にする１つ又はそれよりも多くのメニューアイコン又はボタンを含むことができる。例えば、ヘッダ７２４は、医師アイコン又はボタン７２４ｂを含むことができ、これを選択して、図７Ａの医師リストページに戻ることができる。任意的に、ヘッダ７２４は、例えば、選択された医師のコンタクト情報、例えば、住所、電話番号、及び電子メールアドレスなどを含むバナーフィールド７２４ｅを含むことができる。更に、ヘッダ７２４は、例えば、コンタクト情報ページ注釈フィールド７２０ｈ（例えば、図７Ｂを参照されたい）から医師に関して保存されたいずれかの注釈を精査するように選択することができる注釈アイコン７２４ｆを含むことができる。
【０２０１】
ヘッダ７２４は、例えば、識別された医師に関連付けられた情報を精査及び／又は編集するために使用することができる編集アイコン又はボタン７２４ｃを含むことができる。例えば、編集ボタン７２４ｃが選択された場合に、アプリケーションは、図７Ｂのコンタクト情報ページに類似のページを提示することができる。この場合に、編集アイコン又はボタン（図示せず）を例えばコンタクト情報ページの情報フィールド４９に隣接して提供することができ、ユーザが１つ又はそれよりも多くのフィールドをトリガ及び編集することを可能にする。編集モードでは、保存及び／又は取り消しアイコン又はボタン（図示せず）を提供して、ユーザが本明細書における他のページと同様に行われたいずれかの変更を保存又は取り消すことを可能にする。
【０２０２】
図７Ｄを参照すると、任意的に、ヘッダ７２４は、患者情報送信アイコン又はボタン７２４ｄを含むことができ、これを選択して、電子メール又は印刷することができる患者リストの複製を生成することができる。例えば、ユーザがこのボタン７２４ｄを選択した場合に、ウィンドウ又は別のページが開き（図示せず）、電子メールへの添付として利用可能なフォーマット（例えば、ＰＤＦファイル及びＪＰＥＧなど）で患者リストの複製を保存し、ユーザは、ユーザ自身、別のチームメンバ、及び医師自身などに送信することができる。送信された状態で、ユーザは、医師−患者情報ページに戻ることができる。
【０２０３】
医師−患者情報ページの情報フィールド４９内には、識別された医師に関連付けられた患者に制限されること以外は図６Ａに示すものに類似の患者の情報のリストを提示することができる。図示のように、患者リストは、それぞれの列の上の複数の見出し６１０を含むタイトル行、及び次に個々の患者の患者情報の行６１２を含む。図示の例示的実施形態において、見出し６１０は、名前６１０ａ、ステータス６１０ｂ、電話６１０ｃ、及びフラグ６１０ｄを含む。これらの見出し６１０の下の行６１２は、対応する情報、例えば、電子デバイス１８のローカルデータベースに含まれる患者のフルネーム、ステータス（例えば、図５に示すステージに基づく）、及び電話番号でポピュレートすることができる。更に、患者行の１つ又はそれよりも多くは、本明細書の他の箇所で説明するようにフラグ見出し６１０ｄの下のフラグによって強調表示することができる。
【０２０４】
図６Ａの患者リストと同様に、図７Ｄの患者リストの情報をいくつかの方法で編成、フィルタリング、及び／又は検索することができる。例えば、患者リストは、アルファベットメニュー６１６を含むことができ、ユーザは、例えば、望ましい文字にタッチ又は他に選択することによって文字の１つを入力して、選択された文字で姓が始まる患者だけを含むことができ、又は選択された文字で姓が始まるリストの位置に自動的にスクロールすることができる。更に、患者の行を列６１０の１つ又はそれよりも多くに基づいて、例えば、本明細書の他の箇所で説明するように、名前６１０ａ、ステータス６１０ｂ、及び／又はフラグステータス６１０ｄなどによって並べ替えることができる。
【０２０５】
これに加えて、患者リストは、医師のコンタクトアイコンの列６１２ｅ、患者情報アイコンの列６１２ｆ、及び「＞」（「キャロット」又は「詳細情報」）アイコンの列６１２ｇのような更に別の情報を提供する追加の列を含むことができる。本明細書の他の箇所で説明するように、ユーザは医師コンタクトアイコン６１２ｅを選択することができ、相応に選択された患者に関連付けられた医師のコンタクト情報を含む補足ウィンドウ（図示せず）が患者リストの上に重ねられるか又は他にディスプレイ２８ａに示される。医師コンタクトアイコン６１２ｅが選択された時に識別される医師は、患者の執刀医（例えば、試験又は移植手順を完了すると予想されるか又は他の事前設定医師）にデフォルト設定することができる。従って、バナーフィールド７２４ｅで識別された医師（その患者が患者リストに載っている）医師が、患者に関連付けられたデフォルト医師ではない場合でも、例えば、医師が、当業者によって理解されるように、その照会中医師及び主治医などである場合に、患者が患者リストに表示される。
【０２０６】
図７Ｄを続けて参照すると、ユーザは、患者情報アイコン、６１２ｆを選択することができ、その結果、関連付けられた患者の追加のコンタクト情報、例えば、住所、追加の電話番号、及び介護者などを含む補足ウィンドウ（図示せず）が患者リストの上に重ねられるか又は他にディスプレイ２８ａに示される。更に、ユーザは、「＞」又は「詳細情報」アイコン６１２ｇを選択することができ、その結果、関連付けられた患者のコンタクト情報、例えば、患者名フィールド６２０、電話フィールド６２０ｂ、ソースフィールド６２０ｃ、アドレスフィールド６０ｅ、電子メールフィールド６２０ｆを含む図７Ｅに示すような患者プロファイルページ又は画面をディスプレイ２８ａに提示することができる。患者プロファイルページは、例えば、患者の名前７３０ａ（例えば、一般的な名前ＶＦＤ  ＪＹに示す）及び１つ又はそれよりも多くのアイコン又はボタン、例えば、編集ボタン７３０ｂ及び患者情報ボタン７３０ｃを含むヘッダ７３０を含むことができる。
【０２０７】
任意的に、患者プロファイルページは、例えば、図６に示すページと同様に患者モジュールから利用可能な候補ステージページに類似とすることができる。例えば、図７Ｅに示すように、スケール６２６を情報フィールド４９に隣接して提供することができ、第１のインジケータ６２６ａが強調表示されている。ユーザは、必要に応じて、他のインジケータを選択することができ、例えば、他のステージからの患者の追加の情報を（患者が選択されたステージ又はそれを超えて進められた場合）精査することができる。
【０２０８】
許可された場合に、ユーザは、例えば、編集ボタン７３０ｂを選択することにより、患者プロファイルページの情報を編集することができ、相応にフィールド６２０はアクティブになり、ユーザが情報を追加又は変更することを可能にする。そのような編集が完了した状態で、ユーザは保存アイコン又はボタン（図示せず）を選択していずれかの変更を保存することができる。ユーザは、例えば、図７Ｄの患者情報ボタン７３０ｃを選択することにより、医師−患者情報に戻ることができる。
【０２０９】
任意的に、医師−患者情報ページは、例えば、複数のインジケータ７２６ａ−７２６ｃを含むスケール７２６を含むことができる。スケール７２６は、ユーザが患者リストに加えて選択された医師に関連付けられた複数のページにアクセスすることを可能にする。例えば、ユーザが最初に図７Ａの医師リストから医師を選択した時に、アプリケーションは、ディスプレイ２８ａに医師−患者情報ページを提示するようにデフォルト設定することができ、第１のインジケータ７２６ａが強調表示されている。その後に、ユーザは、第２の又は第３のインジケータ７２６ｂ、７２６ｃを選択して、以下に更に説明するように追加の医師に固有のページを提示し、及び／又は第１のインジケータ７２６ａを選択することによって医師−患者情報ページに戻ることができる。
【０２１０】
例えば、ユーザが第２のインジケータ７２６ｂを選択した場合に、例えば、図７Ｆに示すものと類似の診療要約ページ又は画面がディスプレイ２８ａに示される。本明細書の他のページと同様に、診療要約ページは、メインメニュー４８（医師アイコン４８ｃが強調表示されている）、ヘッダ７２４、及び情報フィールド４９を含み、情報フィールド４９は、選択された医師（ヘッダ７２４の名前フィールド７２４ａで識別された）の診療に関連付けられた情報を含む１つ又はそれよりも多くのウィンドウ７３２を含むことができる。
【０２１１】
診療要約ページは、選択された医師の診療に関する追加の明細及び／又は統計的な情報を提供することができ、これは、ユーザが医師に関連付けられた販売及び／又は活動を策定することを容易にすることができる。図１及び２を更に参照すると、スケール７２６の第２のインジケータ７２６ｂが選択された時に、電子デバイス１８のプロセッサ２２は、メモリ２４及び／又は２５に格納されたローカルデータベースにアクセスして情報フィールド４９に含むデータを生成することができる。これに代えて、第２のインジケータ７２６ｂが選択された時に、プロセッサ２２は、例えば、医師の名前、及び任意的に時間の制限（例えば、本明細書の他の箇所で識別された日付範囲と同様に１年前から今日まで及び識別された四半期など）を含む要求を通信インタフェース２６を通じて管理者サーバ１２に送信することができる。管理者サーバ１２は、医療データベース１４にアクセスして情報フィールド４９に含まれるデータを含む要求への応答を生成し、この応答を電子デバイス１８に送信することができる。
【０２１２】
図示のように、情報フィールド４９は、ソース当たり患者カウントウィンドウ７３２ａ、保険会社当たり患者ウィンドウ７３２ｂ、ソース毎試験百分率ウィンドウ７３２ｃ、及び統計値ウィンドウ７３２ｄのような医師の診療に関する表、グラフ、及びチャートなどを含む複数のウィンドウ７３２を含むことができる。任意的に、追加のウィンドウを含むことができ（図示せず）、ユーザは、上又は下にスクロールして追加の利用可能なウィンドウを精査することができる。
【０２１３】
これに加えて、ウィンドウ７３２を事前設定及び固定することができ、例えば、それによって同じデータカテゴリ及び／又は情報の構成がチーム電子デバイス１８の各々のウィンドウ７３２に（診療要約ページが選択された時に）示されている。従って、ウィンドウ７３２ａ−７３２ｄは、診療要約がユーザの電子デバイスに関わらず同じ医師及び日付範囲に対して選択された時に実質的に同じとすることができる。これに代えて、ウィンドウ７３２を例えば個々のウィンドウ７３２にタッチ及びホールドし、ウィンドウ７３２に隣接したサブメニュー（図示せず）を選択するなどによってカスタマイズすることができる。この代替では、サブメニューが、図７Ｆに示すウィンドウ、並びに利用可能な他のオプションを含むことができる。
【０２１４】
図７Ｆに示す特定の例では、第１のウィンドウ７３２ａは、例えば、図６Ｃのフィールド６２０ｃに入力され本明細書の他の箇所で説明するように患者が最初に利用可能な治療に関して学ぶソース（ソース列）を識別して、例えば、患者の現在のステージ（候補、試験、移植、非アクティブ列）によって分離される各ソースから発生した識別された医師の患者の全体を表示する表を含む。従って、販売代理人であるユーザは、より多くの候補患者を発生するソース、並びに識別された医師に対して治療を完了した患者を識別することができる。同様に、第３のウィンドウ７３２ｃは、試験に（又は、代替的に最終移植ステージのような他のステージに）進められたソース毎の医師の患者の明細を示すパイチャートを含む。
【０２１５】
第２のウィンドウ７３２ｂは、保険会社（ソース列）を識別して、例えば、保険会社が患者の治療を承認又は拒否したか否か（承認、拒否、及び全体列）によって分離された各保険会社によって保証される医師の患者の全体を表示する表を含むことができる。従って、例えば、販売代理人は、保険会社が保証を拒否している患者の群を識別することができ、販売代理人を医師、保険会社、又はこの両方にコンタクトを取るように動機付け、潜在的な問題及び解決法を識別して患者が治療を受けられるようにする。
【０２１６】
第４のウィンドウ７３２ｄは、医師の診療に関連付けられた複数の統計値、例えば、候補として識別された患者が試験又は最終的な移植を完了するまでの平均日数及び医師によって識別されるか又は他に医師に関連付けられた候補の総数に対する試験又は移植を完了した患者の百分率又は総数などを含むことができる。そのような統計値は、販売代理人が、医師が治療を完了する可能な患者を適正に照会しているか否かを及び／又は医師がその患者の時宜に合った治療を保証しているか否かを決定することを可能にする。必要に応じて、例えば、販売代理人及び／又は他のスタッフが、患者が時宜に合った方式で適切に識別及び／又は治療されることの保証を容易にするために、他の統計値を含むことができることは認められるであろう。
【０２１７】
図７Ｇを参照すると、スケール７２６の第３のインジケータ７２６ｃが選択された時に、ディスプレイ２８ａに提示することができる例示的な医師要約ページ又は画面が示されており、これは、選択された医師に関する詳しい情報を提供することができる。他のページと同様に、第３のインジケータ７２６ｃを他のインジケータ７２６ａ、７２６ｂに対してスケール７２６上で強調表示させることができる。医師要約ページは、例えば、図７Ｂに示すフィールドと同様に、ヘッダ７２４に医師の名前７２４ａ及び情報フィールド４９のフィールド７２０に医師のコンタクト情報を含むことができる。ユーザは、編集ボタン７２４ｃを選択することによって情報を編集する及び／又は医師ボタン７２４ｂを選択することによって図７Ａの医師リストページに戻ることができる。
【０２１８】
図８Ａを参照すると、施設アイコン４８ｄがメインメニュー４８から選択された時にディスプレイ２８ａに提示することができる例示的な施設リストページ又は画面が示されている。他のページと同様に、施設アイコン４８ｄが選択された時に、施設アイコン４８ｄが強調表示され、メインメニュー４８の他のアイコンは暗くなるか又は他に区別される。
【０２１９】
一般的に、施設アイコン４８ｄが選択された時に、電子デバイス１８のプロセッサ２２（図２に図示）はローカルデータベースにアクセスして、受け持ち区域内の施設の名前を取得して情報フィールド４９内にローカルデータベースに含まれる施設及び／又は患者及び／又は医師と施設との関係に関する情報をディスプレイ２８ａに提示することができる。
【０２２０】
例えば、図８Ａは、最初に示されている施設リストページの例示的実施形態を示し、情報フィールド４９は、それぞれの列の上の複数の見出し８１０を含むタイトル行、及び個々の施設の施設情報の行８１２（例えば、ローカルデータベースの選択された受け持ち区域内でアクティブである施設）を含む。図示の例示的実施形態において、見出し８１０は、名前８１０ａ、位置８１０ｂ、及び電話８１０ｃを含む。これらの見出し８１０の下の行８１２は、対応する情報、例えば、電子デバイス１８のローカルデータベースに含まれる施設全ての各施設の名前８１２ａ、施設の位置８１２ｂ、及び主電話番号（又は代わりに他のコンタクト情報）８１２ｃでポピュレートすることができる。
【０２２１】
これに加えて、施設コンタクトアイコン８１２ｄの列８１０ｄ、及び「＞」（「キャロット」又は「施設詳細」）アイコン８１２ｅの列８１０ｅのような更に別の情報を提供するか又は情報へのアクセスを可能にする追加の列を提供することができる。施設コンタクトアイコン７１２ｆを選択して、選択された施設に関する追加の情報、例えば、医師情報以外の施設情報を含むことを除いて図７Ｃに示すものに類似の情報の「クイックビュー」を提示することができる。「＞」アイコン８１２ｅを選択して、例えば、図８Ｂ及び図８Ｃに示して以下に更に説明するように、選択された施設に関連付けられた患者及び／又は医師に関する追加の情報を提示することができる。
【０２２２】
図８Ａを参照すると、他のリストページと同様に、施設行８１２の数が情報フィールド４９の利用可能なスペースを超える場合に、ユーザは、施設リストをスクロールすることができ、例えば、タッチスクリーン上を（又は他にユーザインタフェースを通じて）指を上又は下にスライドさせることができ、見出し行８１０は実質的に固定されたままで施設行８１２が情報フィールド４９全体で移動する。他のリストページと同様に、施設リストページの情報をいくつかの方法で編成、フィルタリング、及び／又は検索することができる。例えば、図８Ａに示すように、検索フィールド８１４を例えばヘッダに又は他に情報フィールド４９の境界に沿って提供することができ、この検索フィールドにユーザは検索語を打ち込んで、例えば、施設行８１２に列挙される施設の数を制限するために、名前及び位置などを入力して特定の施設又は施設の部分集合を探すことができる。
【０２２３】
これに加えて、施設リストは、アルファベットのメニュー８１６を含むことができ、ユーザは、例えば、望ましい文字をタッチ又は選択することにより、文字の１つを選択し、選択された文字で始まる名以前の施設だけを含むか又は代わりに選択された文字で始まる施設名のリストの部分に飛ぶことができる。施設行８１２は、列８１０の１つ又はそれよりも多くに基づいて、例えば、本明細書における他のリストと同様に、名前８１０ａ（例えば、アルファベット順とアルファベットの逆順を切り換える）又は位置８１０ｂ（例えば、都市又は他の位置に基づいてアルファベット順に施設を並べ替える）によって並べ替えることができる。
【０２２４】
任意的に、ユーザは、施設を施設リストに追加する機能及び／又は権限を有することができる。例えば、「＋」又は「追加」アイコン又はボタン（図示せず）を例えば情報フィールド４９に隣接して含むことができ、ユーザがこれを選択して施設を追加することができる。追加アイコンが選択された時に、情報フィールドを含む施設コンタクト情報ページ又は画面が示され、ユーザが、例えば、図７Ｂの医師コンタクト情報ページと同様に、追加される新しい施設に関する情報を入力することを可能にする。必要なフィールドが完成した時に、ユーザは、情報フィールド４９に隣接した保存アイコン又はボタン（図示せず）を選択することができ、その結果、新しい施設が一時的データベース及び／又はローカルデータベースに追加される。電子デバイス１８が管理者サーバ１２を通じて医療データベース１４と同期された時に、本明細書における他のページと同様に、新しい施設の情報も医療データベース１４に追加される。これに代えて、ユーザが施設を入力しないと決定した場合に、ユーザは取り消しアイコン又はボタン（図示せず）を選択することができ、相応にフィールドがクリアにされる。保存又は取り消しボタンのいずれかが選択された状態で（任意的に、ユーザによって受け入れ又は拒否すべきである追加の確認ウィンドウ又はフィールドが示される）、ユーザは、図８Ａの施設リストページに戻ることができる。
【０２２５】
任意的に、施設リストページは、例えば、図７Ａに示すステージバナー７１２ｅと同様に、ステージバナーの列（図示せず）を含むことができ、これは、例えば、図５に示して本明細書の他の箇所で説明するように、候補ステージ及び試験又は移植ステージ中の治療の様々なステージに各施設の患者がどのくらいいるかの要約を含むことができる。
【０２２６】
図８Ｂ及び図８Ｃを参照すると、「＞」アイコン８１２ｅが、選択された施設のための図８Ａの施設リストページから選択された時にディスプレイ２８ａに提示することができる例示的な施設詳細ページ又は画面が示されている。一般的に、施設詳細ページは、メインメニュー４８（施設アイコン４８ｄが強調表示されている）、ヘッダ８２４、及び例えば図８Ｂにあるように患者リスト又は図８Ｃにあるように医師リストのいずれかを含む情報フィールド４９を含む。ヘッダ８２４は、施設の名前８２４ａ、及び任意的にユーザが様々なアクションを実行することを可能にする１つ又はそれよりも多くのメニューアイコン又はボタンを含むことができる。例えば、ヘッダ８２４は、図８Ａの施設リストページにいずれかの時間に戻るように選択することができる施設アイコン又はボタン８２４ｂを含むことができる。任意的に、ヘッダ８２４は、例えば、選択された施設のコンタクト情報、例えば、住所、電話番号、及び電子メールアドレスなどを含むバナーフィールド８２４ｃを含むことができる。更に、ヘッダ８２４は、例えば、コンタクト情報ページ（図示せず）から施設に関して保存されたいずれの注釈も精査するように選択することができる注釈アイコン８２４ｄを含むことができる。
【０２２７】
これに加えて、施設詳細ページは、例えば、ヘッダに患者アイコン又はボタン８２８ａ及び医師アイコン又はボタン８２８ｂを含む患者／医師メニュー８２８を含むことができる。患者アイコン８２８ａが選択された時に、例えば、情報フィールド４９に患者リストを含む図８Ｂの施設詳細ページが示され、医師アイコン８２８ｂが選択された時に、例えば、情報フィールド４９に医師リストを含む図８Ｃの施設詳細ページが示される。選択された施設に対する「＞」アイコン８１２ｅが図８Ａの施設リストから選択された時に、患者リストを含む図８Ｂの施設詳細ページを提示するようにデフォルト設定することができるが、代わりに、「＞」アイコン８１２ｅが施設に対して以前に選択された後は施設詳細ページが最後に示されるようにデフォルト設定することができる。
【０２２８】
図８Ｂを参照すると、情報フィールド４９内の患者リストは、選択された施設に関連付けられた患者に制限されることを除いて、図６Ａに示されているものに類似とすることができる。図示のように、患者リストは、それぞれの列の上の複数の見出し６１０を含むタイトル行、及び次に個々の患者の患者情報の行６１２を含む。図示の例示的実施形態において、見出し６１０は、名前６１０ａ、ステータス６１０ｂ、電話６１０ｃ、及びフラグ６１０ｄを含む。これらの見出し６１０の下の行６１２は、対応する情報、例えば、選択された施設に関連付けられたローカルデータベースに含まれる患者のフルネーム、ステータス（例えば、図５に示すステージに基づく）、及び電話番号でポピュレートすることができる。更に、患者行の１つ又はそれよりも多くは、本明細書の他の箇所で説明するように、フラグ見出し６１０ｄの下のフラグによって強調表示される。
【０２２９】
図６Ａの患者リストと同様に、図８Ｂの患者リストの情報をいくつかの方法で編成、フィルタリング、及び／又は検索することができる。例えば、患者リストは、アルファベットのメニュー６１６を含むことができ、ユーザは、例えば、望ましい文字にタッチ又は他に選択することにより、文字の１つを入力して、選択された文字で始まるラストネームのある患者だけを含む又は選択された文字で始まるラストネームがあるリスト上の位置に自動的にスクロールすることができる。更に、患者の行を列６１０の１つ又はそれよりも多くに基づいて、例えば、本明細書の他の箇所で説明するように、名前６１０ａ、ステータス６１０ｂ、及び／又はフラグステータス６１０ｄによって並べ替えることができる。
【０２３０】
患者リストは、医師コンタクトアイコンの列６１２ｅ、患者情報アイコンの列６１２ｆ、及び「＞」（「キャロット」又は「詳細情報」）アイコンの列６１２ｇのような更に別の情報を提供する追加の列を含むことができる。本明細書の他の箇所で説明するように、ユーザは医師コンタクトアイコン６１２ｅを選択することができ、相応に本明細書の他の箇所で説明するように、選択された患者に関連付けられた主治医のコンタクト情報を含む補足ウィンドウ（図示せず）を患者リストの上に重ねるか又は他にディスプレイ２８ａに提示することができる。同様に、ユーザは患者情報アイコン、６１２ｆを選択することができ、その結果、選択された患者のコンタクト情報を含む補足ウィンドウ（図示せず）を患者リストの上に重ねるか又は他にディスプレイ２８ａに提示することができる。
【０２３１】
これに加えて、ユーザは、「＞」又は「詳細情報」アイコン６１２ｇを選択することができ、その結果、図７Ｅに示されているものと同様に、関連付けられた患者のコンタクト情報を含む患者プロファイルページ又は画面をディスプレイ２８ａに提示することができる。任意的に、患者プロファイルページは、例えば、情報フィールド４９に隣接してスケール６２６を含むことができ、第１のインジケータ６２６ａが強調表示されている。次に、ユーザは、必要に応じて他のインジケータを選択することができ、例えば、本明細書における他のページと同様に、他のステージからの患者の追加の情報を（患者が選択されたステージに進められた又はそれを超えた場合に）精査し、患者の情報を編集し、及び／又は他のアクションを取ることができる。望ましい場合に、ユーザは、例えば、図７Ｅに示す患者情報アイコン７３０ｃの代わりに提供することができる施設詳細アイコン又はボタン（図示せず）を選択することにより、図８の施設詳細ページに戻ることができる。
【０２３２】
図８Ｃを参照すると、医師アイコン８２８ｂが図８Ｂの施設詳細ページから選択された（又は図８Ａの施設リストから特定の施設が選択された後に医師リストが他に提示された）時に、情報フィールド４９内の患者リストは、選択された施設に関連付けられた医師に制限されること以外は、図７Ａに示すものに類似の医師リストで置換される。図示のように、医師リストページの情報フィールド４９は、それぞれの列の上の複数の見出し７１０を含むタイトル行、及び次に個々の医師（例えば、選択された施設に関連付けられた医師）の医師情報の行７１２を含むことができる。図示の例示的実施形態において、見出し７１０は、名前７１０ａ、タイプ７１０ｂ、電話７１０ｃ、及びステージ７１０ｅを含む。これらの見出し７１０の下の行７１２は、対応する情報、例えば、選択された施設に関連付けられた医師全ての医師のフルネーム、医師のタイプ、及び電話番号（又は代わりに他のコンタクト情報）でポピュレートすることができる。
【０２３３】
患者リストページと同様に、医師行の数が情報フィールド４９の利用可能なスペースを超える場合に、ユーザは、医師リストをスクロールすることができ、例えば、タッチスクリーン上で（又は他にユーザインタフェースを通じて）指を上又は下にスライドさせて、見出し行７１０を実質的に固定させたまま医師行７１２を情報フィールド４９全体で移動することができる。患者リストページと同様に、医師リストページの情報をいくつかの方法で編成、フィルタリング、及び／又は検索することができる。例えば、検索フィールド（図示せず）を例えばヘッダ８２４に又は他に情報フィールド４９の境界に沿って提供することができ、これにユーザが検索語を打ち込んで、医師行７１２に含まれる特定の医師を見出す又は他に医師の数を制限することができる。
【０２３４】
これに加えて、医師リストは、アルファベットのメニュー７１６を含むことができ、ユーザは、望ましい文字にタッチするか又は他に選択することにより、文字の１つを入力し、選択された文字で始まるラストネームの医師だけを含む又は代わりに選択された文字で始まるラストネームのあるリストの部分に飛ぶことができる。医師行７１２は、列７１０の１つ又はそれよりも多くに基づいて、例えば、名前７１０ａ（例えば、アルファベット及びアルファベットの逆順を切り換える）又はタイプ７１０ｂによって並べ替えることができる（例えば、医師のタイプに基づいてアルファベット順に医師を並べ替える）。任意的に、ユーザは、本明細書の他の箇所で説明するように、図８Ｃの施設詳細ページから医師リストに医師を追加する機能及び／又は権限を有することができる。
【０２３５】
図８Ｃを続けて参照すると、ステージ列７１０ｅは、例えば、本明細書の他の箇所で説明するように医師の患者の治療のステージを要約し、選択された施設に関連付けられた各医師に関連付けられた患者に関するグラフィック要約を提供することができる。図示のように、選択された施設に関連付けられた医師を識別する各医師行７１２は、ステージヘッダ７１０ｅの下にステージバナー７１２ｅを含むことができ、ステージバナー７１２ｅは、その治療の現在のステージによって分離されたその医師に関連付けられた患者の数を記入した複数のフィールド、例えば、図のように６を含む。ステージバナー７１２ｅのフィールドの各々の総数は、選択された施設に関連付けられた患者だけを含むことができ、又は受け持ち区域全体内の識別された医師に関連付けられた患者の全てを含むことができる。任意的に、ユーザは、例えば、本明細書の他の箇所で説明するように、選択された施設、受け持ち区域全体に基づいて、及び／又は日付範囲に基づいて、ステージバナー７１２ｅに含まれた患者の数を追加又は制限することができる。
【０２３６】
従って、ステージバナー７１２ｅは、選択された施設の各医師に関連付けられた患者のスナップショットを提供することができ、例えば、販売代理人及び／又は他のユーザが、施設及びその医師の診療及び／又は患者との関係を分析し、例えば、アクションを要求する場合がある異常又は他の傾向を識別することを可能にする。
【０２３７】
任意的に、図８Ｃの施設詳細／医師リストページは、例えば、ステージ列７１０ｅの上のヘッダ８２４に又は他に情報フィールド４９に隣接してステージ合計バナー（図示せず）を含むことができる。ステージ合計バナーは、個々の医師のステージバナー７１２ｅと同様に、治療の現在のステージによって分離される選択された施設に関連付けられた患者の総数を含むフィールドを有することができる。従って、ユーザは、選択された施設に関連付けられた患者のステータスのスナップショットを容易に精査することができ、例えば、患者が候補として識別され望ましい方式で治療に進むことを高レベルで確認することができる。別のオプションで、１つ又はそれよりも多くの追加のステージ合計バナー（図示せず）をステージ合計バナーに隣接して提供することができ、例えば、個々の施設を含む受け持ち区域内の全患者のステータスを表示する領域ステージ合計バナー、又はステージ合計バナーを本明細書の他の箇所で説明するステージ合計バナーと同様に全国又は企業単位に対して提供することができる。
【０２３８】
図８Ｃを参照すると、医師リストは、図７Ａの医師リストと同様に、医師コンタクトアイコン７１２ｆの列７１０ｆ及び「＞」（「キャロット」又は「医師−患者情報」）アイコン７１２ｇの列７１０ｇのような更に別の情報を提供するか又は情報へのアクセスを可能にする追加の列を含むことができる。例えば、医師コンタクトアイコン７１２ｆを選択して、選択された医師に関する追加の情報、例えば、本明細書の他の箇所で説明するような情報の「クイックビュー」を提示することができる。
【０２３９】
これに加えて、各医師の「＞」アイコン７１２ｇを選択して、その医師に関連付けられた患者に関する詳しい情報を精査することができる。例えば、ユーザが医師の「＞」アイコン７１２ｇ（及び／又はこの目的のために指定された医師の上の領域）を選択した場合に、医師リストページは、図７Ｄに示すような医師−患者情報ページで置換される。医師−患者情報ページは、選択された医師に関連付けられた、例えば、前に選択された施設に制限されるか又は受け持ち区域の医師の患者の全てを含む現在のステージ及びコンタクト情報などを含む患者のリストを提供することができる。任意的に、次に、ユーザは、医師−患者情報ページから個々の患者を選択することができ、例えば、本明細書の他の箇所で説明するように、選択された患者に関する詳しい情報を精査することができる。いずれの時間にも、ユーザは、例えば、図７Ｂの医師アイコン７２４ｂに類似の施設医師又は他の「リターン」アイコン又はボタン（図示せず）を選択して、図８Ｃの医師リストページに戻ることができる。
【０２４０】
図９Ａ及び図９Ｂを参照すると、ユーザがメインメニュー４８から活動アイコン４８ｂを選択した時に提示することができる例示的な活動リストページ又は画面が示されている。他のページと同様に、活動アイコン４８ｂは、そのようなページでは強調表示され、メインメニュー４８の他のアイコンが暗くなるか又は他に活動アイコン４８ｂと区別される。
【０２４１】
一般的に、活動リストページは、メインメニュー４８、ヘッダ９１０、及び活動のリストを含む情報フィールド４９を含むことができる。図示のように、ヘッダ９１０は、１つ又はそれよりも多くのアイコン又はボタンを含むことができ、これを選択して、電子デバイス１８にログインしたユーザに関連付けられた新しいか又は既存の活動に関する様々なアクションを実行することができる。例えば、「＋」又は追加アイコン又はボタン９１８を例えば情報フィールド４９の境界に沿って含むことができ、ユーザによって選択して活動を追加することができる。
【０２４２】
「＋」アイコン９１８が選択された時に、活動追加ページ又は画面が図９Ｃに示すようにディスプレイ２８ａ上に提示される。特に、図９Ｃに示すように、活動追加ページは、メインメニュー４８（活動アイコン４８ａが強調表示されている）、情報フィールド４９、及びヘッダ９３６を含むことができる。一般的に、ヘッダ９３６は、図９Ａ及び図９Ｂに示すように、例えば、活動情報を保存するための保存アイコン又はボタン９３６ａ、及び例えば活動を取り消し（例えば、確認指示の後で）、更に以前の活動リストページに戻るための取り消しアイコン又はボタン９３６ｂを含むことができる。情報フィールド４９は、追加される新しい活動に関連付けられた１つ又はそれよりも多くのフィールド、例えば、日付及び時間フィールド９３８ａ、患者情報フィールド９３８ｂ、活動タイプフィールド９３８ｃ、及び従業員フィールド９３８ｄなどを含むことができる。
【０２４３】
任意的に、フィールドの１つ又はそれよりも多くは、例えば、活動ページが選択されるページに応答して自動的にポピュレートすることができる。例えば、従業員フィールド９３８ｄは、電子デバイス１８にログインしたユーザの名前を自動的に含むことができる。活動追加ページが患者情報ページから示された場合（例えば、図６Ａ−６Ｌに図示）、患者フィールド９３８ｂは、以前の患者情報ページから個々の患者の名前を自動的に含むことができる。新しい活動が、提案される経過観察に基づいてトリガされた場合に、活動タイプフィールド９３８ｃも自動的に選択することができ、及び／又は日付及び時間フィールド９３８ａを自動的にポピュレートすることができる（例えば、現在の日付から３０日後の日付又は他の事前設定された時間で）。
【０２４４】
例えば、ユーザが、必要に応じて、活動を別のチームメンバに割り当て、関連付けられた患者を変更し、日付を変更し、いずれかの未記入のフィールドに情報を入力することが望ましい場合に、ユーザは、いずれかの事前に記入されたフィールドを選択及び編集することができる。これに代えて、フィールド９３８の全ては最初にブランクにすることができ、ユーザは、利用可能なフィールドによって望ましいか又は望ましいように情報を記入することができる。新しい活動の情報が入力された状態で、ユーザは、保存ボタン９３６ａを選択して、新しい活動を一時的及び／又はローカルデータベースに保存することができる。次に、活動追加ページを閉じることができ、以前のページ又は画面をディスプレイ２８ａに提示することができる。これに代えて、ユーザは取り消しアイコン９３６ｂを選択して、フィールドをクリアする及び／又は活動追加ページを出て、以前のページ、例えば、図９Ａ又は９Ｂの活動リストの１つに戻ることができる。
【０２４５】
図９Ａを参照すると、電子デバイス１８にログインしたユーザに割り当てられた活動のリストを情報フィールド４９内に含むことができる例示的な活動リストページが示されている。例えば、活動アイコン４８ａがメインメニュー４８から最初に選択された時に、図９Ａに示すように、電子デバイス１８にログインしたユーザに割り当てられた活動を提示するように設定することができる。マイ／チーム活動アイコン又はボタン９２６を例えばヘッダ９１０又は情報フィールド４９に隣接した他の位置に提供することができ、ユーザが、個々に割り当てられる活動と１つ又はそれよりも多くのチームメンバに割り当てられる活動を切り換えることを可能にする。
【０２４６】
例えば、図９Ａに示す私の活動アイコン９２６が選択された場合に、プロセッサ２２は、図９Ａに示す活動リストと図９Ｂに示す活動リストを切り換えることができる（図９Ｂに示すように私の活動アイコン９２６をチーム活動に変更する）。これに代えて、私の活動アイコン９２６が選択された時に、プルダウンメニュー又は他のサブメニュー（図示せず）を提示することができ、ユーザが、利用可能なオプション、例えば、私の活動、チーム活動、又は他のオプション（図示せず）を選択することを可能にする。
【０２４７】
これに加えて、ヘッダは、フィルタアイコン又はボタンのセット９２８を含むことができ、例えば、ユーザが、オープンアイコン又はボタン９２８ａを選択することにより、オープン又は未終了の活動のいずれかだけを提示し、又は例えば完了アイコン又はボタン９２８ｂを選択することにより、完了又は非アクティブ活動だけを提示することを可能にする。活動アイコン４８ａがメインメニュー４８から最初に選択された時に、オープン活動のみを提示するようにデフォルト設定することができるが、代わりに、他のデフォルトを使用することができ（例えば、以前に提示された活動の最も新しいタイプに基づいてオープン又は完了活動にデフォルト設定する）、又はユーザにいずれかの活動情報が情報フィールド４９に提示される前に利用可能なフィルタアイコン９２８の１つを選択するように促すことができる。
【０２４８】
任意的に、ユーザは、例えば、ヘッダ９１０にあるか又は他に情報フィールド４９に隣接した検索アイコン又はボタン９１４を選択することにより、１つ又はそれよりも多くの活動を検索することができる。例えば、ユーザが検索アイコン９１４を選択した時に、アクティブフィールドが開かれ、ユーザが、１つ又はそれよりも多くの検索語、例えば、活動カテゴリ、名前（例えば、患者、医師、チームメンバ、又は医療施設の名前）、日付、及び／又はワード検索を入力することを可能にする。１つ又はそれよりも多くの検索語が入力された時に、プロセッサ２２はローカルデータベースにアクセスし、検索基準を満足させる活動を検索して活動リストに適合する活動だけを提示することができる。そうでなければ、ヘッダメニューオプション９２６及び／又は９２８からの選択又はデフォルトに基づいて、ログインユーザ及びユーザのチームなどに割り当てられた活動の全てを提示するように設定することができる。
【０２４９】
図９Ａ及び図９Ｂに示すように、活動のリストは、一般的に、日付列９４０及び活動情報列９４２を含むことができ、例えば、任意的な見出しは、活動の行の上に示されない。例えば、日付列９４０の下のフィールドは、活動の日付情報フィールド９４０ａ及び活動カテゴリフィールド９４０ｂを含むことができる。日付情報フィールド９４０ａは、活動の日付及び／又は時間（例えば、第１行に示すように２０１３年４月１９日）、活動日付と現在の日付の関係（例えば、第３の行に示すように「今日」、図示しないが昨日又は明日）、及び／又は活動の持続時間（例えば、第１行に示すように午前１０から午前１１時、時間の他のブロック、及び最後の行に示すように「終日」など）の１つ又はそれよりも多くを含むことができる。活動カテゴリフィールド９４０ｂは、予約、電話、試験手順、移植手順のような活動のタイプの識別子を提供することができ、活動情報フィールドの詳細でポピュレートする必要なく活動のリストの精査を容易にすることができる。
【０２５０】
活動情報フィールド９４２は、当事者リストフィールド９４２ａ（一般的な名前、例えば、ＱＷＥ  ＡＨ及びＨＧＦ  ＤＨを含む）及び詳細説明フィールド９４２ｂを含むことができる。当事者リストフィールド９４２ａは、活動に関連付けられた当事者の１つ又はそれよりも多くの名前、例えば、１人又はそれよりも多くの患者、医師、チームメンバ、及び医療施設などを含むことができ、詳細説明フィールド９４２ｂは、自由形式又は活動自体の他の説明を含むことができる。
【０２５１】
図９Ａに示す例示的実施形態において、ユーザの活動の活動リストに対して、当事者リストフィールド９４２ａが最大２つの関連のある当事者を含むことができる。列挙される当事者は、予め決められた方法、例えば、患者／医師、患者／施設（関連付けられた医師がいない場合）、患者のみ（関連付けられた医師又は施設がない場合）、医師／施設（関連付けられた患者がいない場合）、医師のみ（関連付けられた患者又は施設がない場合）、又は施設のみ（関連付けられた患者又は医師がいない場合）の方式で優先順位を付けられる。
【０２５２】
これに代えて、図９Ｂに示す例示的実施形態において、チーム活動の活動リストに対して、当事者リストフィールド９４２ａは、最大３つの（又はいずれかの他の現在の数の）関連のある当事者を含むことができる。列挙された当事者は、予め決められた方法、例えば、患者／医師／チームメンバ、患者／施設／チームメンバ（関連付けられた医師がいない場合）、患者／チームメンバ（関連付けられた医師又は施設がない場合）、医師／施設／チームメンバ（関連付けられた患者がいない場合）、医師／チームメンバ（関連付けられた患者又は施設がない場合）、施設／チームメンバ（関連付けられた患者又は医師がいない場合）、又はチームメンバのみ（関連付けられた患者、医師、又は施設がない場合）のいずれかの方法で優先順位が付けられる。
【０２５３】
図示のように、活動は、古い順に並べ替えることができ、例えば、リストの上部に最も早い日付及びリストの底部に最も遅い日付に並べ替えることができる。活動リストが情報フィールド４９に提示することができるものよりも長い場合に、本明細書における他のページと同様に、ユーザは上又は下にスクロールして活動リストの他の活動を精査することができる。任意的に、活動リストの活動は他の方法で並べ替えることができ、例えば、新しい順に、例えば、列の上の領域を選択する及び／又はヘッダ９１０又は情報フィールド４９のサブメニュー（図示せず）を開くことによって並べ替えることができる。
【０２５４】
これに加えて又はこれに代えて、ユーザは、例えば、当事者の名前に隣接したアイコン又はボタン、例えば、第１行の一般名「ＦＧＤ  ＡＫ」に隣接したボタン９４ｃを選択することにより、リストの活動の当事者に関連付けられた活動を選択することができ、その結果、選択された当事者を識別する活動のリストが活動リストに含まれ、選択された当事者を識別しないいずれの活動も除かれる。
【０２５５】
これに加えて、図９Ａに示すように、ヘッダ９１０は、新しい活動バナー又はフィールド９１２を含むことができ、ユーザの活動リストに追加された及び／又はユーザがメインメニュー４８から活動アイコン４８ａを選択した最も新しい時間から追加された新しい活動の通知をユーザに提供することができる。例えば、医療データベース１４と同期される別の電子デバイス１８を使用して、ユーザに割り当てられた又は他に別のチームメンバ又は人によって追加された活動をユーザの電子デバイス１８が医療データベース１４と同期した時にローカルデータベースに追加することができ、それによって新しい活動としての資格が与えられる。図９Ａ及び図９Ｂに示す例示的実施形態において、新しい活動バナー９１２は、「１つの新しい活動」がユーザに割り当てられたことを示す。
【０２５６】
任意的に、新しい活動の位置付け及び／又は精査を容易にするために、フラグ又は他のインジケータを各新しい活動に関連付けることができる。例えば、図９Ａに示すように、「新しい」インジケータ９４０ｃは、例えば、活動の日付情報フィールド９４０ａの上又はこれに隣接した新しい活動の日付列９４０に含まれる。ユーザが活動を選択及び精査した後に、「新しい」インジケータ９４０ｃが取り除かれる。これに代えて、情報フィールド４９は、例えば、他のリストに使用されるフラグ列と同様に、他の列の1つに隣接した別のフラグ列（図示せず）を含むことができる。この代替では、新しい活動がフラグを含むことができ、例えば、ユーザが活動を精査した後でフラグを選択及び取り除くことができる。
【０２５７】
これに加えて、必要に応じて、ユーザは活動を選択して更に詳しい情報を精査することができる。例えば、ユーザは、望ましい活動の行を選択、例えば、タッチ及びホールドすることができ、その結果、活動リストが、図９Ｃの活動追加ページと同様とすることができる活動詳細ページ又は画面で置換される。ユーザが精査（及び／又は活動の編集）を終了した時に、ユーザは、例えば、図９Ｃに示す保存又は取り消しアイコンと同様にバックアイコン又はボタン（図示せず）を選択して活動リストページに戻ることができる。
【０２５８】
図１０Ａを参照すると、アプリケーションは、ユーザが、当該の１つ又はそれよりも多くの製品を検索することも可能にする。例えば、一部の医療分野では、販売代理人に、例えば、中央倉庫又は他の在庫システムからシステム、構成要素、又は他の部品の在庫が割り当てられる。従って、部品のための中央位置を有することに加えて又はこれに代えて、販売代理人は、手順中に要求された時に使用することができる部品の供給を維持することができる。
【０２５９】
例えば、脊髄刺激又は「ＳＣＳ」治療の分野において、販売代理人及び／又は他のチームメンバは、いくつかのリード、外部刺激器、移植刺激器、及び外部コントローラなどを自らが所持して又は個人的な在庫に維持することができる。従って、販売代理人が試験又は移植手順に付き添う時に、販売代理人は、中央位置から部品を要求するのではなく手順のための部品の個人的な在庫にアクセス可能である。そのような分散在庫構成は、中央倉庫から部品が出荷されることを待つのとは対照的に患者の時宜に合った治療を容易にすることができる。
【０２６０】
そのような分散在庫構成の維持を容易にするために、医療データベース１４は、各受け持ち区域内の各販売代理人又は他のチームメンバに割り当てられた製品の現在の在庫を維持することができる。図１及び２を更に参照すると、電子デバイス１８が医療データベース１４と同期した時に、医療データベース１４は、それぞれの電子デバイス１８に対して選択された受け持ち区域の現在の在庫情報を受信することができ、それによって検索可能な在庫データベースを提供する。これに代えて、ローカルデータベースは、分散在庫情報を含まなくてもよく、代わりに電子デバイス１８は、検索問合せを管理者サーバ１２に送信することができ、以下に更に説明するように、管理者サーバ１２が医療データベース１４にアクセスして、関連のある検索結果を電子デバイス１８に提供することができる。
【０２６１】
例えば、図１０Ａを参照すると、在庫アイコン４８ｅがメインメニュー４８から選択された時に電子デバイス１８に提示することができる例示的な在庫検索ページ又は画面が示されている。他のページと同様に、選択された時に、在庫アイコン４８ｅが強調表示され、又は他にメインメニュー４８の他のアイコンから区別される。
【０２６２】
図示のように、在庫検索ページの情報フィールド４９は、例えば、１つ又はそれよりも多くの検索フィールド１０１２、検索アイコン又はボタン１０１４、及びリセットアイコン又はボタン１０１６を含む検索ウィンドウ１０１０を含むことができる。検索ウィンドウ１０１０は、いくつかの検索フィールド１０１２を含むことができ、この検索フィールド１０１２、例えば、エリアフィールド１０１２ａ、領域フィールド１０１２ｂ、従業員フィールド１０１２ｃ、部品番号フィールド１０１２ｄ、及び部品説明フィールド１０１２ｅに対して、ユーザは検索語を入力することができる。ユーザは、１つ又はそれよりも多くの語を１つ又は複数のフィールド１０１２に入力することができ、次に、検索アイコン１０１４を選択して、プロセッサ２２にローカルデータベースにアクセスして検索するように示すか又は検索問合せを管理者サーバ１２に送信することができる。ユーザが検索基準を変更すると決定した場合に、いずれの時間にも、ユーザは、リセットアイコン１０１６を選択していずれかの検索フィールド１０１２をクリアにして新たに始めることができる。
【０２６３】
検索フィールド１０１２は、自由形式フィールドにすることができ、又はプルダウン又は他の固定オプションサブメニュー（図示せず）を含むことができる。例えば、ローカルデータベースの受け持ち区域内で、エリア又は領域の固定数を存在させることができ、ユーザがエリアフィールド１０１２ａ又は領域フィールド１０１２ｂを選択した時に、利用可能なエリア又は領域を備えたプルダウンサブメニューを提示することができ、ユーザは、ユーザが望ましいエリア又は領域を見出して選択するまでオプションをスクロールすることができる。同様に、ユーザは従業員フィールド１０１２ｃを選択することができ、受け持ち区域内（又はエリア又は領域フィールド１０１２ａ、１０１２ｂから選択された場合はエリア又は領域内）の従業員全員のリストを含むプルダウンサブメニューを提示させることができる。
【０２６４】
同様に、利用可能な部品の数が制限される場合に、ユーザは、部品番号フィールド１０１２ｄを選択することができ、相応に部品番号のプルダウンサブメニューが示され、ユーザがスクロールして望ましい部品番号を選択することができる。これに代えて、部品番号フィールド１０１２ｄは、ユーザが、部品番号の全て又は一部を部品番号フィールド１０１２ｄに入力することを可能にする。プロセッサ２２は、番号が入力される場合に望ましい部品番号の予想を試みることができ、又は検索アイコン１０１４を選択する前にユーザが入力したい情報の全てをユーザが入力することを単純に待つことができる。最後に、ユーザは、ユーザが望む部品又は複数の部品を説明するための語を部品説明フィールド１０１２ｅに入力することができ、ユーザが部品番号を知らない望ましい部品を位置付けることを容易にすることができる。
【０２６５】
例えば、ユーザがある地理的位置で手順に付き添うことを必要とするが手順のための１つ又はそれよりも多くの部品を有していないことをユーザが学習した場合に、ユーザは、エリア又は領域フィールド１０１２ａ、１０１２ｂで手順の位置を含むエリア又は領域、及び部品番号及び／又は部品説明フィールド１０１２ｄ、１０１２ｅの部品番号及び／又は部品説明を選択する検索を実行することができる。次に、ユーザは、検索アイコン１０１４を選択して、入力された基準に適合する検索結果を取得することができる。別の例では、ユーザは、特定のチームメンバがある部品を有することを知ることができ、部品番号及び／又は部品説明フィールド１０１２ｄ、１０１２ｅに追加の情報を入力することで又は入力しなくても、従業員フィールド１０１２ｃのそのチームメンバを選択することができる。
【０２６６】
図１０Ｂを参照すると、領域が領域フィールド１０１２ｂで選択され、検索アイコン１０１４が選択されて検索を開始している例示的な検索結果ページ又は画面が示されている。図示のように、検索結果ページの情報フィールドは、結果フィールド１０２０、例えば、検索フィールド１０１０の下又は他に隣接した在庫リストを含むことができる。
【０２６７】
上述のように、ローカルデータベースが現在の在庫情報を含む場合に、電子デバイス１８のプロセッサ２２は、ローカルデータベースにアクセスして、検索基準を満足させるいずれかの部品、この場合は領域フィールド１０１２ｂに入力された領域「ＸＹＺＡＢ」（受け持ち区域の一般名）内のいずれかの部品を識別することができ、利用可能な部品のリストを生成することができる。
【０２６８】
これに代えて、ローカルデータベースが現在の在庫情報を含まない場合に、プロセッサ２２は、検索要求を電子デバイス１８の通信インタフェース２６を通じて管理者サーバ１２に例えば検索フィールド１０１２へのエントリ（この場合に、領域フィールド１０１２ｂに入力された領域「ＸＹＺＡＢ」内のいずれかの部品）を識別する要求をネットワーク１０を通じて送信することができる。次に、管理者サーバ１２は、医療データベース１４にアクセスして、検索基準を満足させるいずれかの部品を識別して、要求を満足させる利用可能な部品のリストを含むデータファイルを電子デバイス１８に送信することができる。
【０２６９】
この後で、ローカルデータベース又は管理者サーバ１２からに関わらず、次に、プロセッサ２２は、任意的に在庫リスト１０２０の各部品に関連付けられた追加の情報を含む利用可能な部品のリストをディスプレイ２８ａに提示することができる。例えば、図１０Ｂに示すように、在庫リスト１０２０は、見出しのタイトル行１０２２及び検索基準を満足させる情報部分を含む行１０２４を含む。図示の例示的実施形態において、見出し１０２２は、従業員１０２２ａ、領域１０２２ｂ、部品番号１０２２ｃ、部品説明１０２２ｄ、及び数量１０２２ｅを含む。これらの見出し１０２２の下の行１０２４は、対応する情報、例えば、検索条件を満足させる部品の部品番号及び説明１０２４ｃ、１０２４ｄ、個別の在庫が利用可能な部品を含む従業員又はチームメンバの名前１０２４ａ、チームメンバ１０２４ａの領域１０２４ｂ、及びチームメンバの個別の在庫における部品の各々の数１０２４ｅでポピュレートすることができる。
【０２７０】
これに加えて、在庫リスト１０２０は、追加の列、例えば、従業員コンタクトアイコンの列１０２２ｆ、及び「＞」又は「詳細情報」アイコンの列１０２２ｇを含むことができる。従業員コンタクトアイコン１０２２ｆを選択して、選択されたチームメンバに関する追加の情報を提示することができ、例えば、情報の「クイックビュー」を提供することができる。例えば、図７Ｃに示すウィンドウと同様に、ユーザは従業員コンタクトアイコン１０２２ｆを選択することができ、その結果、選択されたチームメンバのコンタクト情報、例えば、電話番号、電子メールアドレス、及び物理的な住所などを含む補足ウィンドウ（図示せず）を在庫リストの上に重ねるか又は他にディスプレイ２８ａに提示することができる。
【０２７１】
「＞」アイコン１０２２ｇは、ユーザによって選択され、選択された行で識別された部品に関する追加の情報を提示することができる。例えば、「＞」アイコンを選択することができ、相応に図１０Ｂに示すように「＞」アイコンが「Ｖ」アイコン１０２６ｇに切り換えられ、補足ウィンドウ１０２８を在庫リスト１０２０内又はこれに隣接して提示することができる。例えば、補足ウィンドウ１０２８は、選択された「＞」アイコンの行のすぐ下に提示することができ、それによって選択された部品のチームメンバ名及び部品番号などの情報を見ることができる。選択された行の下の次の行は、図のように補足ウィンドウ１０２８の下に押下げることができる（又は補足ウィンドウ１０２８は、選択された行の下の行の上に重ねることができる）。「Ｖ」アイコン１０２６ｇが再度選択された時に、補足ウィンドウ１０２８は取り除かれ「＞」アイコンが戻り、それによって選択された行に隣接して次の行が折り畳まれる。
【０２７２】
補足ウィンドウ１０２８は、選択された行で識別された部品に関する特定の情報、例えば、図のように識別されたチームメンバが所持している部品の個々の製造番号１０２８ａ及び／又は有効期限１０２８ｂを含むことができる。例えば、医療デバイスは、それまでにデバイスを患者の治療、例えば、移植又はそれ以外の使用に対して使用すべきである日付を有することができる。保管期限又は「満了」日付後は、患者の治療にデバイスを使用してはならないが、他の目的、例えば、患者及び医師などのためのサンプルとして及びデバイスに関して深く学ぶためなどに使用することができる。
【０２７３】
任意的に、図示のように、有効期限１０２８ｂを色分けして、その有効期限に対して利用可能な部品の各々のステータスを識別することができる。例えば、補足ウィンドウ１０２８における有効期限１０２８ｂ−１は赤又は別の色にすることができ、識別された部品がその有効期限を過ぎていることを示す。有効期限１０２８ｂ−２は金又は別の色にすることができ、識別された部品がその有効期限に近づいている、例えば、その有効期限から３０日又は他の事前設定範囲内であることを示す。有効期限１０２８ｂ−３は黒又は別の色にすることができ（例えば、補足ウィンドウ１０２８及び／又は在庫リスト１０２０の他のテキストと同様）、識別された部品がその有効期限に近づいていないこと、例えば、その有効期限から３０日又は他の事前設定範囲外であることを示す。
【０２７４】
このようにして、ユーザは、その有効期限に達していない利用可能な部品を迅速かつ容易に識別することができる。特に、ユーザが近づいている手順を有し、別のチームメンバから部品を必要とする場合に、ユーザは、その有効期限に近い部品（しかし、満了していない）を識別して部品が有効期限に達しないように部品を使用することができる。その有効期限を超えた部品は、必要に応じてデモンストレーション又は他の目的のように選択することができる。従って、個々の部品の有効期限及び／又は製造番号を色分けすることで、その有効期限に近い部品がかなり長い間保管される前に選択され使用されるようにすることができる。
【０２７５】
任意的に、ユーザが、取得したい利用可能な部品を識別した時に、ユーザは、望ましい部品を所持しているチームメンバとのコンタクトを開始することができ、例えば、選択された医療デバイスの配送を準備することができる。例えば、ユーザは、望ましいチームメンバの従業員コンタクトアイコン１０２４ｆを選択することができ、その結果、チームメンバのコンタクト情報を含む補足ウィンドウ（図示せず）を提示することができる。次に、ユーザは、チームメンバとコンタクトしてチームメンバが望ましい部品を出荷又は配送するように要求することができる。例えば、補足ウィンドウは電子メールアイコン（図示せず）を含むことができ、ユーザはアイコンを選択して電子メール通信をチームメンバに送信することができる。
【０２７６】
通信は、チームメンバに直接に（すなわち、管理者サーバ１２を通ることはないがネットワーク１０のような他の既存の通信ネットワークを通じて）、例えば、電子デバイス１０で利用可能な電子メールソフトウエアを使用して送信することができる。これに代えて、電子デバイス１８は、通信インタフェース２６を通じて他のチームメンバの電子デバイス１８への配信を意図された管理者サーバ１２に通信を送信することができる。例えば、通信は、他のチームメンバが望ましい部品を出荷し、又は個別に望ましい部品を医師及び／又は手順が実行される医療施設に又はユーザに配送するように要求することができる。更に、通信は、望ましい部品の特定の製造番号を識別することができ、例えば、その有効期限に近づいている部品が配送されるように要求することができる。
【０２７７】
任意的に、在庫リスト１０２０にある情報を１つ又はそれよりも多くの方法で並べ替えることができる。例えば、見出し１０２２の１つ又はそれよりも多くは、関連付けられたアイコン又はアクティブフィールド（図示せず）を含むことができ、これを選択することができ、選択に応答して、行１０２４を選択された見出し１０２２に基づいて並べ替えることができる。例えば、ユーザは、従業員見出し１０２２ａを選択して、他の検索条件を別に満足させる受け持ち区域内の各チームメンバが有する部品を探すことができる。この方式で、ユーザは、ユーザが必要とする複数の部品を有する単一チームメンバを識別することができ、従って、いくつかのチームメンバからの配送を調節する必要なく１人のチームメンバからの部品をユーザが取得することを容易にする。
【０２７８】
これに代えて、ユーザは、部品番号又は部品説明見出し１０２２ｃ、１０２２ｄを選択し、番号又は説明によって部品を並べ替えることができる。これは、ユーザが部品番号又は部品説明検索フィールド１０１２ｄ、１０１２ｅに部分的な部品番号又は部品説明しか入力しない場合に、例えば、ユーザが完全な部品番号又は説明を知らない場合に、ユーザが類似の部分的な部品番号又は説明などを有する複数の部品を検索したい場合に有用とすることができる。
【０２７９】
別の代替では、在庫リスト１０２０は、図１０Ｂに示されているものに加えて又はこれに代えて１つ又はそれよりも多くの追加の列を含むことができ、又はユーザが、在庫リストを拡張するか又は１つ又はそれよりも多くの列を在庫リストに追加することができる。例えば、在庫リスト１０２０の補足ウィンドウ１０２８に示されている製造番号又は有効期限列を追加して、その有効期限によって部品を並べ替えるのが望ましい。従って、ユーザは、エリア又は領域全体で特定の部品を探し、これを並べ替えて有効期限の最も近い部品を選択することができる。
【０２８０】
図１１Ａ−１１Ｅを参照すると、販売活動アイコン４８ｆがメインメニュー４８から選択された時に提示することができる例示的なページ又は画面が示されている。本明細書における他のページと同様に、販売活動アイコン４８ｆは、メインメニュー４８の他のアイコンに対して強調表示され、例えば、患者を治療し、将来の販売を予想するのに使用される実際の製品販売に基づいて、医療デバイスの販売に関連付けられた情報を含む情報フィールド４９を提示することができる。
【０２８１】
一般的に、図１１Ａに示すように、情報フィールド４９は、電子デバイス１８のローカルデータベースからアクセスされてディスプレイ２８ａ上に提示されるデータを含むことができる。これに代えて、管理者サーバ１２に要求を送信することによってデータを取得することができ、次に、管理者サーバ１２が医療データベース１４にアクセスして望ましいデータを生成し、データをディスプレイ２８ａ上に提示するために電子デバイス１８に送信することができる。
【０２８２】
図１１Ａは、販売活動アイコン４８ｆがメインメニュー４８から最初に選択された時に提示されるデフォルト販売タブページを表すことができる。これに代えて、図１１Ｃのパイプラインタブページ又は図１１Ｄの予想タブページは、デフォルトページとすることができる。それにも関わらず、ページの各々は、タブメニュー１１１０を含むことができ、例えば、販売アイコン又はボタン１１１０ａ、パイプラインアイコン又はボタン１１１０ｂ、及び予想アイコン又はボタン１１１０ｃを含み、ユーザが、図１１Ａ、図１１Ｃ、及び図１１Ｄのページをそれぞれ切り換えることを可能にする。
【０２８３】
図１１Ａは、情報フィールド４９が販売要約ウィンドウ１１２０を含む例示的なページを示し、例えば、本明細書の他の箇所で説明するように試験手順又は長期移植手順において患者を治療するために販売及び使用される製品に関する情報を提供することができる。更に、情報フィールド４９は、カレンダーメニュー１１３０を含むことができ、例えば、ユーザが販売要約ウィンドウ１１２０に含まれた情報の日付範囲を変更することを可能にする複数の４つ割りアイコン又はボタン１１３２を含む。
【０２８４】
例えば、図１１Ａに示すように、全体アイコン１１３２ａが選択され、その結果、全暦年（又は現在の年の日付までの１年間）の販売データが販売要約ウィンドウ１１２０に含まれる。比較により、図１１Ｂでは、Ｑ１アイコン１１３２ｂがカレンダーメニュー１１３０で選択され、その結果、暦年の最初の３カ月だけの販売データが販売要約ウィンドウ１１２０に含まれる。カレンダーメニュー１１３０は、年メニュー１１３４を含むことができ、例えば、これを選択して年を変更し、４つ割りアイコン１１３２は、販売要約ウィンドウ１１２０に含まれるデータの識別された年の期間を識別する。
【０２８５】
図１１Ｃを参照すると、パイプラインアイコン１１１０ｂが選択された時に、情報フィールド４９は、患者リストを含むことができ、例えば、治療を考えている、治療の完了を予定されているがまだ非アクティブになっていない患者を識別する。患者リストは、一般的に、患者名１１４０ａ、ステージ１１４０ｂ、医師１１４０ｃ、及び施設１１４０ｄのような見出し１１４０を含むタイトル行を含み、行１１４２は、患者の名前、患者の現在のステージと、それぞれの患者に関連付けられた医師及び／又は医療施設とを含むことができる。他のリストと同様に、患者リストは、例えば見出し１１４０の１つを選択することにより、アルファベットメニュー１１１６から文字を選択することにより、又は検索フィールド１１４６を使用することによって並べ替えることができ、例えば、特定の患者、ステージ、医師、又は施設を探すことができる。更に、ステージメニュー１１４４を提供することができ、ユーザが、全てのステージの患者を含むことを可能にし、又はステージメニュー１１４４のプルダウンメニューから個々のステージを選択し、選択されたステージに現在ある患者だけを含むことができる。
【０２８６】
図１１Ｄ及び図１１Ｅを参照すると、予想アイコン１１１０ｃが選択された時の例示的なページが示されている。これらのページでは、ユーザは、販売予想ウィンドウ１１５０のユーザの販売予想を表示及び編集することができる。
【０２８７】
本発明は、様々な修正及び代替形態の余地があるが、本発明の特定の例を図に示して本明細書に詳しく説明したものである。しかし、本発明は、開示する特定の形態又は方法に制限されず、逆に、本発明は、添付の特許請求の範囲に入る全ての修正物、均等物、及び代替物を網羅するものとすることを理解しなければならない。
以下に本発明の実施態様を記載する。
（実施態様１）医学的治療中の患者を管理するためのシステムであって、
サーバと、
前記サーバと通信し、医学的治療を受けている受け持ち区域内の患者に関連付けられた患者情報を含む医療データベースであって、該医療情報が、治療のステージを示す各患者のステータス、１つ又はそれよりも多くの治療前ステージ、及び１つ又はそれよりも多くの治療ステージを含む前記医療データベースと、
前記サーバと前記受け持ち区域内の少なくとも１人のそれぞれのチームメンバに関連付けられた複数のチーム電子デバイスとの間で通信するための通信インタフェースであって、患者が治療のステージの間で進められたことを示す個々のチーム電子デバイスからの通信を受信し、その結果、該サーバが前記医療データベース内の該患者のステータスを更新して該治療のステージの間の患者の現在のステータスを反映するように構成された前記通信インタフェースと、を含み、
前記サーバは、前記通信インタフェースを通じて、前記チーム電子デバイスのローカルデータベースを前記医療データベースと同期させ、チームメンバが該医療データベース内の個々の患者の前記現在のステータスを精査することができるように該医療データベース内の該患者のステータスによって該ローカルデータベースを更新するように構成される、  ことを特徴とするシステム。
（実施態様２）前記通信の少なくとも一部が、識別された患者が治療候補ステージから治療前ステージに又は治療前ステージから治療ステージにのうちの一方に進められたという確認を含むことを特徴とする実施態様１に記載のシステム。
（実施態様３）前記通信の少なくとも一部が、識別された患者が治療候補ステージから試験手術前ステージに、試験手術前ステージから試験治療ステージに、試験治療ステージから移植準備ステージに、又は移植準備ステージから移植ステージにのうちの１つに進められたという確認を含むことを特徴とする実施態様１に記載のシステム。
（実施態様４）前記通信の少なくとも一部が、識別された患者が治療候補ステージから治療前ステージに進められたことを確認し、
前記通信の少なくとも一部が、身体の少なくとも一部分のグラフィック画像と、前記識別された患者の入力に少なくとも部分的に基づいて治療のための該識別された患者の身体の１つ又はそれよりも多くの領域を識別するチーム電子デバイスを使用して該グラフィック画像に追加された診察しるしと、を含む診察画像を含み、前記サーバは、該診察画像を含めるように前記医療データベースを更新する、
ことを特徴とする実施態様２に記載のシステム。
（実施態様５）前記通信の少なくとも一部が、以前に治療候補ステージから治療前ステージに進められた識別された患者が、該識別された患者が治療の予定に入れられたことを示す治療ステージに更に進められたことを確認し、該通信は、該予定に入れた治療を完了すると予想される医師、該予定に入れた治療の治療日付、該予定に入れた治療が完了されることになる治療施設、該予定に入れた治療に付き添うように割り当てられたチームメンバ、該識別された患者に関する保険情報、及び該予定に入れた治療を意図された該識別された患者の身体の１つ又はそれよりも多くの領域、のうちの１つ又はそれよりも多くを含む、識別された患者の予定に入れた治療に関する情報を含むことを特徴とする実施態様４に記載のシステム。
（実施態様６）前記通信を送信する第１のチームメンバ電子デバイスからの該通信の少なくとも一部が、第２のチームメンバに前記予定に入れた治療に付き添うように要求する該第２のチームメンバに割り当てられる活動を含み、前記サーバは、該活動を第２のチームメンバ電子デバイスに通信するように構成されることを特徴とする実施態様５に記載のシステム。
（実施態様７）前記通信の少なくとも一部が、治療の予定に入れられた識別された患者が治療を完了したことを確認し、該通信は、該識別された患者の前記診察画像と、該患者の入力に少なくとも部分的に基づいて該治療によって影響を受けた該識別された患者の身体の１つ又はそれよりも多くの領域を識別する、チーム電子デバイスを使用して前記グラフィック画像に追加された治療しるしと、を含む治療画像を含み、前記サーバは、該治療画像を含めるように前記医療データベースを更新することを特徴とする実施態様５に記載のシステム。
（実施態様８）前記通信の少なくとも一部が、チームメンバ電子デバイスで撮られた、前記識別された患者の治療に関連する画像の１つ又はそれよりも多くの写真を含み、前記サーバは、該１つ又はそれよりも多くの写真を含めるように前記医療データベースを更新することを特徴とする実施態様７に記載のシステム。
（実施態様９）前記通信の少なくとも一部が、前記治療中に使用されることになる１つ又はそれよりも多くの製品に関連する情報を含むことを特徴とする実施態様５に記載のシステム。
（実施態様１０）１つ又はそれよりも多くの製品に関連する前記情報は、該１つ又はそれよりも多くの製品に対する購入注文の番号、該１つ又はそれよりも多くの製品に対する購入注文の値段、該１つ又はそれよりも多くの製品に対する購入注文の日付、及び該１つ又はそれよりも多くの製品に対する型式番号のうちの１つ又はそれよりも多くを含むことを特徴とする実施態様９に記載のシステム。
（実施態様１１）前記サーバが、識別された患者が治療候補ステージから治療前ステージに又は治療前ステージから治療ステージにのうちの一方に進められたという確認を受信した時に、該サーバは、該治療前ステージ又は治療ステージに関する情報を含む通信を該識別された患者に送信するように構成されることを特徴とする実施態様２に記載のシステム。
（実施態様１２）前記サーバは、前記通信が前記識別された患者に送信される前に該識別された患者への該通信を無効にするか又はカスタマイズする機会を代理人に提供するための通信を該識別された患者に割り当てられた代理人に送信するように構成されることを特徴とする実施態様１１に記載のシステム。
（実施態様１３）受け持ち区域内のそれぞれのチームメンバに関連付けられた複数のチーム電子デバイスと通信するサーバを使用して医学的治療中の患者を管理する方法であって、医学的治療を受けている該受け持ち区域内の患者に関連付けられた患者情報を含む医療データベースが、該サーバと通信され、該医療情報が、治療候補ステージ、１つ又はそれよりも多くの治療前ステージ、及び１つ又はそれよりも多くの治療ステージの間の治療のステージを示す各患者のステータスを含み、
方法が、
前記サーバで、治療候補ステージでの患者が治療を進めることを決意したことを示すチーム電子デバイスからの第１の通信を受信し、該サーバが、該患者の前記ステータスを治療前ステージに更新する段階と、
前記サーバで、前記患者が治療の予定に入れられたことを示すチーム電子デバイスからの第２の通信を受信し、該サーバが、前記医療データベース内の該患者の前記ステータスを治療ステージに更新する段階と、
前記サーバで、前記患者が治療を完了したことを示すチーム電子デバイスからの第３の通信を受信する段階と、を含み、
前記サーバは、前記医療データベースを前記チーム電子デバイス上のローカルデータベースと間欠的に同期させ、前記患者の前記ステータスを含む該患者に関する情報によって該ローカルデータベースを更新する、ことを特徴とする方法。
（実施態様１４）前記第２の通信は、前記予定に入れた治療を完了すると予想される医師を識別する医師名、該予定に入れた治療の治療日付、該予定に入れた治療が完了されることになる治療施設、該予定に入れた治療に付き添うように割り当てられたチームメンバ、前記患者に対する保険情報、及び該予定に入れた治療を意図された該患者の身体の１つ又はそれよりも多くの領域、のうちの少なくとも１つを含む、該予定に入れた治療に関連する情報を含み、前記サーバは、該情報を含めるように前記医療データベースを更新することを特徴とする実施態様１３に記載の方法。
（実施態様１５）前記第２の通信は、身体の少なくとも一部分のグラフィック画像と、前記患者の入力に少なくとも部分的に基づいて治療のための該患者の身体の１つ又はそれよりも多くの領域を識別する、チーム電子デバイスを使用して該グラフィック画像に追加された診察しるしと、を含む診察画像を更に含み、前記サーバは、該診察画像を含めるように前記医療データベースを更新することを特徴とする実施態様１４に記載の方法。
（実施態様１６）前記第３の通信は、前記診察画像と、前記患者の入力に少なくとも部分的に基づいて前記治療によって影響を受けた該患者の身体の１つ又はそれよりも多くの領域を識別する、チーム電子デバイスを使用して追加された治療しるしと、を含む治療画像を更に含み、前記サーバは、該治療画像を含めるように前記医療データベースを更新することを特徴とする実施態様１５に記載の方法。
（実施態様１７）前記第３の通信は、チームメンバ電子デバイスによって撮られた、前記患者の前記治療に関連する画像の１つ又はそれよりも多くの写真を更に含み、前記サーバは、該１つ又はそれよりも多くの写真を含めるように前記医療データベースを更新することを特徴とする実施態様１６に記載の方法。
（実施態様１８）前記第２の通信は、チームメンバに割り当てられて該チームメンバに前記予定に入れた治療に付き添うように要求する活動を更に含み、
前記サーバが前記活動を含む通信を前記割り当てられたチームメンバによって使用されるチームメンバ電子デバイスに送信する段階を更に含む、
ことを特徴とする実施態様１４に記載の方法。
（実施態様１９）前記第１及び第２の通信は、同じチーム電子デバイスから受信されることを特徴とする実施態様１３から実施態様１８のいずれか１項に記載の方法。
（実施態様２０）前記第２及び第３の通信は、同じチーム電子デバイスから受信されることを特徴とする実施態様１９に記載の方法。
（実施態様２１）前記第２の通信は、第１のチーム電子デバイスから受信され、
前記第３の通信は、第２のチーム電子デバイスから受信される、
ことを特徴とする実施態様１３から実施態様１８のいずれか１項に記載の方法。
（実施態様２２）前記第２の通信は、前記予定に入れた治療中に使用されることになる１つ又はそれよりも多くの製品に関連する情報を更に含むことを特徴とする実施態様１３から実施態様２１のいずれか１項に記載の方法。
（実施態様２３）前記医学的治療は、疼痛管理治療を含むことを特徴とする実施態様１３から実施態様２２のいずれか１項に記載の方法。
（実施態様２４）前記医学的治療は、脳深部刺激を含むことを特徴とする実施態様１３から実施態様２２のいずれか１項に記載の方法。
（実施態様２５）前記医学的治療は、過活動膀胱に関して前記患者を治療することを含むことを特徴とする実施態様１３から実施態様２２のいずれか１項に記載の方法。
（実施態様２６）前記医学的治療は、ぜんそくに関して前記患者を治療することを含むことを特徴とする実施態様１３から実施態様２２のいずれか１項に記載の方法。
（実施態様２７）前記第１及び第２の通信のうちの一方の受信に応答して、前記サーバは、前記治療前ステージ又は治療ステージに関する情報を含む通信を前記患者に送信することを特徴とする実施態様１３から実施態様２６のいずれか１項に記載の方法。
（実施態様２８）前記患者に前記通信を送信する前に、前記サーバは、該患者に割り当てられた代理人に該患者への該通信を無効にするか又はカスタマイズする機会を該代理人に提供するための通信を送信することを特徴とする実施態様２７に記載の方法。
（実施態様２９）疼痛管理治療を考えている患者を管理するためのシステムであって、
管理者サーバと、
前記管理者サーバと通信し、疼痛管理治療を考えている受け持ち区域内の患者に関連付けられた患者情報を含む医療データベースであって、該医療情報が、ａ）候補ステージ、ｂ）代理人コンタクトステージ、ｃ）試験手術前ステージ、ｄ）試験ステージ、ｅ）移植準備ステージと、及びｆ）移植ステージのうちの１つから選択された治療のステージを示す各患者のステータスを含む前記医療データベースと、
前記受け持ち区域内のそれぞれのチームメンバに関連付けられた複数のチーム電子デバイスであって、各チーム電子デバイスが、ローカルデータベースと、チームメンバが該ローカルデータベース内の患者のステータスを該チームメンバが該患者に遭遇した時に更新することができるグラフィカルユーザインタフェースと、患者のステータスの更新を前記管理者サーバを通じて前記医療データベースに通信するための通信インタフェースとを含む前記複数のチーム電子デバイスと、
ローカルデータベースを前記医療データベースと同期するために前記管理者サーバと前記チーム電子デバイスの間で通信するためのサーバ通信インタフェースと、
を含むことを特徴とするシステム。
（実施態様３０）疼痛管理治療中の患者を管理する方法であって、
ａ）疼痛管理治療の候補である患者に関する情報と、該患者の治療のステージを表す複数のアイコンを含むスケールと、を第１のチーム電子デバイスのディスプレイ上に提示する段階と、
ｂ）前記患者との初期診察の後に、
ｉ）前記第１のチーム電子デバイスのユーザインタフェースを通じて、前記患者が試験疼痛管理治療に入りたいという確認を含む患者情報を入力する段階と、
ｉｉ）前記第１のチーム電子デバイスの前記ディスプレイ上に提示されたアイコンを選択して前記患者を試験手術前ステージに進める段階と、
ｃ）この後で、前記患者との試験前診察中又はその後に、
ｉ）第２のチーム電子デバイスのディスプレイ上に、前記第１のチーム電子デバイスを使用して入力された情報を含む前記患者に関する情報を提示し、前記スケール上の第２のアイコンが、該スケール上の他のアイコンに対して強調表示されて該患者が前記試験手術前ステージにあることを示す段階と、
ｉｉ）前記第２のチーム電子デバイスのユーザインタフェースを通じて、前記患者によって体験されている疼痛に関する疼痛情報を入力する段階と、
ｉｉｉ）前記第２のチーム電子デバイスの前記ディスプレイ上に提示されたアイコンを選択して前記患者を試験ステージに進める段階と、
ｄ）この後で、１組のリードが前記患者の身体に移植される試験手順の後に、
ｉ）第３のチーム電子デバイスのディスプレイ上に、前記第２のチーム電子デバイスを使用して入力された情報を含む前記患者に関する疼痛情報を提示し、前記スケール上の第３のアイコンが、該スケール上の他のアイコンに対して強調表示されて該患者が前記試験ステージにあることを示す段階と、
ｉｉ）前記第３のチーム電子デバイスのユーザインタフェースを通じて、前記第２の手順の後に前記患者によって体験されている疼痛治療に関する試験治療情報を入力する段階と、を含むことを特徴とする方法。
（実施態様３１）前記第２のチーム電子デバイスは、前記第１のチーム電子デバイスと同じ電子デバイスであることを特徴とする実施態様３０に記載の方法。
（実施態様３２）前記第３のチーム電子デバイスは、前記第２のチーム電子デバイスと同じ電子デバイスであることを特徴とする実施態様３１に記載の方法。
（実施態様３３）前記第２のチーム電子デバイスは、前記第１のチーム電子デバイスとは異なる電子デバイスであることを特徴とする実施態様３０に記載の方法。
（実施態様３４）前記第３のチーム電子デバイスは、前記第２のチーム電子デバイスとは異なる電子デバイスであることを特徴とする実施態様３３に記載の方法。
（実施態様３５）ｅ）前記試験手順の後の前記患者との診療後に、
ｉ）第４のチーム電子デバイスのディスプレイ上に、前記第３のチーム電子デバイスを使用して入力された情報を含む前記患者に関する患者情報を提示し、前記スケール上の第３のアイコンが、該スケール上の他のアイコンに対して強調表示されて該患者が前記試験ステージにあることを示す段階と、
ｉｉ）前記第４のチーム電子デバイスのユーザインタフェースを通じて、前記患者が永久疼痛管理システムの移植を完了したいという確認を含む患者情報を入力する段階と、    ｉｉｉ）前記チーム電子デバイスの前記ディスプレイ上に提示されたアイコンを選択して前記患者を移植準備ステージに進める段階と、
ｆ）この後で、第２の手順を予定に入れることを確認した後に、
ｉ）第５のチーム電子デバイスのディスプレイ上に、前記患者に関する患者情報を提示し、前記スケール上の第４のアイコンが、該スケール上の他のアイコンに対して強調表示されて該患者が前記移植準備ステージにあることを示す段階と、
ｉｉ）前記チーム電子デバイスの前記ディスプレイ上に提示されたアイコンを選択して前記患者を移植ステージに進める段階と、
ｇ）この後で、第２の組のリードが前記患者の身体に移植される第２の手順の後に、
ｉ）第６のチーム電子デバイスのディスプレイ上に、前記患者に関する疼痛情報を提示し、前記スケール上の第５のアイコンが、該スケール上の他のアイコンに対して強調表示されて該患者が前記移植ステージにあることを示す段階と、
ｉｉ）前記第６のチーム電子デバイスのユーザインタフェースを通じて、前記第２の手順の後に前記患者によって体験されている疼痛治療に関する治療情報を入力する段階と、
を更に含むことを特徴とする実施態様３０から実施態様３４のいずれか１項に記載の方法。
（実施態様３６）第４、第５、及び第６のチーム電子デバイスのうちの少なくとも１つが、前記第１、第２、及び第３のチーム電子デバイスのうちの少なくとも１つと同じ電子デバイスであることを特徴とする実施態様３５に記載の方法。
（実施態様３７）前記第１から第６のチーム電子デバイスの全てが、同じ電子デバイスであることを特徴とする実施態様３５に記載の方法。
（実施態様３８）第４、第５、及び第６のチーム電子デバイスのうちの少なくとも１つが、前記第１、第２、及び第３のチーム電子デバイスのうちの少なくとも１つとは異なる電子デバイスであることを特徴とする実施態様３５に記載の方法。
（実施態様３９）携帯式電子デバイスを使用して疼痛管理治療中の患者を管理する方法であって、
ａ）前記電子デバイスのディスプレイ上に、疼痛管理治療の候補である患者に関する情報と該患者の治療のステージを表す複数のアイコンを含むスケールとを提示する段階と、  ｂ）前記患者との初期診察の後に、
ｉ）前記ディスプレイ上に、前記患者に関する情報を提示し、前記スケール上の第１のアイコンが、該スケール上の他のアイコンに対して強調表示されて該患者が候補ステージにあることを示す段階と、
ｉｉ）前記電子デバイスのユーザインタフェースを通じて、前記患者が試験疼痛管理治療に入りたいという確認を含む患者情報を入力する段階と、
ｉｉｉ）前記ディスプレイ上に提示されたアイコンを選択して前記患者を試験手術前ステージに進める段階と、
ｃ）この後で、前記患者との試験前診察中又はその後に、
ｉ）前記ディスプレイ上に、前記患者に関する情報を提示し、前記スケール上の第２のアイコンが、該スケール上の他のアイコンに対して強調表示されて該患者が前記試験手術前ステージにあることを示す段階と、
ｉｉ）前記ユーザインタフェースを通じて、前記患者によって体験されている疼痛に関する疼痛情報を入力する段階と、
ｉｉｉ）前記ディスプレイ上に提示されたアイコンを選択して前記患者を試験ステージに進める段階と、
ｄ）この後で、１組のリードが前記患者の身体に移植される試験手順の後に、
ｉ）前記ディスプレイ上に、前記患者に関する疼痛情報を提示し、前記スケール上の第３のアイコンが、該スケール上の他のアイコンに対して強調表示されて該患者が前記試験ステージにあることを示す段階と、
ｉｉ）前記ユーザインタフェースを通じて、前記試験手順の後に前記患者によって体験されている疼痛治療に関する試験治療情報を入力する段階と、
を含むことを特徴とする方法。
（実施態様４０）ｅ）前記試験手順の後の前記患者との診察の後に、
ｉ）前記ディスプレイ上に患者情報を提示し、前記スケール上の第３のアイコンが、該スケール上の他のアイコンに対して強調表示されて該患者が前記試験ステージにあることを示す段階と、
ｉｉ）前記ユーザインタフェースを通じて、前記患者が永久疼痛管理システムの移植を完了したいという確認を含む患者情報を入力する段階と、
ｉｉｉ）前記ディスプレイ上に提示されたアイコンを選択して前記患者を移植準備ステージに進める段階と、
ｆ）この後で、第２の手順を予定に入れることを確認した後に、
ｉ）前記ディスプレイ上に、前記患者に関する患者情報を提示し、前記スケール上の第４のアイコンが、該スケール上の他のアイコンに対して強調表示されて該患者が前記移植準備ステージにあることを示す段階と、
ｉｉ）前記ディスプレイ上に提示されたアイコンを選択して前記患者を移植ステージに進める段階と、
ｇ）この後で、第２の組のリードが前記患者の身体に移植される第２の手順の後に、
ｉ）前記ディスプレイ上に、前記患者に関する疼痛情報を提示し、前記スケール上の第５のアイコンが、該スケール上の他のアイコンに対して強調表示されて該患者が前記移植ステージにあることを示す段階と、
ｉｉ）前記ユーザインタフェースを通じて、前記第２の手順の後に前記患者によって体験されている疼痛治療に関する治療情報を入力する段階と、
を更に含むことを特徴とする実施態様３９に記載の方法。
（実施態様４１）前記第２の手順の後に、
ｉ）前記ディスプレイ上に、前記患者に関する情報を提示し、前記スケール上の第５のアイコンが、該スケール上の他のアイコンに対して強調表示されて該患者が前記移植ステージにあることを示す段階と、
ｉｉ）以前の段階に対応する前記スケール上のアイコンを選択し、その結果、該以前の段階に対応する前記患者に関する前記情報が、前記ディスプレイ上に提示され、該以前の段階の該アイコンが、該スケール上の他のアイコンに対して強調表示される段階と、
を更に含むことを特徴とする実施態様４０に記載の方法。
（実施態様４２）前記試験手順の後に、
ｉ）前記ディスプレイ上に、前記患者に関する情報を提示し、前記スケール上の第３のアイコンが、該スケール上の他のアイコンに対して強調表示されて該患者が前記試験ステージにあることを示す段階と、
ｉｉ）以前の段階に対応する前記スケール上のアイコンを選択し、その結果、該以前の段階に対応する前記患者に関する前記情報が、前記ディスプレイ上に提示され、該以前の段階の該アイコンが、該スケール上の他のアイコンに対して強調表示される段階と、
を更に含むことを特徴とする実施態様３９に記載の方法。
（実施態様４３）前記ディスプレイ上に提示されたアイコンを選択して前記患者を試験手術前ステージに進める段階及び該ディスプレイ上に提示されたアイコンを選択して該患者を試験ステージに進める段階のうちの一方の段階時に、方法が、
前記試験手術前ステージ又は前記試験ステージに関する前記患者への草案通信を受信する段階と、
前記通信が前記患者に送信される前に前記草案通信を修正する段階又は該通信がそれ以上該患者に送信されないように該通信を無効にする段階のうちの一方と、
を更に含むことを特徴とする実施態様３９に記載の方法。
（実施態様４４）患者の医学的治療を管理するための携帯式電子デバイスであって、
プロセッサ、ディスプレイ、及びユーザインタフェースを含み、該プロセッサは、情報フィールドと前記患者の治療のステージを表す複数のアイコンを含むスケールとを該ディスプレイ上に提示するように構成され、該プロセッサは、
ａ）前記ディスプレイ上に、疼痛管理治療の候補である患者に関する情報と該患者の治療のステージを表す複数のアイコンを含むスケールとを提示し、
ｂ）前記患者との初期診察の後に、
ｉ）前記ディスプレイ上に、前記患者に関する情報を提示し、前記スケール上の第１のアイコンが、該スケール上の他のアイコンに対して強調表示されて該患者が候補ステージにあることを示し、
ｉｉ）前記ユーザインタフェースを通じて、前記患者が試験疼痛管理治療に入りたいという確認を含む患者情報を受信し、かつ
ｉｉｉ）前記ユーザインタフェースを通じて、前記ディスプレイ上に提示されたアイコンが選択されて前記患者を試験手術前ステージに進めたという表示を受信し、
ｃ）この後で、前記患者との試験前診察中又はその後に、
ｉ）前記ディスプレイ上に、前記患者に関する情報を提示し、前記スケール上の第２のアイコンが、該スケール上の他のアイコンに対して強調表示されて該患者が前記試験手術前ステージにあることを示し、
ｉｉ）前記ユーザインタフェースを通じて、前記患者によって体験されている疼痛に関する疼痛情報を受信し、かつ
ｉｉｉ）前記ユーザインタフェースを通じて、前記ディスプレイ上に提示されたアイコンが選択されて前記患者を試験ステージに進めたという表示を受信し、
ｄ）この後で、１組のリードが前記患者の身体に移植される試験手順の後に、
ｉ）前記ディスプレイ上に、前記患者に関する疼痛情報を提示し、前記スケール上の第３のアイコンが、該スケール上の他のアイコンに対して強調表示されて該患者が前記試験ステージにあることを示し、かつ
ｉｉ）前記ユーザインタフェースを通じて、前記試験手順の後に前記患者によって体験されている疼痛治療に関する試験治療情報を受信する、
ように構成されることを特徴とする電子デバイス。
（実施態様４５）前記プロセッサは、
ｅ）前記試験手順の後の前記患者との診察の後に、
ｉ）前記ディスプレイ上に患者情報を提示し、前記スケール上の第３のアイコンが、該スケール上の他のアイコンに対して強調表示されて該患者が前記試験ステージにあることを示し、
ｉｉ）前記ユーザインタフェースを通じて、前記患者が永久疼痛管理システムの移植を完了したいという確認を含む患者情報を受信し、かつ
ｉｉｉ）前記ユーザインタフェースを通じて、前記ディスプレイ上に提示されたアイコンが選択されて前記患者を移植準備ステージに進めたという表示を受信し、
ｆ）この後で、第２の手順を予定に入れたことの確認の後に、
ｉ）前記ディスプレイ上に、前記患者に関する患者情報を提示し、前記スケール上の第４のアイコンが、該スケール上の他のアイコンに対して強調表示されて該患者が前記移植準備ステージにあることを示し、かつ
ｉｉ）前記ユーザインタフェースを通じて、前記ディスプレイ上に提示されたアイコンが選択されて前記患者を移植ステージに進めたという表示を受信し、
ｇ）この後で、第２の組のリードが前記患者の身体に移植される第２の手順の後に、
ｉ）前記ディスプレイ上に、前記患者に関する疼痛情報を提示し、前記スケール上の第５のアイコンが、該スケール上の他のアイコンに対して強調表示されて該患者が前記移植ステージにあることを示し、かつ
ｉｉ）前記ユーザインタフェースを通じて、前記第２の手順の後に前記患者によって体験されている疼痛治療に関する治療情報を受信する、
ように更に構成されることを特徴とする実施態様４４に記載の電子デバイス。
（実施態様４６）携帯式電子デバイスを使用して患者の治療をモニタする方法であって、
ａ）患者との診察中に、
ｉ）前記電子デバイスのタッチスクリーン上に、身体の少なくとも一部分のグラフィック画像を提示する段階と、
ｉｉ）前記タッチスクリーンを通じて、前記患者の入力に少なくとも部分的に基づいて治療のための該患者の身体の１つ又はそれよりも多くの領域を識別する診察画像を生成するために前記グラフィック画像上に重ねられた診察しるしを入力する段階と、
ｂ）前記患者の初期治療を完了した後に、
ｉ）前記タッチスクリーン上に、前記グラフィック画像上に重ねられた前記診察しるしを含む前記診察画像を提示する段階と、
ｉｉ）前記タッチスクリーンを通じて、前記患者の入力に少なくとも部分的に基づいて前記治療によって影響を受けた該患者の身体の１つ又はそれよりも多くの領域を識別する治療画像を生成するために前記診察画像上に重ねられた治療しるしを入力する段階と、  を含むことを特徴とする方法。
（実施態様４７）前記診察しるし及び前記治療しるしは、前記タッチスクリーン上に描くことによって入力されることを特徴とする実施態様４６に記載の方法。
（実施態様４８）前記グラフィック画像は、第１の色であり、
前記診察しるしは、前記第１の色とは異なる第２の色である、
ことを特徴とする実施態様４６又は実施態様４７に記載の方法。
（実施態様４９）前記治療しるしは、前記第１及び第２の色とは異なる第３の色であることを特徴とする実施態様４８に記載の方法。
（実施態様５０）前記診察しるしは、第１の色であり、前記治療しるしは、該第１の色とは異なる第２の色であることを特徴とする実施態様４６又は実施態様４７に記載の方法。
（実施態様５１）前記診察画像を診察画像ファイルとして保存する段階と、該診察画像ファイルを遠隔サーバに送信する段階とを更に含むことを特徴とする実施態様４６から実施態様５０のいずれか１項に記載の方法。
（実施態様５２）前記診察しるしは、前記患者が疼痛を体験していることを示す該患者の身体の１つ又はそれよりも多くの位置を識別することを特徴とする実施態様４６から実施態様５１のいずれか１項に記載の方法。
（実施態様５３）前記初期治療は、前記患者の身体に試験疼痛治療デバイスを移植する段階を含み、前記治療しるしは、前記患者がより少ない疼痛を体験していることを示す該患者の身体の１つ又はそれよりも多くの位置を識別する、ことを特徴とする実施態様５２に記載の方法。
（実施態様５４）前記初期治療は、ターゲット位置で前記患者の身体にデバイスを移植する段階を含み、方法が、前記電子デバイスのカメラを使用して、前記ターゲット位置に移植された前記デバイスを示す画像の写真を撮る段階と、該写真を前記治療画像に関連付ける段階とを更に含む、ことを特徴とする実施態様４６に記載の方法。
（実施態様５５）ｃ）前記患者の第２の治療を完了した後に、
ｉ）前記タッチスクリーン上に、前記グラフィック画像上に重ねられた前記治療しるしを含む前記治療画像を提示する段階と、
ｉｉ）前記タッチスクリーンを通じて、前記患者の入力に少なくとも部分的に基づいて前記第２の治療によって影響を受けた該患者の身体の１つ又はそれよりも多くの領域を識別する第２の治療画像を生成するために前記治療画像上に重ねられた第２の治療しるしを入力する段階と、を更に含むことを特徴とする実施態様４６に記載の方法。
（実施態様５６）前記患者の前記治療は、疼痛管理治療を含むことを特徴とする実施態様４６に記載の方法。
（実施態様５７）前記患者の前記治療は、脳深部刺激を含むことを特徴とする実施態様４６から実施態様５６のいずれか１項に記載の方法。
（実施態様５８）前記患者の前記治療は、過活動膀胱に対して該患者を治療することを含むことを特徴とする実施態様４６から実施態様５６のいずれか１項に記載の方法。
（実施態様５９）前記医学的治療は、ぜんそくに対して前記患者を治療することを含むことを特徴とする実施態様４６から実施態様５６のいずれか１項に記載の方法。
（実施態様６０）携帯式電子デバイスを使用して患者の医学的治療をモニタする方法であって、
ａ）患者との診察中に、
ｉ）前記電子デバイスのタッチスクリーン上に、身体の少なくとも一部分のグラフィック画像を提示する段階と、
ｉｉ）前記タッチスクリーンを通じて、前記患者の入力に少なくとも部分的に基づいて該患者の身体の１つ又はそれよりも多くの領域を識別する診察画像を生成するために前記グラフィック画像上に重ねられた診察しるしを入力する段階と、
ｂ）前記患者に対して医学治療デバイスを与えた後に、
ｉ）前記タッチスクリーン上に、前記グラフィック画像上に重ねられた前記診察しるしを含む前記診察画像を提示する段階と、
ｉｉ）前記タッチスクリーンを通じて、前記患者の入力に少なくとも部分的に基づいて該患者の治療が改善された該患者の身体の１つ又はそれよりも多くの領域を識別する治療画像を生成するために前記診察画像上に重ねられた治療しるしを入力する段階と、
を含むことを特徴とする方法。
（実施態様６１）前記診察しるし及び前記治療しるしは、前記タッチスクリーン上に描くことによって入力されることを特徴とする実施態様６０に記載の方法。
（実施態様６２）前記診察しるしは、第１の色であり、前記治療しるしは、該第１の色とは異なる第２の色であることを特徴とする実施態様６０又は実施態様６１に記載の方法。
（実施態様６３）前記グラフィック画像は、第１の色であり、
前記診察しるしは、前記第１の色とは異なる第２の色である、
ことを特徴とする実施態様６０又は実施態様６１に記載の方法。
（実施態様６４）前記治療しるしは、前記第１及び第２の色とは異なる第３の色であることを特徴とする実施態様６３に記載の方法。
（実施態様６５）前記診察画像を診察画像ファイルとして保存する段階と、該診察画像ファイルを遠隔サーバに送信する段階とを更に含むことを特徴とする実施態様６０から実施態様６４のいずれか１項に記載の方法。
（実施態様６６）前記治療画像を治療画像ファイルとして保存する段階と、該治療画像ファイルを遠隔サーバに送信する段階とを更に含むことを特徴とする実施態様６０に記載の方法。
（実施態様６７）ｃ）前記医学治療デバイスを永久医学治療デバイスで置換した後に、
ｉ）前記タッチスクリーン上に、前記グラフィック画像上に重ねられた前記治療しるしを含む前記治療画像を提示する段階と、
ｉｉ）前記タッチスクリーンを通じて、前記患者の入力に少なくとも部分的に基づいて前記第２の治療によって影響を受けた該患者の身体の１つ又はそれよりも多くの領域を識別する第２の治療画像を生成するために前記治療画像上に重ねられた第２の治療しるしを入力する段階と、
を更に含むことを特徴とする実施態様６０から実施態様６６のいずれか１項に記載の方法。
（実施態様６８）前記第２の治療しるしは、前記第１、第２、及び第３の色とは異なる第４の色であることを特徴とする実施態様６７に記載の方法。
（実施態様６９）前記第２の治療画像を第２の治療画像ファイルとして保存する段階と、該第２の治療画像ファイルを遠隔サーバに送信する段階とを更に含むことを特徴とする実施態様６７又は実施態様６８に記載の方法。
（実施態様７０）医学治療デバイスを与える段階は、ターゲット位置で前記患者の身体にデバイスを移植する段階を含み、
方法が、前記電子デバイスのカメラを使用して、前記ターゲット位置に移植された前記デバイスを示す画像の写真を撮る段階と、該写真を前記治療画像に関連付ける段階とを更に含む、ことを特徴とする実施態様６０から実施態様６９のいずれか１項に記載の方法。
（実施態様７１）前記画像は、前記患者の身体に移植された前記デバイスを含む該患者の身体の領域の蛍光透視画像を含むことを特徴とする実施態様７０に記載の方法。
（実施態様７２）ｉ）前記タッチスクリーン上に前記写真を提示する段階と、
ｉｉ）前記タッチスクリーンを通じて、前記治療に関連する情報を含む注釈付き写真を生成するために前記写真上に重ねられた写真しるしを入力する段階と、
を更に含むことを特徴とする実施態様７０又は実施態様７１に記載の方法。
（実施態様７３）前記注釈付き写真を注釈付き写真ファイルとして保存する段階と、該注釈付き写真ファイルを遠隔サーバに送信する段階とを更に含むことを特徴とする実施態様７２に記載の方法。
（実施態様７４）前記診察画像、前記治療画像、及び前記写真のうちの２つ又はそれよりも多くを含む合成画像を生成する段階を更に含むことを特徴とする実施態様７２又は実施態様７３に記載の方法。
（実施態様７５）前記合成画像をＰＤＦファイルとして保存する段階を更に含むことを特徴とする実施態様７４に記載の方法。
（実施態様７６）前記合成画像を前記電子デバイスの通信インタフェースを通じて遠隔位置に送信する段階を更に含むことを特徴とする実施態様７４又は実施態様７５に記載の方法。
（実施態様７７）前記合成画像のハードコピーを印刷する段階を更に含むことを特徴とする実施態様７４から実施態様７６のいずれか１項に記載の方法。
（実施態様７８）前記合成画像は、前記患者の名前、該患者の医師、治療されている該患者の身体の前記領域、該患者の治療スコア、該患者の身体に移植された前記デバイスの型式、及び該デバイスが該患者の身体のどこに移植されたかを識別する位置情報のうちの１つ又はそれよりも多くを含む患者情報を含むことを特徴とする実施態様７４から実施態様７７のいずれか１項に記載の方法。
（実施態様７９）前記デバイスが前記患者の身体に移植された時に得られる画像の複数の写真が、前記電子デバイスの前記カメラを使用して撮られ、
前記合成画像は、前記複数の画像のうちの１つ又はそれよりも多くを含む、
ことを特徴とする実施態様７４から実施態様７８のいずれか１項に記載の方法。
（実施態様８０）前記医学的治療は、疼痛管理治療を含むことを特徴とする実施態様６０から実施態様７９のいずれか１項に記載の方法。
（実施態様８１）前記医学的治療は、脳深部刺激を含むことを特徴とする実施態様６０から実施態様７９のいずれか１項に記載の方法。
（実施態様８２）前記医学的治療は、過活動膀胱に対して前記患者を治療することを含むことを特徴とする実施態様６０から実施態様７９のいずれか１項に記載の方法。
（実施態様８３）前記医学的治療は、ぜんそくに対して前記患者を治療することを含むことを特徴とする実施態様６０から実施態様７９のいずれか１項に記載の方法。
（実施態様８４）医学的治療中の患者を管理する方法であって、
ａ）前記医学的治療の候補である患者に関する情報をチーム電子デバイスのディスプレイ上に提示する段階と、
ｂ）前記患者との初期診察の後に、
ｉ）前記チーム電子デバイスのユーザインタフェースを通じて、前記患者が試験医学的治療に入りたいという確認を含む患者情報を入力する段階と、
ｉｉ）前記チーム電子デバイスのディスプレイ上に提示されたアイコンを選択して前記患者を試験手術前ステージに進める段階と、
ｃ）この後で、前記患者との試験前診察中又はその後に、
ｉ）チーム電子デバイスのディスプレイ上に、人間の身体のグラフィック画像を含む前記患者に関する情報を提示する段階と、
ｉｉ）前記チーム電子デバイスのユーザインタフェースを通じて、前記患者によって体験されている症状に関する前記グラフィック画像上の診察しるしを入力する段階と、
ｉｉｉ）前記チーム電子デバイスの前記ディスプレイ上に提示されたアイコンを選択して前記患者を試験ステージに進める段階と、
ｄ）この後で、第１の治療システムが前記患者の身体に移植される試験手順の後に、
ｉ）チーム電子デバイスのディスプレイ上に、前記グラフィック画像と前記診察しるしとを含む前記患者に関する情報を提示する段階と、
ｉｉ）前記チーム電子デバイスのユーザインタフェースを通じて、前記試験手順の後に前記患者によって体験された試験治療結果に関する前記グラフィック画像上の試験しるしを入力する段階と、を含むことを特徴とする方法。
（実施態様８５）段階ａ）及び段階ｂ）ｉ）−ｉｉ）に使用される前記チーム電子デバイスは、段階ｃ）ｉ）−ｉｉｉ）に使用される同じチーム電子デバイスであることを特徴とする実施態様８４に記載の方法。
（実施態様８６）段階ｃ）ｉ）−ｉｉｉ）に使用される前記チーム電子デバイスは、段階ｄ）ｉ）−ｉｉ）に使用される同じチーム電子デバイスであることを特徴とする実施態様８４に記載の方法。
（実施態様８７）段階ａ）及びｂ）ｉ）−ｉｉ）に使用される前記チーム電子デバイスは、段階ｃ）ｉ）−ｉｉｉ）に使用される前記チーム電子デバイスとは異なる電子デバイスであることを特徴とする実施態様８４に記載の方法。
（実施態様８８）段階ｃ）ｉ）−ｉｉｉ）に使用される前記チーム電子デバイスは、段階ｄ）ｉ）−ｉｉ）に使用される前記チーム電子デバイスとは異なる電子デバイスであることを特徴とする実施態様８７に記載の方法。
（実施態様８９）ｅ）前記試験手順の後の前記患者との診察の後に、
ｉ）チーム電子デバイスのユーザインタフェースを通じて、前記患者が永久治療システムの移植を完了したいという確認を含む患者情報を入力する段階と、
ｉｉ）前記チーム電子デバイスの前記ディスプレイ上に提示されたアイコンを選択して前記患者を移植準備ステージに進める段階と、
ｆ）この後で、第２の手順を予定に入れたことの確認の後に、
ｉ）チーム電子デバイスのディスプレイ上に提示されたアイコンを選択して前記患者を移植ステージに進める段階と、
ｇ）この後で、第２の治療システムが前記患者の身体に移植される第２の手順の後に、    ｉ）チーム電子デバイスのディスプレイ上に、前記患者に関する情報を提示する段階と、
ｉｉ）前記チーム電子デバイスのユーザインタフェースを通じて、前記第２の手順の後に前記患者によって体験された治療結果に関する治療情報を入力する段階と、
を更に含むことを特徴とする実施態様８４から実施態様８８のいずれか１項に記載の方法。
（実施態様９０）前記医学的治療は、疼痛管理治療を含むことを特徴とする実施態様８４から実施態様８９のいずれか１項に記載の方法。
（実施態様９１）前記医学的治療は、脳深部刺激を含むことを特徴とする実施態様８４から実施態様８９のいずれか１項に記載の方法。
（実施態様９２）前記医学的治療は、過活動膀胱に対して前記患者を治療することを含むことを特徴とする実施態様８４から実施態様８９のいずれか１項に記載の方法。
（実施態様９３）前記医学的治療は、ぜんそくに対して前記患者を治療することを含むことを特徴とする実施態様８４から実施態様８９のいずれか１項に記載の方法。
（実施態様９４）前記第１の治療システムは、１組のリードを含むことを特徴とする実施態様８４から実施態様８９のいずれか１項に記載の方法。
（実施態様９５）携帯式電子デバイスを使用して患者の治療をモニタするための携帯式電子デバイスであって、
プロセッサ及び該プロセッサと通信するタッチスクリーン、を含み、
前記プロセッサは、患者との診察中の前記タッチスクリーン上に、身体の少なくとも一部分のグラフィック画像を提示するように構成され、該タッチスクリーンは、該患者の入力に少なくとも部分的に基づいて治療のための該患者の身体の１つ又はそれよりも多くの領域を識別する該タッチスクリーン上に表示される診察画像を生成するために該グラフィック画像上に重ねられた診察しるしを入力するように構成され、
前記プロセッサは、前記患者の初期治療を完了した後に、前記タッチスクリーン上に、前記グラフィック画像上に重ねられた前記診察しるしを含む前記診察画像を提示するように更に構成され、該タッチスクリーンは、該患者の入力に少なくとも部分的に基づいて該治療によって影響を受けた該患者の身体の１つ又はそれよりも多くの領域を識別する治療画像を生成するために該診察画像上に重ねられた治療しるしを入力するように更に構成される、ことを特徴とする電子デバイス。
（実施態様９６）前記プロセッサと通信するメモリを更に含み、該プロセッサは、該メモリに前記診察画像及び前記治療画像をそれぞれ診察画像データファイル及び治療画像データファイルとして格納するように構成されることを特徴とする実施態様９５に記載の電子デバイス。
（実施態様９７）更に、通信インタフェースが、前記診察画像データファイル及び治療画像データファイルを遠隔サーバに送信するために前記プロセッサと通信することを特徴とする実施態様９６に記載の電子デバイス。
（実施態様９８）前記プロセッサは、第１の色で前記タッチスクリーン上に前記診察しるしを表示し、かつ該第１の色とは異なる第２の色で該タッチスクリーン上に前記治療しるしを表示するように構成されることを特徴とする実施態様９５に記載の電子デバイス。
（実施態様９９）前記第１及び第２の色は、前記グラフィック画像の色とは異なる色であることを特徴とする実施態様９８に記載の電子デバイス。
（実施態様１００）医学的治療中の患者を管理する方法であって、
前記患者との診察の後に、第１のチーム電子デバイスから、人間の身体のグラフィック画像と該患者によって体験されている症状に関して該第１のチーム電子デバイスによって該グラフィック画像上に重ねられた診察しるしとを含む診察画像ファイルを受信する段階と、
前記診察画像ファイルを前記患者の治療に関する情報を含む医療データベースに追加する段階と、
複数のチーム電子デバイスに該複数のチーム電子デバイス上のローカルデータベースが前記医療データベースと同期された時に前記診察画像を送信する段階と、
試験手順が前記患者に対して実行された後に、第２のチーム電子デバイスから、前記診察画像と前記グラフィック画像上に重ねられた試験治療しるし及び該試験手順の後に該患者によって体験された治療結果に関する該第２のチーム電子デバイスによる前記診察しるしとを含む試験治療画像ファイルを受信する段階と、
前記試験治療画像ファイルを前記医療データベースに追加する段階と、
を含むことを特徴とする方法。
（実施態様１０１）前記試験治療画像を複数のチーム電子デバイスに該複数のチーム電子デバイス上のローカルデータベースが前記医療データベースと同期された時に送信する段階と、
第２の手順が前記患者に対して実行された後に、第３のチーム電子デバイスから、前記試験治療画像、前記グラフィック画像上に重ねられた第２の治療しるし、前記診察しるし、及び該第２の手順の後に該患者によって体験された治療結果に関する該第３のチーム電子デバイスによる前記試験治療しるしを含む第２の治療画像ファイルを受信する段階と、  を更に含むことを特徴とする実施態様１００に記載の方法。
（実施態様１０２）前記第１のチーム電子デバイスは、前記第２のチーム電子デバイスと同じ電子デバイスであることを特徴とする実施態様１００に記載の方法。
（実施態様１０３）前記第１のチーム電子デバイスは、前記第２のチーム電子デバイスとは異なる電子デバイスであることを特徴とする実施態様１００に記載の方法。
（実施態様１０４）前記医学的治療は、疼痛管理治療を含むことを特徴とする実施態様１００から実施態様１０３のいずれか１項に記載の方法。
（実施態様１０５）前記医学的治療は、脳深部刺激を含むことを特徴とする実施態様１００から実施態様１０３のいずれか１項に記載の方法。
（実施態様１０６）前記医学的治療は、過活動膀胱に対して前記患者を治療することを含むことを特徴とする実施態様１００から実施態様１０３のいずれか１項に記載の方法。
（実施態様１０７）前記医学的治療は、ぜんそくに対して前記患者を治療することを含むことを特徴とする実施態様１００から実施態様１０３のいずれか１項に記載の方法。
（実施態様１０８）受け持ち区域内の医師及びそれぞれの医師に関連付けられた患者に関する情報を含むローカルデータベースを有する携帯式電子デバイスを使用して患者の医学的治療に関わる医師を管理する方法であって、該ローカルデータベースは、各患者の治療の現在のステージを識別する各患者のステータスを含み、該ステータスは、治療の候補、試験治療手順が予定に入れられたこと、試験治療を完了したこと、長期治療移植手順が予定に入れられたこと、及び長期治療移植手順が完了したことのうちの１つ又はそれよりも多くを含み、
方法が、
前記電子デバイスのユーザインタフェースを通じて、選択された医師に関連付けられた患者を精査する要求を入力する段階と、
前記電子デバイスのローカルデータベースにアクセスして前記選択された医師に関連付けられた患者を識別する段階と、
前記電子デバイスのディスプレイ上に、前記選択された医師に関連付けられた前記患者の名前と該患者の前記ステータスとを含む第１のグラフィック出力を提示する段階と、
を含む、ことを特徴とする方法。
（実施態様１０９）前記ユーザインタフェースを通じて、前記選択された医師に関連付けられた患者統計値を精査する要求を入力する段階と、
前記ローカルデータベースにアクセスして、前記選択された医師の患者のうちの何人が疼痛治療の候補として識別されたかを識別する第１の数と、前記選択された医師の患者のうちの何人が試験治療手順を予定に入れたか、試験治療手順が完了したか、長期治療手順が予定に入れたか、又は長期治療手順が完了したかを識別する第２の数とを決定する段階と、
前記電子デバイスの前記ディスプレイ上に、前記第１及び第２の数の関係性を含む第２のグラフィック出力を提示する段階と、
を更に含むことを特徴とする実施態様１０８に記載の方法。
（実施態様１１０）前記第２のグラフィック出力は、前記第１及び第２の数の絶対比較及び百分率比較のうちの一方であることを特徴とする実施態様１０９に記載の方法。
（実施態様１１１）前記ユーザインタフェースを通じて、前記選択された医師に対するコンタクト情報を精査する要求を入力する段階と、
前記ローカルデータベースにアクセスして前記選択された医師に対する前記コンタクト情報を決定する段階と、
前記電子デバイスの前記ディスプレイ上に、前記選択された医師に対する前記コンタクト情報を含む第３のグラフィック出力を提示する段階と、
を更に含むことを特徴とする実施態様１０９に記載の方法。
（実施態様１１２）前記第１、第２、及び第３のグラフィック出力は、前記ディスプレイ上の情報フィールド内に提示され、
前記ディスプレイは、前記第１、第２、及び第３のグラフィック出力と同時に複数のナビゲーションインジケータを含むスケールを前記情報フィールドに隣接して提示するように更に構成される、ことを特徴とする実施態様１１１に記載の方法。
（実施態様１１３）前記ディスプレイは、タッチスクリーンであり、
前記スケールの１つの又は第１、第２、又は第３のインジケータが前記タッチスクリーン上に選択された時に、前記情報フィールドは、それぞれ、前記第１、第２、又は第３のグラフィック出力を含む、ことを特徴とする実施態様１１２に記載の方法。
（実施態様１１４）前記医学的治療は、疼痛管理治療を含むことを特徴とする実施態様１０８から実施態様１１３のいずれか１項に記載の方法。
（実施態様１１５）前記医学的治療は、脳深部刺激を含むことを特徴とする実施態様１０８から実施態様１１３のいずれか１項に記載の方法。
（実施態様１１６）前記医学的治療は、過活動膀胱に対して前記患者を治療することを含むことを特徴とする実施態様１０８から実施態様１１３のいずれか１項に記載の方法。
（実施態様１１７）前記医学的治療は、ぜんそくに対して前記患者を治療することを含むことを特徴とする実施態様１０８から実施態様１１３のいずれか１項に記載の方法。
（実施態様１１８）患者の医学的管理治療に関わる医師を管理するための携帯式電子デバイスであって、
複数の医師とそれぞれの医師に関連付けられた患者とを含むローカルデータベースと、  選択された医師に関連付けられた患者を精査する要求を提出するためのユーザインタフェースと、
前記ローカルデータベースにアクセスして前記選択された医師に関連付けられた患者と該患者のステータスとを識別するためのプロセッサであって、該ステータスが、各患者の治療の現在のステージを識別し、該ステータスが、治療の候補、試験治療手順が予定に入れられたこと、試験治療が完了したこと、長期治療移植手順が予定に入れられたこと、及び長期疼痛治療移植手順が完了したことのうちの１つ又はそれよりも多くを含む前記プロセッサと、
前記患者の名前と該それぞれの患者の前記ステータスとを含む第１のグラフィック出力を提示するためのディスプレイと、を含むことを特徴とする電子デバイス。
（実施態様１１９）前記ユーザインタフェースは、前記選択された医師に関連付けられた患者の統計値を精査する要求を入力するように構成され、前記プロセッサは、前記ローカルデータベースにアクセスして、該選択された医師の患者のうちの何人が治療の候補として識別されたかを識別する第１の数と、該選択された医師の患者のうちの何人が試験治療手順が予定に入れられたか、試験治療手順が完了したか、長期治療手順が予定に入れられたか、又は長期治療手順が完了したかを識別する第２の数とを決定するように構成され、前記ディスプレイは、該第１及び第２の数の関係性を含む第２のグラフィック出力を提示するように構成されることを特徴とする実施態様１１８に記載の電子デバイス。
（実施態様１２０）前記第２のグラフィック出力は、前記第１及び第２の数の絶対比較及び百分率比較のうちの一方であることを特徴とする実施態様１１９に記載の電子デバイス。
（実施態様１２１）前記ユーザインタフェースは、前記選択された医師に対するコンタクト情報を精査する要求を入力するように構成され、前記プロセッサは、前記ローカルデータベースにアクセスして該選択された医師に対する該コンタクト情報を決定するように構成され、前記ディスプレイは、該選択された医師に対する該コンタクト情報を含む第３のグラフィック出力を提示するように構成されることを特徴とする実施態様１１９に記載の電子デバイス。
（実施態様１２２）前記第１、第２、及び第３のグラフィック出力は、前記ディスプレイ上の情報フィールド内に提示され、
前記ディスプレイは、前記第１、第２、及び第３のグラフィック出力と同時に複数のナビゲーションインジケータを含むスケールを前記情報フィールドに隣接して提示するように更に構成される、ことを特徴とする実施態様１２１に記載の電子バイス。
（実施態様１２３）前記ディスプレイ及び前記ユーザインタフェースは、タッチスクリーンであり、
前記スケールの１つの又は第１、第２、又は第３のインジケータが前記タッチスクリーン上に選択された時に、前記情報フィールドは、それぞれ、前記第１、第２、又は第３のグラフィック出力を含む、ことを特徴とする実施態様１２２に記載の電子デバイス。
（実施態様１２４）受け持ち区域内の医師とそれぞれの医師に関連付けられた患者とに関する情報を含むローカルデータベースを有する電子デバイスを使用して患者の医学的管理治療に関わる医師を管理する方法であって、該ローカルデータベースは、各患者の治療の現在のステージを識別する各患者のステータスを含み、該ステータスは、治療の候補、試験治療手順が予定に入れられたこと、試験治療が完了したこと、長期治療移植手順が予定に入れられたこと、及び長期治療移植手順が完了したことのうちの１つ又はそれよりも多くを含み、
方法が、
前記電子デバイスのユーザインタフェースを通じて、前記受け持ち区域内の医師を精査する要求を入力する段階と、
前記ローカルデータベースにアクセスして、前記受け持ち区域内の各医師に関連付けられた患者の数と各医師に関連付けられた該患者の現在のステータスとを決定する段階と、  前記電子デバイスのディスプレイ上に、前記患者の前記治療の現在のステージによって分離された医師の名前と各医師に関連付けられた患者の総数とを各行が含む医師情報の行を含むグラフィック出力を提示する段階と、を含む、ことを特徴とする方法。
（実施態様１２５）前記グラフィック出力は、前記治療のステージの各々に対応するフィールドを含むステータスバナーを医師名に隣接して含み、該フィールドは、前記それぞれの医師に対して現在該治療のステージの各々にある患者の総数を含むことを特徴とする実施態様１２４に記載の方法。
（実施態様１２６）前記グラフィック出力は、関連付けられた患者を持たない医師に対するヌルフィールドを含むことを特徴とする実施態様１２４に記載の方法。
（実施態様１２７）前記電子デバイスのユーザインタフェースを通じて、前記グラフィック出力に含まれる前記医師のうちの１人を選択する段階と、
前記ローカルデータベースにアクセスして、前記選択された医師に関連付けられた患者を識別する段階と、
前記ディスプレイ上に、前記選択された医師に関連付けられた前記患者の名前と該患者の前記ステータスとを含む別のグラフィック出力を提示する段階と、
を更に含むことを特徴とする実施態様１２４に記載の方法。
（実施態様１２８）前記ユーザインタフェースを通じて、前記患者の治療の前記現在のステージによって分離された患者の総数が医師に関連付けられた患者との相違又は問題を示す該医師を識別するフラグインジケータを行内に入力する段階を更に含むことを特徴とする実施態様１２４に記載の方法。
（実施態様１２９）前記ユーザインタフェースを通じて、前記識別された医師にコンタクトする活動リマインダーを入力する段階を更に含むことを特徴とする実施態様１２８に記載の方法。
（実施態様１３０）前記医学的治療は、疼痛管理治療を含むことを特徴とする実施態様１２４から実施態様１２９のいずれか１項に記載の方法。
（実施態様１３１）前記医学的治療は、脳深部刺激を含むことを特徴とする実施態様１２４から実施態様１２９のいずれか１項に記載の方法。
（実施態様１３２）前記医学的治療は、過活動膀胱に対して前記患者を治療することを含むことを特徴とする実施態様１２４から実施態様１２９のいずれか１項に記載の方法。
（実施態様１３３）前記医学的治療は、ぜんそくに対して前記患者を治療することを含むことを特徴とする実施態様１２４から実施態様１２９のいずれか１項に記載の方法。
（実施態様１３４）前記ディスプレイ上に、前記患者の治療の前記現在のステージによって分離された地理的受け持ち区域に関連付けられた患者の総数を含むステージ合計バナーを提示する段階を更に含むことを特徴とする実施態様１２４から実施態様１３３のいずれか１項に記載の方法。
（実施態様１３５）前記地理的受け持ち区域は、前記電子デバイスのユーザによって管理される受け持ち区域、事業単位によって網羅される受け持ち区域、及び国家領域のうちの１つを含むことを特徴とする実施態様１３４に記載の方法。
（実施態様１３６）患者の医学的管理治療に関わる医師を管理するための携帯式電子デバイスであって、
受け持ち区域内の医師とそれぞれの医師に関連付けられた患者とに関する情報を含み、各患者の治療の現在のステージを識別する各患者のステータスを含むローカルデータベースであって、該ステータスが、治療の候補、試験治療手順が予定に入れられたこと、試験治療が完了したこと、長期治療移植手順が予定に入れられたこと、及び長期治療移植手順が完了したことのうちの１つ又はそれよりも多くを含む前記ローカルデータベースと、
前記受け持ち区域内の医師を精査する要求を提出するためのユーザインタフェースと、  前記ローカルデータベースにアクセスして前記受け持ち区域内の各医師に関連付けられた患者の数と各医師に関連付けられた該患者の現在のステータスとを決定するためのプロセッサと、
前記患者の治療の前記現在のステージによって分離された医師の名前と各医師に関連付けられた患者の総数とを各行が含む医師情報の行を含む第１のグラフィック出力を提示するためのディスプレイと、を含むことを特徴とする電子デバイス。
（実施態様１３７）前記グラフィック出力は、前記治療のステージの各々に対応するフィールドを含むステータスバナーを医師名に隣接して含み、該フィールドは、前記それぞれの医師に対して現在該治療のステージの各々にある患者の総数を含むことを特徴とする実施態様１３６に記載の電子デバイス。
（実施態様１３８）前記グラフィック出力は、関連付けられた患者を持たない医師に対するヌルフィールドを含むことを特徴とする実施態様１３６に記載の電子デバイス。
（実施態様１３９）前記ユーザインタフェースは、前記グラフィック出力に含まれた前記医師のうちの１人を選択するように構成され、前記プロセッサは、前記ローカルデータベースにアクセスして該選択された医師に関連付けられた患者を識別し、かつ前記ディスプレイ上に、該選択された医師に関連付けられた該患者の名前と該患者の前記ステータスとを含む別のグラフィック出力を提示するように更に構成されることを特徴とする実施態様１３６に記載の電子デバイス。
（実施態様１４０）前記ユーザインタフェースは、前記患者の治療の前記現在のステージによって分離された患者の総数が医師に関連付けられた患者との相違又は問題を示す該医師を識別するフラグインジケータを行内に入力するように構成されることを特徴とする実施態様１３６に記載の電子デバイス。
（実施態様１４１）前記ディスプレイは、前記患者の治療の前記現在のステージによって分離された地理的受け持ち区域に関連付けられた患者の総数を含むステージ合計バナーを更に表示するように構成されることを特徴とする実施態様１３６に記載の電子デバイス。
（実施態様１４２）前記地理的受け持ち区域は、前記電子デバイスのユーザによって管理される受け持ち区域、事業単位によって網羅される受け持ち区域、及び国家領域のうちの１つを含むことを特徴とする実施態様１４１に記載の電子デバイス。
（実施態様１４３）電子デバイスを使用して患者の医学的管理治療に関わる医師を管理する方法であって、前記電子デバイスのユーザインタフェースを通じて、受け持ち区域内の医師を精査する要求を入力する段階と、
遠隔サーバに前記電子デバイスの通信インタフェースを通じて、受け持ち区域内の医師とそれぞれの医師に関連付けられた患者とに関する情報を含む医療データベースを使用して該受け持ち区域内の医師を精査する要求を含む問合せを送信する段階であって、該ローカルデータベースが、各患者の治療の現在のステージを識別する各患者のステータスを含み、該ステータスが、治療の候補、試験治療手順が予定に入れられたこと、試験治療が完了したこと、長期治療移植手順が予定に入れられたこと、及び長期治療移植手順が完了したことのうちの１つ又はそれよりも多くを含む前記送信する段階と、
前記通信インタフェースを通じて、前記受け持ち区域内の各医師に関連付けられた患者の数と各医師に関連付けられた該患者の現在のステータスとを含む通信を受信する段階と、
前記電子デバイスのディスプレイ上に、前記患者の治療の前記現在のステージによって分離された医師の名前と各医師に関連付けられた患者の総数とを各行が含む医師情報の行を含むグラフィック出力を提示する段階と、を含むことを特徴とする方法。
（実施態様１４４）前記医学的治療は、疼痛管理治療を含むことを特徴とする実施態様１４３に記載の方法。
（実施態様１４５）前記医学的治療は、脳深部刺激を含むことを特徴とする実施態様１４３に記載の方法。
（実施態様１４６）前記医学的治療は、過活動膀胱に対して前記患者を治療することを含むことを特徴とする実施態様１４３に記載の方法。
（実施態様１４７）前記医学的治療は、ぜんそくに対して前記患者を治療することを含むことを特徴とする実施態様１４３に記載の方法。
（実施態様１４８）受け持ち区域内の医療施設とそれぞれの医療施設に関連付けられた患者とに関する情報を含むローカルデータベースを有する携帯式電子デバイスを使用して患者の医学的管理治療に関わる医療施設を管理する方法であって、該ローカルデータベースは、各患者の治療の現在のステージを識別する各患者のステータスを含み、該ステータスは、治療の候補、試験治療手順が予定に入れられたこと、試験治療が完了したこと、長期治療移植手順が予定に入れられたこと、及び長期治療移植手順が完了したことのうちの１つ又はそれよりも多くを含み、
方法が、
前記電子デバイスのユーザインタフェースを通じて、選択された医療施設に関連付けられた患者を精査する要求を入力する段階と、
前記電子デバイス上のローカルデータベースにアクセスして、前記選択された医療施設に関連付けられた患者を識別する段階と、
前記電子デバイスのディスプレイ上に、前記選択された医療施設に関連付けられた前記患者の名前と該患者の前記ステータスとを含む第１のグラフィック出力を提示する段階と、を含む、ことを特徴とする方法。
（実施態様１４９）前記医学的治療は、疼痛管理治療を含むことを特徴とする実施態様１４８に記載の方法。
（実施態様１５０）前記医学的治療は、脳深部刺激を含むことを特徴とする実施態様１４８に記載の方法。
（実施態様１５１）前記医学的治療は、過活動膀胱に対して前記患者を治療することを含むことを特徴とする実施態様１４８に記載の方法。
（実施態様１５２）前記医学的治療は、ぜんそくに対して前記患者を治療することを含むことを特徴とする実施態様１４８に記載の方法。
（実施態様１５３）患者の医学的管理治療に関わる医療施設を管理するための携帯式電子デバイスであって、
複数の医療施設とそれぞれの医療施設に関連付けられた患者とを含むローカルデータベースと、
選択された医療施設に関連付けられた患者を精査する要求を提出するためのユーザインタフェースと、
前記ローカルデータベースにアクセスして前記選択された医療施設に関連付けられた患者と該患者のステータスとを識別するためのプロセッサであって、該ステータスが、各患者の治療の現在のステージを識別し、該ステータスが、治療の候補、試験治療手順が予定に入れられたこと、試験治療が完了したこと、長期治療移植手順が予定に入れられたこと、及び長期治療移植手順が完了したことのうちの１つ又はそれよりも多くを含む前記プロセッサと、
前記患者の名前と該それぞれの患者の前記ステータスとを含む第１のグラフィック出力を提示するためのディスプレイと、を含むことを特徴とする電子デバイス。
（実施態様１５４）前記ディスプレイは、前記患者の治療の前記現在のステージによって分離された地理的受け持ち区域に関連付けられた患者の総数を含むステージ合計バナーを更に表示するように構成されることを特徴とする実施態様１５３に記載の電子デバイス。
（実施態様１５５）前記地理的受け持ち区域は、前記電子デバイスのユーザによって管理される受け持ち区域、事業単位によって網羅される受け持ち区域、及び国家領域のうちの１つを含むことを特徴とする実施態様１５４に記載の電子デバイス。
（実施態様１５６）受け持ち区域内の医師及び医療施設とそれぞれの医師及び施設に関連付けられた患者とに関する情報を含むローカルデータベースを有する電子デバイスを使用して患者の医学的管理治療に関わる医療施設を管理する方法であって、該ローカルデータベースは、各患者の治療の現在のステージを識別する各患者のステータスを含み、該ステータスは、治療の候補、試験治療手順が予定に入れられたこと、試験治療が完了したこと、長期治療移植手順が予定に入れられたこと、及び長期治療移植手順が完了したことのうちの１つ又はそれよりも多くを含み、
方法が、
前記電子デバイスのユーザインタフェースを通じて、選択された医療施設に関連付けられた医師を精査する要求を入力する段階と、
前記ローカルデータベースにアクセスして、各医師に関連付けられて前記選択された医療施設にも関連付けられた患者の数と各医師に関連付けられた該患者の現在のステータスとを決定する段階と、
前記電子デバイスのディスプレイ上に、前記患者の治療の前記現在のステージによって分離された医師の名前と各医師に関連付けられた患者の総数とを各行が含む医師情報の行を含むグラフィック出力を提示する段階と、を含む、ことを特徴とする方法。
（実施態様１５７）前記グラフィック出力は、前記治療のステージの各々に対応するフィールドを含むステータスバナーを医師名に隣接して含み、該フィールドは、前記それぞれの医師に対して現在該治療のステージの各々にある患者の総数を含むことを特徴とする実施態様１５６に記載の方法。
（実施態様１５８）前記電子デバイスのユーザインタフェースを通じて、前記グラフィック出力に含まれた前記医師のうちの１人を選択する段階と、
前記ローカルデータベースにアクセスして、前記選択された医師に関連付けられた患者を識別する段階と、
前記ディスプレイ上に、前記選択された医師に関連付けられた前記患者の名前と該患者の前記ステータスとを含む別のグラフィック出力を提示する段階と、
を更に含むことを特徴とする実施態様１５６に記載の方法。
（実施態様１５９）前記医学的治療は、疼痛管理治療を含むことを特徴とする実施態様１５６から実施態様１５８のいずれか１項に記載の方法。
（実施態様１６０）前記医学的治療は、脳深部刺激を含むことを特徴とする実施態様１５６から実施態様１５８のいずれか１項に記載の方法。
（実施態様１６１）前記医学的治療は、過活動膀胱に対して前記患者を治療することを含むことを特徴とする実施態様１５６から実施態様１５８のいずれか１項に記載の方法。
（実施態様１６２）前記医学的治療は、ぜんそくに対して前記患者を治療することを含むことを特徴とする実施態様１５６から実施態様１５８のいずれか１項に記載の方法。
（実施態様１６３）前記ディスプレイ上に、前記患者の治療の前記現在のステージによって分離された地理的受け持ち区域に関連付けられた患者の総数を含むステージ合計バナーを提示する段階を更に含むことを特徴とする実施態様１５６に記載の方法。
（実施態様１６４）前記地理的受け持ち区域は、前記電子デバイスのユーザによって管理される受け持ち区域、事業単位によって網羅される受け持ち区域、及び国家領域のうちの１つを含むことを特徴とする実施態様１６３に記載の方法。
（実施態様１６５）患者の医学的管理治療に関わる医療施設を管理するための携帯式電子デバイスであって、
受け持ち区域内の医師及び医療施設とそれぞれの医師及び医療施設に関連付けられた患者とに関する情報を含むローカルデータベースであって、該ローカルデータベースが、各患者の治療の現在のステージを識別する各患者のステータスを含み、該ステータスが、疼痛治療の候補、試験治療手順が予定に入れられたこと、試験治療が完了したこと、長期治療移植手順が予定に入れられたこと、及び長期治療移植手順が完了したことのうちの１つ又はそれよりも多くを含む前記ローカルデータベースと、
選択された医療施設に関連付けられた医師を精査する要求を提出するためのユーザインタフェースと、
前記ローカルデータベースにアクセスして、各医師に関連付けられて前記選択された医療施設にも関連付けられた患者の数と各医師に関連付けられた該患者の現在のステータスとを決定するためのプロセッサと、
前記患者の治療の前記現在のステージによって分離された医師の名前と各医師に関連付けられた患者の総数とを各行が含む医師情報の行を含む第１のグラフィック出力を提示するためのディスプレイと、を含むことを特徴とする電子デバイス。
（実施態様１６６）前記グラフィック出力は、前記治療のステージの各々に対応するフィールドを含むステータスバナーを医師名に隣接して含み、該フィールドは、前記それぞれの医師に対して現在該治療のステージの各々にある患者の総数を含むことを特徴とする実施態様１６５に記載の電子デバイス。
（実施態様１６７）前記ユーザインタフェースは、前記グラフィック出力に含まれた前記医師のうちの１人を選択するように構成され、前記プロセッサは、前記ローカルデータベースにアクセスして、該選択された医師に関連付けられた患者を識別し、かつ前記ディスプレイ上に、該選択された医師に関連付けられた該患者の名前と該患者の前記ステータスとを含む別のグラフィック出力を提示するように更に構成されることを特徴とする実施態様１６５に記載の電子デバイス。
（実施態様１６８）前記ディスプレイは、前記患者の治療の前記現在のステージによって分離された地理的受け持ち区域に関連付けられた患者の総数を含むステージ合計バナーを更に表示するように構成されることを特徴とする実施態様１６５に記載の電子デバイス。
（実施態様１６９）前記地理的受け持ち区域は、前記電子デバイスのユーザによって管理される受け持ち区域、事業単位によって網羅される受け持ち区域、及び国家領域のうちの１つを含むことを特徴とする実施態様１６８に記載の電子デバイス。
（実施態様１７０）携帯式電子デバイスを使用して医療デバイスを位置付ける方法であって、
前記電子デバイスの通信インタフェースを通じて、ネットワークを通じて遠隔サーバに、望ましい医療デバイスと地理的領域とを識別する要求を送信する段階と、
前記要求を満足させる利用可能な医療デバイスのリストを含むデータファイルを前記遠隔サーバから受信する段階と、
前記電子デバイスのディスプレイ上に、前記リスト上の前記医療デバイスの各々に固有の識別子と有効期限とを含む利用可能な医療デバイスの該リストを提示する段階であって、該リストが、該有効期限に対する該利用可能な医療デバイスの各々のステータスを識別するように色分けされる前記提示する段階と、
を含むことを特徴とする方法。
（実施態様１７１）前記リストは、該リスト上の前記医療デバイスの各々を所持している代理人を識別する名前を更に含み、
方法が、
前記電子デバイスのユーザインタフェースを通じて前記リストから医療デバイスを選択する段階と、
前記選択された医療デバイスの配送を準備するために該選択された医療デバイスを所持している前記代理人にコンタクトする段階と、を更に含む、ことを特徴とする実施態様１７０に記載の方法。
（実施態様１７２）前記代理人にコンタクトする段階は、前記電子デバイスの前記通信インタフェースを通じて、前記選択された医療デバイスを要求する該代理人への配送を意図した通信を前記遠隔サーバに送信する段階を含むことを特徴とする実施態様１７１に記載の方法。
（実施態様１７３）前記代理人にコンタクトする段階は、電子メールを前記代理人に送信する段階及び該代理人に電話する段階のうちの一方を含むことを特徴とする実施態様１７１に記載の方法。
（実施態様１７４）前記リストは、前記医療デバイスがその有効期限前の予め決められた日付範囲内にあることを示すために強調表示された第１の医療デバイスと、その有効期限前の該予め決められた日付範囲内にない第２の医療デバイスとを含み、
方法が、
前記第１の医療デバイスを選択する段階と、
前記第１の医療デバイスの配送を準備するために該第１の医療デバイスを所持している代理人にコンタクトする段階と、を更に含む、ことを特徴とする実施態様１７０に記載の方法。
（実施態様１７５）在庫が複数のチームメンバに分配された環境内にそれぞれのチームメンバに分配された部品に関する情報を含むローカルデータベースを有する携帯式電子デバイスを使用して医療デバイスを位置付ける方法であって、
前記電子デバイスのユーザインタフェースを通じて、１つ又はそれよりも多くの望ましい医療デバイスを識別する検索要求を入力する段階と、
前記電子デバイスの前記ローカルデータベースにアクセスして前記検索要求を満足させる利用可能な医療デバイスのリストを生成する段階と、
前記電子デバイスのディスプレイ上に、前記リスト上の前記医療デバイスの各々に固有の識別子と有効期限とを含む利用可能な医療デバイスの該リストを提示する段階であって、該リストが、該有効期限に対する該利用可能な医療デバイスの各々のステータスを識別するために色分けされる前記提示する段階と、を含むことを特徴とする方法。
（実施態様１７６）前記リストは、該リスト上の前記医療デバイスの各々を所持している代理人を識別する名前を更に含み、
方法が、
前記電子デバイスのユーザインタフェースを通じて前記リストから医療デバイスを選択する段階と、
前記選択された医療デバイスの配送を準備するために該選択された医療デバイスを所持している前記代理人にコンタクトする段階と、を更に含む、ことを特徴とする実施態様１７５に記載の方法。
（実施態様１７７）前記代理人にコンタクトする段階は、前記電子デバイスの通信インタフェースを通じて、前記選択された医療デバイスを要求する該代理人への配送を意図した通信を遠隔サーバに送信する段階を含むことを特徴とする実施態様１７６に記載の方法。
（実施態様１７８）前記代理人にコンタクトする段階は、電子メールを該代理人に送信する段階及び該代理人に電話する段階のうちの一方を含むことを特徴とする実施態様１７６に記載の方法。
（実施態様１７９）前記リストは、前記医療デバイスがその有効期限前の予め決められた日付範囲内にあることを示すために強調表示された第１の医療デバイスと、その有効期限前の該予め決められた日付範囲内にない第２の医療デバイスとを含み、
方法が、
前記第１の医療デバイスを選択する段階と、
前記第１の医療デバイスを所持している代理人にコンタクトして該第１の医療デバイスの配送を準備する段階と、
を更に含む、ことを特徴とする実施態様１７５に記載の方法。
（実施態様１８０）前記検索要求は、チームメンバ、地理的領域、部品番号、及び部品説明のうちの少なくとも１つを含むことを特徴とする実施態様１７５に記載の方法。
（実施態様１８１）在庫が複数のチームメンバに分配された環境内にそれぞれのチームメンバに分配された部品に関する情報を含むローカルデータベースを有する携帯式電子デバイスを使用して医療デバイスを位置付ける方法であって、
前記電子デバイスのユーザインタフェースを通じて、チームメンバ、地理的領域、部品番号、及び部品説明のうちの少なくとも１つを識別する検索要求を入力する段階と、
前記電子デバイスの前記ローカルデータベースにアクセスして前記検索要求を満足させる利用可能な医療デバイスのリストを生成する段階と、
前記電子デバイスのディスプレイ上に、利用可能な医療デバイスの前記リストを提示する段階と、を含むことを特徴とする方法。
（実施態様１８２）前記ディスプレイ上に提示された前記リストは、該リスト上の前記医療デバイスの各々に固有の識別子及び有効期限を含み、
前記リストは、前記有効期限に対する前記利用可能な医療デバイスの各々のステータスを識別するために色分けされる、ことを特徴とする実施態様１８１に記載の方法。
（実施態様１８３）前記ユーザインタフェースを通じて、部品を該部品の複数のユニットを所持しているチームメンバに関連付けられた前記リストから選択する段階と、
前記ディスプレイ上に、前記部品の前記ユニットの各々に固有の識別子及び有効期限を提示する段階と、を更に含むことを特徴とする実施態様１８１に記載の方法。
（実施態様１８４）前記ユニットの各々の前記識別子及び前記有効期限のうちの少なくとも一方が、該有効期限に対する前記利用可能な医療デバイスの各々のステータスを識別するために色分けされることを特徴とする実施態様１８３に記載の方法。
（実施態様１８５）前記ユーザインタフェースを通じて、前記チームメンバに関連付けられた前記ユニットのうちの１つを選択する段階と、
前記選択されたユニットを所持している前記チームメンバにコンタクトして該選択されたユニットの配送を準備する段階と、を更に含むことを特徴とする実施態様１８４に記載の方法。
（実施態様１８６）代理人にコンタクトする段階が、前記電子デバイスの通信インタフェースを通じて、前記選択された医療デバイスを要求する該代理人への配送を意図した通信を遠隔サーバに送信する段階を含むことを特徴とする実施態様１８５に記載の方法。
（実施態様１８７）代理人にコンタクトする段階が、該代理人に電子メールを送信する段階及び該代理人に電話する段階のうちの一方を含むことを特徴とする実施態様１８５に記載の方法。
（実施態様１８８）前記リストは、前記医療デバイスがその有効期限前の予め決められた日付範囲にあることを示すために強調表示された前記部品のユニットと、その有効期限前の該予め決められた日付範囲内にない前記部品の第２のユニットとを含み、
方法が、
前記第１のユニットを選択する段階と、
前記第１のユニットの配送を準備するために該ユニットを所持している前記チームメンバにコンタクトする段階と、を更に含む、ことを特徴とする実施態様１８４に記載の方法。
（実施態様１８９）在庫が複数のチームメンバに分配された環境内で医療デバイスを位置付けるための携帯式電子デバイスであって、
それぞれのチームメンバに分配された部品に関する情報を含むローカルデータベースと、
チームメンバ、地理的領域、部品番号、及び部品説明のうちの少なくとも１つを識別する検索要求を入力するためのユーザインタフェースと、
前記電子デバイスの前記ローカルデータベースにアクセスして前記検索要求を満足させる利用可能な医療デバイスのリストを生成するためのプロセッサと、
利用可能な医療デバイスの前記リストを提示するための前記プロセッサに結合されたディスプレイと、を含むことを特徴とする電子デバイス。
（実施態様１９０）前記プロセッサは、前記リスト上の前記医療デバイスの各々に固有の識別子及び有効期限を取得し、かつ前記ディスプレイ上に該リストを提示するように構成され、
前記リストは、前記有効期限に対する前記利用可能な医療デバイスの各々のステータスを識別するために色分けされる、ことを特徴とする実施態様１８９に記載の電子デバイス。
（実施態様１９１）前記ユーザインタフェースは、部品を該部品の複数のユニットを所持しているチームメンバに関連付けられた前記リストから選択するように構成され、
前記プロセッサは、前記ディスプレイ上に、前記部品の前記ユニットの各々に固有の識別子及び有効期限を提示するように構成される、ことを特徴とする実施態様１８９に記載の電子デバイス。
（実施態様１９２）前記ユニットの各々の前記識別子及び前記有効期限のうちの少なくとも一方が、該有効期限に対する前記利用可能な医療デバイスの各々のステータスを識別するために色分けされることを特徴とする実施態様１９１に記載の電子デバイス。
（実施態様１９３）前記ユーザインタフェースは、前記チームメンバに関連付けられた前記ユニットのうちの１つを選択するように構成され、前記電子デバイスは、該選択されたユニットを所持している該チームメンバにコンタクトして該選択されたユニットの配送を準備するための通信インタフェースを更に含むことを特徴とする実施態様１９２に記載の電子デバイス。
（実施態様１９４）前記通信インタフェースは、前記選択された医療デバイスを要求する代理人への配送を意図した通信を遠隔サーバに送信するように構成されることを特徴とする実施態様１９３に記載の電子デバイス。
（実施態様１９５）在庫が複数のチームメンバに分配された環境内で医療デバイスを位置付けるためのシステムであって、
それぞれのチームメンバに分配された部品に関する情報を含む医療データベースと通信するサーバと、
望ましい医療デバイスと地理的領域とを識別する検索要求を遠隔電子デバイスから受信するための通信インタフェースと、を含み、
前記サーバは、前記医療データベースにアクセスして前記検索要求を満足させる利用可能な医療デバイスのリストを含むデータファイルを生成するように構成され、
前記通信インタフェースは、前記電子デバイスのディスプレイ上に提示するために前記リストを前記遠隔電子デバイスに送信するように構成され、利用可能な医療デバイスの該リストは、該リスト上の該医療デバイスの各々に固有の識別子及び有効期限を含み、該リストは、該有効期限に対する該利用可能な医療デバイスの各々のステータスを識別するために色分けされる、ことを特徴とするシステム。
【符号の説明】
【０２８８】
５０  候補ステージ
５１  代理人コンタクトステージ
５２  試験手術前ステージ
５３  試験ステージ
５４  移植手術前ステージ
【図１】
0006289616.tif 000002
【図２】
0006289616.tif 000003
【図３】
0006289616.tif 000004
【図４Ａ】
0006289616.tif 000005
【図４Ｂ】
0006289616.tif 000006
【図５】
0006289616.tif 000007
【図６Ａ】
0006289616.tif 000008
【図６Ｂ】
0006289616.tif 000009
【図６Ｃ】
0006289616.tif 000010
【図６Ｃ−１】
0006289616.tif 000011
【図６Ｄ】
0006289616.tif 000012
【図６Ｄ−１】
0006289616.tif 000013
【図６Ｅ】
0006289616.tif 000014
【図６Ｆ】
0006289616.tif 000015
【図６Ｆ−１】
0006289616.tif 000016
【図６Ｇ】
0006289616.tif 000017
【図６Ｈ】
0006289616.tif 000018
【図６Ｈ−１】
0006289616.tif 000019
【図６Ｈ−２】
0006289616.tif 000020
【図６Ｉ】
0006289616.tif 000021
【図６Ｊ】
0006289616.tif 000022
【図６Ｋ】
0006289616.tif 000023
【図６Ｌ】
0006289616.tif 000024
【図６Ｌ−１】
0006289616.tif 000025
【図６Ｌ−２】
0006289616.tif 000026
【図７Ａ】
0006289616.tif 000027
【図７Ｂ】
0006289616.tif 000028
【図７Ｃ】
0006289616.tif 000029
【図７Ｄ】
0006289616.tif 000030
【図７Ｅ】
0006289616.tif 000031
【図７Ｆ】
0006289616.tif 000032
【図７Ｇ】
0006289616.tif 000033
【図８Ａ】
0006289616.tif 000034
【図８Ｂ】
0006289616.tif 000035
【図８Ｃ】
0006289616.tif 000036
【図９Ａ】
0006289616.tif 000037
【図９Ｂ】
0006289616.tif 000038
【図９Ｃ】
0006289616.tif 000039
【図１０Ａ】
0006289616.tif 000040
【図１０Ｂ】
0006289616.tif 000041
【図１１Ａ】
0006289616.tif 000042
【図１１Ｂ】
0006289616.tif 000043
【図１１Ｃ】
0006289616.tif 000044
【図１１Ｄ】
0006289616.tif 000045
【図１１Ｅ】
0006289616.tif 000046